(57)【要約】【課題】フレキシブルケーブルを好適に屈曲させることができる遊技機を提供すること。【解決手段】画像表示装置５と演出制御基板１２とを接続可能な接続配線部材５０ＳＧ０１を備え、接続配線部材５０ＳＧ０１は、画像表示装置５と演出制御基板１２とに接続された状態において接続配線部材５０ＳＧ０１の引き回し方向を切り替えるために屈曲状態とされた第１屈曲部５０ＳＧ８１や第２屈曲部５０ＳＧ８２を有し、接続配線部材５０ＳＧ０１における第１屈曲部５０ＳＧ８１や第２屈曲部５０ＳＧ８２に対応する位置に第１切欠凹部５０ＳＧ６１Ａ，５０ＳＧ６１Ｂ、５０ＳＧ６１Ａ’，５０ＳＧ６１Ｂ’や第２切欠凹部５０ＳＧ６２Ａ，５０ＳＧ６２Ｂ、５０ＳＧ６２Ａ’，５０ＳＧ６２Ｂ’を備える。【選択図】図４１
2020031984.tif 000002
【特許請求の範囲】
【請求項１】
遊技が可能な遊技機であって、
複数の電気部品を接続可能な接続手段を備え、
前記接続手段は、前記複数の電気部品に接続された状態において該接続手段の引き回し方向を切り替えるために屈曲状態とされた屈曲部を有し、
前記接続手段における前記屈曲部に対応する位置に切欠部を備える
ことを特徴とする遊技機。
【発明の詳細な説明】
【技術分野】
【０００１】
本発明は、遊技が可能な遊技機に関する。
【背景技術】
【０００２】
パチンコ遊技機やスロットマシン等の遊技機において、複数の電気部品を電気的に接続可能な接続手段として可撓性を有するフレキシブルケーブルを用いたものがある。
【０００３】
この種の遊技機において、フレキシブルケーブルに長さ調整用の屈曲部を設ける際に、フレキシブルケーブルの個体間での屈曲位置のばらつきを抑えるために、フレキシブルケーブルの所定位置にマークを設け、該マークを基準として屈曲部を設けたもの等があった（例えば、特許文献１参照）。
【先行技術文献】
【特許文献】
【０００４】
【特許文献１】特開２０１６−１３１６５９号公報
【発明の概要】
【発明が解決しようとする課題】
【０００５】
上記特許文献１に記載の遊技機では、マークは屈曲位置を特定するだけのものであり、フレキシブルケーブルを好適に屈曲させるためのものではなかった。
【０００６】
本発明は、このような問題点に着目してなされたもので、フレキシブルケーブルを好適に屈曲させることができる遊技機を提供することを目的とする。
【課題を解決するための手段】
【０００７】
手段１の遊技機は、
遊技が可能な遊技機（例えば、パチンコ遊技機１）であって、
複数の電気部品（例えば、画像表示装置５と演出制御基板１２など）を接続可能な接続手段（例えば、接続配線部材５０ＳＧ０１など）を備え、
前記接続手段は、前記複数の電気部品に接続された状態において該接続手段の引き回し方向を切り替えるために屈曲状態とされた屈曲部（例えば、第１屈曲部５０ＳＧ８１や第２屈曲部５０ＳＧ８２）を有し、
前記接続手段における前記屈曲部に対応する位置に切欠部（例えば、第１切欠凹部５０ＳＧ６１Ａ，５０ＳＧ６１Ｂ、５０ＳＧ６１Ａ’，５０ＳＧ６１Ｂ’、第２切欠凹部５０ＳＧ６２Ａ，５０ＳＧ６２Ｂ、５０ＳＧ６２Ａ’，５０ＳＧ６２Ｂ’）を備える（図４１、図４２参照）
ことを特徴としている。
この特徴によれば、切欠部により接続手段を屈曲部にて屈曲しやすくなるので、作業性を向上させることができるとともに品質が安定する。
【０００８】
手段２の遊技機は、手段１に記載の遊技機であって、
前記切欠部（例えば、第１切欠凹部５０ＳＧ６１Ａ，５０ＳＧ６１Ｂ、５０ＳＧ６１Ａ’，５０ＳＧ６１Ｂ’、第２切欠凹部５０ＳＧ６２Ａ，５０ＳＧ６２Ｂ、５０ＳＧ６２Ａ’，５０ＳＧ６２Ｂ’）は、前記接続手段の縁辺部（例えば、配線のパターン５０ＳＧ１０の外縁５０ＳＧ５０や配線のパターン５０ＳＧ２Ｇの外縁５０ＳＧ５１など）に設けられている（図４２参照）
ことを特徴としている。
この特徴によれば、配線に影響しないように切欠部を設けることができる。
【０００９】
手段３の遊技機は、手段１または２に記載の遊技機であって、
前記切欠部は、
前記接続手段（例えば、接続配線部材５０ＳＧ０１など）の第１縁辺部（例えば、配線のパターン５０ＳＧ１０の外縁５０ＳＧ５０）に設けられた第１切欠部（例えば、第１切欠凹部５０ＳＧ６１Ａ、５０ＳＧ６１Ａ’、第２切欠凹部５０ＳＧ６２Ａ、５０ＳＧ６２Ａ’）と、
前記接続手段の前記第１縁辺部と反対側の第２縁辺部（例えば、配線のパターン５０ＳＧ２Ｇの外縁５０ＳＧ５１）に前記第１切欠部に対応して設けられた第２切欠部（例えば、第１切欠凹部５０ＳＧ６１Ｂ、５０ＳＧ６１Ｂ’、第２切欠凹部５０ＳＧ６２Ｂ、５０ＳＧ６２Ｂ’）と、
を有する
ことを特徴としている。
この特徴によれば、第１切欠部と第２切欠部に合わせて屈曲させることができるので、引き回し方向に向けて正確に屈曲させることができる。
【００１０】
手段４の遊技機は、手段１〜３のいずれかに記載の遊技機であって、
前記接続手段（例えば、接続配線部材５０ＳＧ０１など）は、信号配線とは異なる導体部（例えば、配線のパターン５０ＳＧ１０，５０ＳＧ２Ｇ、グランド層５０ＳＧ３Ｇなど）を有し、
前記切欠部（例えば、第１切欠凹部５０ＳＧ６１Ａ，５０ＳＧ６１Ｂ、５０ＳＧ６１Ａ’，５０ＳＧ６１Ｂ’、第２切欠凹部５０ＳＧ６２Ａ，５０ＳＧ６２Ｂ、５０ＳＧ６２Ａ’，５０ＳＧ６２Ｂ’）は、前記導体部に設けられている（図４１参照）
ことを特徴としている。
この特徴によれば、切欠部により導体部の幅が狭くなるので屈曲しやすくなる。
【００１１】
手段５の遊技機は、手段１〜４のいずれかに記載の遊技機であって、
前記接続手段（例えば、接続配線部材５０ＳＧ０１など）は、前記屈曲部（例えば、第２屈曲部５０ＳＧ８２）において該接続手段の縁辺部に対し斜めに交差する方向に引き回されており、
前記切欠部（例えば、第２切欠凹部５０ＳＧ６２Ａ，５０ＳＧ６２Ｂ、５０ＳＧ６２Ａ’，５０ＳＧ６２Ｂ’）は、前記接続手段の縁辺部（例えば、外縁５０ＳＧ０１Ｅ）に対し斜めに形成されている（図４２参照）
ことを特徴としている。
この特徴によれば、折り目に沿うように切欠部が形成されるので屈曲しやすくなる。
【００１２】
手段６の遊技機は、手段１〜５のいずれかに記載の遊技機であって、
前記接続手段（例えば、接続配線部材５０ＳＧ０１など）は、前記屈曲部（例えば、第２屈曲部５０ＳＧ８２）において該接続手段の縁辺部（例えば、外縁５０ＳＧ０１Ｅ）に対し斜めに交差する方向に引き回されており、
前記切欠部は、
前記接続手段の第１縁辺部（例えば、配線のパターン５０ＳＧ１０の外縁５０ＳＧ５０）に設けられた第１切欠部（例えば、第２切欠凹部５０ＳＧ６２Ａ、５０ＳＧ６２Ａ’）と、
前記接続手段の前記第１縁辺部と反対側の第２縁辺部（例えば、配線のパターン５０ＳＧ２Ｇの外縁５０ＳＧ５１）における前記第１切欠部との対向位置以外に設けられた第２切欠部（例えば、第２切欠凹部５０ＳＧ６２Ｂ、５０ＳＧ６２Ｂ’）と、
を有する（図４２参照）
ことを特徴としている。
この特徴によれば、第１切欠部と第２切欠部とにより配線が狭まることを回避できる。
【００１３】
手段７の遊技機は、手段１〜６のいずれかに記載の遊技機であって、
前記切欠部（例えば、第１切欠凹部５０ＳＧ６１Ａ，５０ＳＧ６１Ｂ、５０ＳＧ６１Ａ’，５０ＳＧ６１Ｂ’、第２切欠凹部５０ＳＧ６２Ａ，５０ＳＧ６２Ｂ、５０ＳＧ６２Ａ’，５０ＳＧ６２Ｂ’）は、前記接続手段（例えば、接続配線部材５０ＳＧ０１など）がスルーホール（例えば、スルーホール５０ＳＧ１Ｈ，５０ＳＧ２Ｈなど）に対応しない位置にて屈曲状態となるように設けられている（図４２参照）
ことを特徴としている。
この特徴によれば、切欠部とスルーホールにより導体部が狭まることを回避できる。
【００１４】
尚、本発明は、本発明の請求項に記載された発明特定事項のみを有するものであっても良いし、本発明の請求項に記載された発明特定事項とともに該発明特定事項以外の構成を有するものであっても良い。
【図面の簡単な説明】
【００１５】
【図１】この実施の形態におけるパチンコ遊技機の正面図である。
【図２】パチンコ遊技機に搭載された各種の制御基板などを示す構成図である。
【図３】遊技機用枠の背面図である。
【図４】基板ケースを見た状態の分解斜視図である。
【図５】基板ケースを見た状態の分解斜視図である。
【図６】ベース部材を示す６面図である。
【図７】カバー部材を示す６面図である。
【図８】配線のパターンが形成された部分の構成例を示す図である。
【図９】配線のパターンを説明するための領域や区間を示す図である。
【図１０】図９に示された領域の拡大図である。
【図１１】配線のパターンに対応する設定例を示す図である。
【図１２】図９に示された領域の拡大図である。
【図１３】図９に示された領域の拡大図である。
【図１４】主基板の構成例を示す断面図である。
【図１５】配線のパターンについて他の構成例を示す図である。
【図１６】特徴部４２ＡＫに係る構成例を示す図である。
【図１７】第２形状部が異なる方向に形成されている構成例を示す図である。
【図１８】複数の信号配線が異なる配線幅に形成されている構成例を示す図である。
【図１９】第２形状部が対応して形成されている構成例を示す図である。
【図２０】回路部品が接続されるように実装された構成例を示す図である。
【図２１】特徴部４３ＡＫに係る構成例を示す図である。
【図２２】特徴部４４ＡＫに係る構成例を示す図である。
【図２３】特徴部４５ＡＫに係る遊技機の基板ケース、基板、及びヒートシンクを後方からみた分解斜視図である。
【図２４】特徴部４５ＡＫに係る遊技機の基板ケース、基板、及びヒートシンクを前方からみた分解斜視図である。
【図２５】基板ケースにヒートシンク及び基板を取付ける様子を取り付け順（（ａ）〜（ｂ））で示した断面図である。
【図２６】図２５に続いて基板ケースにヒートシンク及び基板を取付ける様子を取り付け順（（ａ）〜（ｂ））で示した断面図である。
【図２７】ヒートシンクと電子部品との関係を説明するための平面図である。
【図２８】基板ケース内における空気の流れを説明するための説明図である。
【図２９】他の実施形態１に係る遊技機の基板ケースにヒートシンク及び基板を取付ける様子を示した断面図である。
【図３０】他の実施形態２に係る遊技機の基板ケースにヒートシンク及び基板を取付ける様子を示した断面図である。
【図３１】特徴部５５ＡＫに係る構成例を示す図である。
【図３２】図３１に示されるＡ−Ａ断面図である。
【図３３】演出制御基板と画像表示装置との接続例を示す図である。
【図３４】図３３の接続例における接続配線部材の上面図である。
【図３５】演出制御基板と画像表示装置との他の接続例を示す図である。
【図３６】図３５の接続例における接続配線部材の上面図である。
【図３７】特徴部５６ＡＫに係る構成例を示す図である。
【図３８】複数の電気部品について他の構成例を示す図である。
【図３９】全体が直線形状または略直線形状を有する接続配線部材を用いた接続例を示す図である。
【図４０】（Ａ）は演出制御基板と画像表示装置との接続例を示す図、（Ｂ）は（Ａ）の右側面図である。
【図４１】（Ａ）は接続配線部材の第１配線層を示す図、（Ｂ）は第２配線層を示す図である。
【図４２】（Ａ）は図４１（Ａ）の要部拡大図、（Ｂ）（Ｃ）は（Ａ）の要部拡大図である。
【図４３】（Ａ）は図４２のＡ−Ａ（Ａ’−Ａ’）断面図、（Ｂ）は図４２のＢ−Ｂ（Ｂ’−Ｂ’）断面図である。
【図４４】（Ａ）は凸部を基準として第１屈曲部を形成する図、（Ｂ）は（Ａ）の側面図、（Ｃ）は凹部を基準として第１屈曲部を形成する図、（Ｄ）は（Ｃ）の側面図である。
【図４５】（Ａ）は凸部を基準として第２屈曲部を形成する図、（Ｂ）は（Ａ）の側面図、（Ｃ）は凹部を基準として第２屈曲部を形成する図、（Ｄ）は（Ｃ）の側面図である。
【図４６】特徴部５０ＳＧにおける変形例１を示す図である。
【図４７】特徴部５０ＳＧにおける変形例２を示す図である。
【図４８】（Ａ）〜（Ｃ）は特徴部５０ＳＧにおける変形例３を示す図である。
【発明を実施するための形態】
【００１６】
図１は、この実施の形態に係るパチンコ遊技機１の正面図である。パチンコ遊技機１は、遊技盤２と、遊技機用枠３とを備えている。その他、パチンコ遊技機１は、遊技機用枠３を回動可能に支持する外枠などを備えている。遊技盤２は、遊技盤面を構成するゲージ盤である。遊技機用枠３は、遊技盤２を固定する台枠である。遊技盤２には、ガイドレールなどによって囲まれた遊技領域が形成されている。発射装置から発射された遊技球（遊技媒体）は、発射通路を通過して、遊技領域に打ち込まれる。遊技機用枠３には、ガラス窓を有するガラス扉枠が回動可能に設けられている。
【００１７】
遊技盤２の所定位置には、第１特別図柄表示装置４Ａ、第２特別図柄表示装置４Ｂ、画像表示装置５、普通入賞球装置６Ａ、普通可変入賞球装置６Ｂ、特別可変入賞球装置７、普通図柄表示器２０、第１保留表示器２５Ａ、第２保留表示器２５Ｂ、普図保留表示器２５Ｃ、通過ゲート４１などが設けられている。その他、遊技領域における遊技盤面には、風車や多数の障害釘、一般入賞口、アウト口などが設けられていればよい。遊技領域の周辺部には遊技効果ランプ９が設けられている。遊技機用枠３の左右上部位置にはスピーカ８Ｌ、８Ｒが設けられている。
【００１８】
遊技機用枠３の右下部位置には、打球操作ハンドル（操作ノブ）が設けられている。打球操作ハンドルは、遊技球を遊技領域に向けて発射するために遊技者等によって操作され、その操作量（回転量）に応じて遊技球の弾発力が調整される。遊技領域の下方における遊技機用枠３の所定位置には、遊技球を保持（貯留）する上皿（打球供給皿）と、上皿からの余剰球などを保持（貯留）する下皿が設けられている。下皿を形成する部材にはスティックコントローラ３１Ａが取付けられ、上皿を形成する部材にはプッシュボタン３１Ｂが設けられている。
【００１９】
第１特別図柄表示装置４Ａ、第２特別図柄表示装置４Ｂ、画像表示装置５の画面上などでは、特別図柄や飾り図柄の可変表示が行われる。これらの可変表示は、普通入賞球装置６Ａに形成された第１始動入賞口を遊技球が通過（進入）したことによる第１始動入賞の発生に基づいて、あるいは、普通可変入賞球装置６Ｂに形成された第２始動入賞口を遊技球が通過（進入）したことによる第２始動入賞の発生に基づいて、実行可能となる。第１特別図柄表示装置４Ａと第２特別図柄表示装置４Ｂはそれぞれ、例えば７セグメントやドットマトリクスのＬＥＤ（発光ダイオード）などを用いて構成され、可変表示ゲームの一例となる特図ゲームにおいて、識別情報（特別識別情報）である特別図柄（特図）が、変動可能に表示（可変表示）される。画像表示装置５は、例えばＬＣＤ（液晶表示装置）などを用いて構成され、各種の演出画像を表示する表示領域を形成している。画像表示装置５の画面上では、特図ゲームにおける第１特別図柄表示装置４Ａによる特別図柄（第１特図）の可変表示や第２特別図柄表示装置４Ｂによる特別図柄（第２特図）の可変表示のそれぞれに対応して、例えば３つといった複数の可変表示部となる飾り図柄表示エリアにて、識別情報（装飾識別情報）である飾り図柄が可変表示される。この飾り図柄の可変表示も、可変表示ゲームに含まれる。一例として、画像表示装置５の画面上には、「左」、「中」、「右」の飾り図柄表示エリア５Ｌ、５Ｃ、５Ｒが配置されている。
【００２０】
画像表示装置５の画面上には、保留記憶表示エリア５Ｈが配置されている。保留記憶表示エリア５Ｈでは、特図ゲームに対応した可変表示の保留数（特図保留記憶数）を特定可能に表示する保留表示が行われる。保留表示は、可変表示に関する情報の保留記憶に対応して表示可能なものであればよい。保留記憶表示エリア５Ｈとともに、あるいは、保留記憶表示エリア５Ｈに代えて、第１保留表示器２５Ａと第２保留表示器２５Ｂとを用いた保留表示が行われてもよい。
【００２１】
図２は、各種基板や周辺装置などの構成例を示すブロック図である。パチンコ遊技機１には、例えば図２に示すような主基板１１、演出制御基板１２、音声制御基板１３、ランプ制御基板１４といった、各種制御基板が搭載されている。また、パチンコ遊技機１には、中継基板１５、ドライバ基板１９、電源基板９２なども搭載されている。その他にも、例えば払出制御基板、情報端子基板、発射制御基板、インタフェース基板、タッチセンサ基板などといった、各種の基板が搭載されてもよい。各種制御基板は、導体パターンが形成されて電気部品が実装されるプリント配線板などの電子回路基板だけではなく、電子回路基板に電気部品が実装（搭載）されて特定の電気的機能を実現するように構成された電子回路実装基板を含む概念である。
【００２２】
電源基板９２は、外部電源（商用電源）である交流電源からの電力を、主基板１１や演出制御基板１２などの各種制御基板を含めた電気部品に供給可能となるように構成されている。電源基板９２は、例えば交流（ＡＣ）を直流（ＤＣ）に変換するための整流回路、所定の直流電圧を特定の直流電圧（例えば直流１２Ｖや直流５Ｖなど）に変換するための電源回路などを、備えている。電源基板９２にて生成された電圧は、ドロア中継基板を介して主基板１１や演出制御基板１２などに供給されてもよい。
【００２３】
主基板１１には、遊技制御用マイクロコンピュータ１００、スイッチ回路１１０、ソレノイド回路１１１などが搭載されている。主基板１１では、ゲートスイッチ２１、始動口スイッチ（第１始動口スイッチ２２Ａおよび第２始動口スイッチ２２Ｂ）、カウントスイッチ２３といった、各種検出用のスイッチから取り込んだ信号が、スイッチ回路１１０を介して遊技制御用マイクロコンピュータ１００に伝送される。ゲートスイッチ２１は、通過ゲート４１を通過した遊技球（ゲート通過球）を検出する。ゲートスイッチ２１によるゲート通過球の検出に基づいて、普通図柄表示器２０による普通図柄の可変表示が実行可能となる。第１始動口スイッチ２２Ａは、第１始動入賞口を通過（進入）した遊技球を検出する。第２始動口スイッチ２２Ｂは、第２始動入賞口を通過（進入）した遊技球を検出する。カウントスイッチ２３は、大入賞口を通過（進入）した遊技球を検出する。第１始動入賞口や第２始動入賞口、大入賞口といった、各種の入賞口を通過した遊技球が検出された場合には、それぞれの入賞口に対応して予め個数が定められた賞球としての遊技球が払い出される。
【００２４】
主基板１１では、遊技制御用マイクロコンピュータ１００からのソレノイド駆動信号が、ソレノイド回路１１１を介して普通電動役物用のソレノイド８１や大入賞口扉用のソレノイド８２に伝送される。普通電動役物用のソレノイド８１は、普通可変入賞球装置６Ｂに形成された第２始動入賞口を遊技球が通過しにくい状態（または通過しない状態）と通過しやすい状態（または通過する状態）とに変化可能にする。大入賞口扉用のソレノイド８２は、特別可変入賞球装置７に形成された大入賞口を遊技球が通過不可能な状態と通過可能な状態とに変化可能にする。主基板１１からは、第１特別図柄表示装置４Ａ、第２特別図柄表示装置４Ｂ、普通図柄表示器２０などの表示制御を行うための指令信号が伝送される。
【００２５】
主基板１１に搭載された遊技制御用マイクロコンピュータ１００は、例えば１チップのマイクロコンピュータであり、遊技制御用のプログラムや固定データ等を記憶するＲＯＭ１０１と、遊技制御用のワークエリアを提供するＲＡＭ１０２と、遊技制御用のプログラムを実行して制御動作を行うＣＰＵ１０３と、ＣＰＵ１０３とは独立して乱数値を示す数値データの更新を行う乱数回路１０４と、Ｉ／Ｏ（Input/Output port）１０５とを備えて構成される。一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。主基板１１に搭載された遊技制御用マイクロコンピュータ１００では、例えば乱数回路１０４やＲＡＭ１０２の所定領域に設けられた遊技用ランダムカウンタなどにより、遊技の進行を制御するために用いられる各種の乱数値を示す数値データが更新可能にカウント（生成）される。遊技の進行を制御するために用いられる乱数は、遊技用乱数ともいう。
【００２６】
演出制御基板１２は、中継基板１５を介して主基板１１から伝送された制御信号（演出制御コマンド）の受信に基づいて、画像表示装置５、スピーカ８Ｌ、８Ｒ、遊技効果ランプ９、演出用モータ６０および演出用ＬＥＤ６１といった演出用の電気部品による演出動作を制御可能とする。演出制御基板１２には、演出制御用ＣＰＵ１２０やＲＯＭ１２１、ＲＡＭ１２２、表示制御部１２３、乱数回路１２４、Ｉ／Ｏ１２５などが搭載されている。
【００２７】
演出制御基板１２に搭載された演出制御用ＣＰＵ１２０は、ＲＯＭ１２１から読み出した演出制御用のプログラムや固定データ等を用いて、演出用の電気部品による演出動作を制御するための処理を実行する。演出制御基板１２に搭載された表示制御部１２３は、演出制御用ＣＰＵ１２０からの表示制御指令などに基づき、画像表示装置５における表示動作の制御内容を決定する。例えば、表示制御部１２３は、画像表示装置５の表示画面内に表示させる演出画像の切換タイミングを決定することなどにより、飾り図柄の可変表示や各種の演出表示を実行させるための制御を行う。
【００２８】
演出制御基板１２には、コントローラセンサユニット３５Ａと、プッシュセンサ３５Ｂとが接続されている。コントローラセンサユニット３５Ａは、傾倒方向センサと、トリガセンサとを含んでいる。傾倒方向センサは、スティックコントローラ３１Ａの操作桿に対する傾倒操作が行われたときに、複数のセンサを用いて操作桿の傾倒方向を検出可能にする。トリガセンサは、スティックコントローラ３１Ａの操作桿に設けられたトリガボタンに対する押引操作の有無を検出可能にする。すなわち、コントローラセンサユニット３５Ａにより、スティックコントローラ３１Ａの操作桿に対する傾倒動作やトリガボタンに対する押引動作といった、スティックコントローラ３１Ａを用いた遊技者の動作を検出することができる。プッシュセンサ３５Ｂにより、プッシュボタン３１Ｂに対する押下動作といった、プッシュボタン３１Ｂを用いた遊技者の動作を検出することができる。演出制御基板１２では、例えば乱数回路１２４やＲＡＭ１２２の所定領域に設けられた演出用ランダムカウンタなどにより、演出の実行を制御するために用いられる各種の乱数値を示す数値データが更新可能にカウント（生成）される。演出の実行を制御するために用いられる乱数は、演出用乱数ともいう。
【００２９】
演出制御基板１２は、第１基板１２Ａと、該第１基板１２Ａに対し基板対基板接続される第２基板１２Ｂとを有する。第１基板１２Ａには、演出制御用ＣＰＵ１２０や表示制御部１２３のグラフィックスプロセッサなどが搭載され、第２基板１２Ｂには、ＲＯＭ１２１や画像データメモリといった機種に固有なデータなどが記憶された電気部品が搭載されている。表示制御部１２３のグラフィックスプロセッサは、演出制御用ＣＰＵ１２０の機能を統合したマイクロプロセッサであってもよいし、演出制御用ＣＰＵ１２０とは別個のチップとして構成されたマイクロプロセッサであってもよい。
【００３０】
音声制御基板１３は、演出制御基板１２とは別個に設けられた音声出力制御用の制御基板であり、演出制御基板１２からの指令や制御データなどに基づいて、スピーカ８Ｌ、８Ｒから音声を出力させるための音声信号処理を実行する処理回路などが搭載されている。なお、演出制御基板１２に搭載された表示制御部１２３を構成するグラフィックスコントローラなどが音声信号処理を実行可能であれば、音声制御基板１３に帯域フィルタや増幅回路などを搭載すればよい。あるいは、音声制御基板１３を省略して、演出制御基板１２の基板上に帯域フィルタや増幅回路などを搭載してもよい。ランプ制御基板１４は、演出制御基板１２とは別個に設けられたランプ出力制御用の制御基板であり、演出制御基板１２からの指令や制御データなどに基づいて、遊技効果ランプ９などにおける点灯や消灯を行うランプドライバ回路などが搭載されている。ドライバ基板１９は、演出制御基板１２とは別個に設けられた電気部品駆動用の制御基板であり、演出制御基板１２からの指令や制御データなどに基づいて、演出用モータ６０に含まれる各種モータの回動制御や演出用ＬＥＤ６１に含まれる各種ＬＥＤの点灯制御などを行うためのドライバ回路などが搭載されている。ドライバ基板１９からの出力信号は、演出用モータ６０に含まれる各モータと、演出用ＬＥＤ６１に含まれる各ＬＥＤとに向けて伝送される。
【００３１】
パチンコ遊技機１においては、遊技媒体としての遊技球を用いた所定の遊技が行われ、その遊技結果に基づいて所定の遊技価値が付与可能となる。遊技球を用いた遊技の一例として、パチンコ遊技機１における遊技機用枠３の右下部位置に設けられた打球操作ハンドルが遊技者によって所定操作（例えば回転操作）されたことに基づいて、所定の打球発射装置が備える発射モータなどにより、遊技媒体としての遊技球が遊技領域に向けて発射される。遊技領域を流下した遊技球が、各種の入賞口を通過（進入）した場合に、賞球としての遊技球が払い出される。特別図柄や飾り図柄の可変表示結果が「大当り」となった場合には、大入賞口が開放されて遊技球が通過（進入）しやすい状態となることで、遊技者にとって有利な有利状態としての大当り遊技状態となる。
【００３２】
有利状態は大当り遊技状態に限定されず、時短状態や確変状態といった特別遊技状態が含まれてもよい。その他、大当り遊技状態にて実行可能なラウンド遊技の上限回数が第２ラウンド数（例えば「７」）よりも多い第１ラウンド数（例えば「１５」）となること、時短状態にて実行可能な可変表示の上限回数が第２回数（例えば「５０」）よりも多い第１回数（例えば「１００」）となること、確変状態における大当り確率が第２確率（例えば１／５０）よりも高い第１確率（例えば１／２０）となること、通常状態に制御されることなく大当り遊技状態に繰り返し制御される回数である連チャン回数が第２連チャン数（例えば「５」）よりも多い第１連チャン数（例えば「１０」）となることの一部または全部といった、遊技者にとってより有利な遊技状況となることが含まれていてもよい。
【００３３】
主基板１１では、電源基板９２からの電力供給が開始されると、遊技制御用マイクロコンピュータ１００のＣＰＵ１０３が起動し、ＣＰＵ１０３によって遊技制御メイン処理の実行が開始される。遊技制御メイン処理において、ＣＰＵ１０３は、割込み禁止に設定した後、必要な初期設定を行う。初期設定が終了すると、割込み許可とした後、ループ処理に入る。以後、所定時間（例えば２ミリ秒）ごとにＣＴＣから割込み要求信号がＣＰＵ１０３へ送出され、ＣＰＵ１０３は定期的に遊技制御用タイマ割込み処理を実行する。
【００３４】
遊技制御用タイマ割込み処理は、スイッチ処理、メイン側エラー処理、情報出力処理、遊技用乱数更新処理、特別図柄プロセス処理、普通図柄プロセス処理、コマンド制御処理などを含んでいる。スイッチ処理では、各種スイッチから入力される検出信号の状態を判定する。メイン側エラー処理では、パチンコ遊技機１の異常診断を行い、必要ならば警告を発生可能とする。情報出力処理では、ホール管理コンピュータに供給される所定のデータを出力する。遊技用乱数更新処理では、遊技用乱数の少なくとも一部をソフトウェアにより更新する。特別図柄プロセス処理では、特別図柄の表示制御や大入賞口の開閉動作設定などを、所定の手順で行うために、各種の処理が選択されて実行される。普通図柄プロセス処理では、普通図柄の表示制御や普通可変入賞球装置６Ｂにおける可動翼片の傾動動作設定などを、所定の手順で行うために、各種の処理が選択されて実行される。
【００３５】
特別図柄プロセス処理では、まず、始動入賞判定処理が実行される。始動入賞判定処理を実行した後には、特図プロセスフラグの値に応じて選択した処理が実行される。このとき選択可能な処理は、特別図柄通常処理、変動パターン設定処理、特別図柄変動処理、特別図柄停止処理、大当り開放前処理、大当り開放中処理、大当り開放後処理、大当り終了処理などを含んでいればよい。
【００３６】
始動入賞判定処理では、第１始動入賞や第２始動入賞が発生したか否かを判定し、発生した場合には特図保留記憶数を更新するための設定などが行われる。特別図柄通常処理では、特図ゲームの実行を開始するか否かの判定が行われる。また、特別図柄通常処理では、特別図柄や飾り図柄の可変表示結果を「大当り」とするか否かの判定が行われる。さらに、特別図柄通常処理では、可変表示結果に対応して、特図ゲームにおける確定特別図柄の設定などが行われる。変動パターン設定処理では、可変表示結果などに基づいて、変動パターンの決定などが行われる。特別図柄変動処理では、特別図柄を変動させるための設定や、変動開始からの経過時間を計測するための設定などが行われる。特別図柄停止処理では、特別図柄の変動を停止させ、可変表示結果となる確定特別図柄を停止表示（導出）させるための設定などが行われる。
【００３７】
大当り開放前処理では、可変表示結果が「大当り」に対応して、大当り遊技状態において大入賞口を開放状態とするための設定などが行われる。大当り開放中処理では、大入賞口を開放状態から閉鎖状態に戻すか否かの判定などが行われる。大当り開放後処理では、大入賞口を閉鎖状態に戻した後、ラウンドの実行回数が上限値に達したか否かを判定し、達していなければ次回のラウンドを実行可能とし、達していれば大当り遊技状態を終了させるための設定などが行われる。大当り終了処理では、大当り遊技状態の終了を報知するエンディング演出の実行期間に対応した待ち時間が経過するまで待機した後、確変制御や時短制御を開始するための設定などが行われる。
【００３８】
演出制御基板１２では、電源基板９２からの電力供給が開始されると、演出制御用ＣＰＵ１２０が演出制御メイン処理の実行を開始する。演出制御メイン処理では、所定の初期化が行われた後、タイマ割込みが発生する毎に、コマンド解析処理、演出制御プロセス処理、演出用乱数更新処理が実行される。コマンド解析処理では、主基板１１から伝送された演出制御コマンドを解析し、解析結果に応じたフラグがセットされる。演出制御プロセス処理では、演出用の電気部品を所定の手順に従って制御するために、各種の処理が選択されて実行される。演出用乱数更新処理では、演出用乱数を生成するためのカウント値などをソフトウェアにより更新する。
【００３９】
演出制御プロセス処理では、まず、保留表示更新処理が実行される。保留表示更新処理を実行した後には、演出プロセスフラグの値に応じて選択した処理が実行される。このとき選択可能な処理は、可変表示開始待ち処理、可変表示開始設定処理、可変表示中演出処理、可変表示停止処理、大当り表示処理、大当り中演出処理、エンディング演出処理などを含んでいればよい。
【００４０】
保留表示更新処理では、保留記憶表示エリア５Ｈの表示を、特図保留記憶数に応じて更新するための設定などが行われる。可変表示開始待ち処理では、特別図柄や飾り図柄の可変表示を開始するか否かの判定などが行われる。可変表示開始設定処理では、飾り図柄の可変表示を開始するための設定などが行われる。可変表示中演出処理では、飾り図柄の可変表示に対応して、演出用の電気部品を演出制御パターンに従って制御するための設定などが行われる。可変表示停止処理では、飾り図柄の可変表示を停止して可変表示結果となる確定飾り図柄を導出する制御などが行われる。
【００４１】
大当り表示処理では、可変表示結果が「大当り」に対応して、大当りの発生を報知する演出（ファンファーレ演出）を実行するための制御などが行われる。大当り中演出処理では、大当り遊技状態に対応して、演出用の電気部品を演出制御パターンに従って制御するための設定などが行われる。エンディング演出処理では、大当り遊技状態の終了に対応して、エンディング演出の実行を制御するための設定などが行われる。
【００４２】
図３は、パチンコ遊技機１が備える遊技機用枠３の背面図である。遊技機用枠３の背面上部には、球タンク１５０、ターミナル基板１５４が設けられている。また、補給通路１５１、払出装置１５２、賞球通路１５３も設けられている。遊技盤２の背面には、遊技制御基板用の基板ケース４００、演出制御基板用の基板ケース８００、カバー体３０１が設けられている。基板ケース４００は、主基板１１を収納する。基板ケース８００は、演出制御基板１２を収納する。カバー体３０１は、透明な合成樹脂などを用いて構成され、基板ケース８００と基板ケース４００の上部とを覆っている。遊技制御基板用の基板ケース４００の下方位置には、払出制御基板９１と、電源基板９２とが、前後に重畳するように設けられている。
【００４３】
図４〜図７を参照して、演出制御基板用の基板ケース８００の構造を説明する。図４は、基板ケース８００を左後部の斜め上方から見た状態を示す分解斜視図である。図５は、基板ケース８００を右前部の斜め上方から見た状態を示す分解斜視図である。図６は、ベース部材８０１を示す６面図である。図７は、カバー部材８０２を示す６面図である。基板ケース８００は、ベース部材８０１と、カバー部材８０２とから構成され、演出制御基板１２を前後から挟持するように組み付けられる。ベース部材８０１は演出制御基板１２の前面側を覆い、カバー部材８０２は演出制御基板１２の背面側を覆う。
【００４４】
ベース部材８０１は、透明な熱可塑性合成樹脂からなり、縦長略長方形状に形成されるベース板８０１ａと、上下及び左右側辺に背面側に向けて立設される側壁８０１ｂ〜８０１ｅとから構成され、背面側に向けて開口する箱状に形成されている。ベース板８０１ａには、ボス８０３、８０４、係止バー８０５、係止フック８０６、係止孔８０７、被係止部８０８、ワンウェイネジ８０９のネジ穴８１０、取付孔８１１、基板支持用リブ８１２、８１３、段部８１４ａ、８１４ｂ、リブ８１５が設けられている。
【００４５】
カバー部材８０２は、透明な熱可塑性合成樹脂からなり、縦長略長方形状に形成されるベース板８２１ａと、上下及び左右側辺に背面側に向けて立設される側壁８２１ｂ〜８１１ｅとから構成され、背面側に向けて開口する箱状に形成されている。ベース板８２１ａには、ネジ８２２が螺入されるネジ穴８２３、位置決め凸部８２４、ネジ８２５が螺入されるネジ穴８２６、位置決め凸部８２７、係止フック８３１、係止片８３２、係止部８３３、ワンウェイネジ８０９の取付孔８３４ａが形成された取付片８３４、音量調整用スイッチ８３５ａを外部に臨ませるスイッチ用開口８３５、コネクタ用開口８３６、８３７が設けられている。
【００４６】
コネクタ用開口８３６は、ベース板８２１ａの上部右側にて、第１基板１２Ａに搭載された各種基板側コネクタＫＣＮ１０を外部に臨ませるために、縦長形状となるように形成されている。各種基板側コネクタＫＣＮ１０は、レセプタクルＫＲＥ１〜ＫＲＥ４を含んでいればよい。レセプタクルＫＲＥ１は、主基板配線用のコネクタポートである。レセプタクルＫＲＥ２は、電源基板配線用のコネクタポートである。レセプタクルＫＲＥ３は、ドライバ基板配線用のコネクタポートである。レセプタクルＫＲＥ４は、音声制御基板配線用のコネクタポートである。なお、レセプタクルの配置や接続される配線は、パチンコ遊技機１の仕様に応じて任意に変更されたものであってもよい。
【００４７】
主基板配線用のレセプタクルＫＲＥ１は、主基板１１との間で電気的に接続される信号配線（主基板配線）を着脱自在に接続可能な配線接続装置の構成を有している。電源基板配線用のレセプタクルＫＲＥ２は、電源基板９２との間で電気的に接続される信号配線（電源基板配線）を着脱自在に接続可能な配線接続装置の構成を有している。ドライバ基板配線用のレセプタクルＫＲＥ３は、ドライバ基板１９との間で電気的に接続される信号配線（ドライバ基板配線）を着脱自在に接続可能な配線接続装置の構成を有している。音声制御基板配線用のレセプタクルＫＲＥ４は、音声制御基板１３との間で電気的に接続される信号配線（音声制御基板配線）を着脱自在に接続可能な配線接続装置の構成を有している。
【００４８】
（特徴部３０ＡＫに関する説明）
図８は、本実施形態の特徴部３０ＡＫに関し、主基板１１における一方の基板面（表面）にて、ＣＰＵ１０３とＲＡＭ１０２とを接続する配線のパターンが形成された部分の構成例を示している。主基板１１では、例えばＲＡＭ１０２とＣＰＵ１０３といった、複数の電気部品を複数の信号配線により接続するために、複数の信号配線を構成する配線のパターンが形成されている。ＣＰＵ１０３は、パチンコ遊技機１における遊技の制御に関して、所定の処理を実行可能に構成された電気部品であり、ＲＡＭ１０２はＣＰＵ１０３による処理の実行に関する情報を記憶可能に構成された電気部品である。
【００４９】
複数の信号配線を構成する配線のパターンに対し、それらの周囲あるいは信号配線間における領域にて、１または複数のグランド導体が配置されている。グランド導体は、基準グランドや特性インピーダンス調整用グランドとして機能し、グランド電圧に維持される。図８に示す構成例では、複数のグランド導体として、複数の信号配線の周囲における領域にグランド導体３０ＡＫ１０Ｇおよびグランド導体３０ＡＫ１１Ｇが配置され、複数の信号配線間における領域にグランド導体３０ＡＫ２０Ｇが配置されている。このように、複数の信号配線を構成する配線のパターンが設けられていない空白領域となる空域部分には、１または複数のグランド導体が設けられていてもよい。これにより、複数の信号配線から放射される電磁波ノイズや信号配線間での電磁波ノイズによる電磁妨害を、防止あるいは抑制できる。
【００５０】
なお、複数の信号配線の周囲および信号配線間における双方の領域に複数のグランド導体が配置されるものに限定されず、複数の信号配線の周囲または信号配線間における一方の領域にのみグランド導体が配置されるものであってもよい。あるいは、このようなグランド導体が配置されないものであってもよい。
【００５１】
図９は、図８に示した複数の信号配線を構成する配線のパターンについて、より詳細に説明するための領域や区間を示している。図９に示す領域３０ＡＫ０１Ｒは、複数の信号配線がＣＰＵ１０３に接続される側の端部における領域である。図９に示す領域３０ＡＫ１０Ｒは、複数の信号配線がいずれも直線形状または略直線形状で互いに平行または略平行な第１形状となる領域であり、図９に示す領域３０ＡＫ１１Ｒと領域３０ＡＫ１２Ｒは、少なくとも一部の信号配線が直線形状および略直線形状とは異なる形状で他の信号配線と平行および略平行ではない第２形状となる領域である。図９に示す区間３０ＡＫ０ＳＣでは、複数の信号配線のうち一部の信号配線が最短または略最短の距離で接続する短距離パターンと短距離パターンに含まれない信号配線が短距離パターンよりも長い距離で接続する長距離パターンとが配置されている。
【００５２】
図１０は、図９に示された領域３０ＡＫ０１Ｒの拡大図である。図１０に示す領域３０ＡＫ０１Ｒにおいて、複数の信号配線を構成する配線のパターンは、パターン３０ＡＫ１０Ｄ〜３０ＡＫ１３Ｄと、パターン３０ＡＫ１０ＣＫと、パターン３０ＡＫ１０ＣＳと、パターン３０ＡＫ１０ＲＳと、パターン３０ＡＫ１０Ａ〜３０ＡＫ１４Ａとを含んでいる。
【００５３】
図１１は、図１０に示された配線のパターンに対応して、信号種類、信号同期の有無、蛇行形状の有無についての設定例を示している。図１１に示す信号種類は、各配線のパターンが構成する信号配線で伝送される電気信号の内容（用途）を示している。図１１に示す信号同期は、他の信号配線で伝送される電気信号に対する同期の有無を示している。図１１に示す蛇行形状は、ＲＡＭ１０２とＣＰＵ１０３との間を接続する各配線のパターンについて、直線形状および略直線形状とは異なる蛇行形状となる部分が設けられているか否かを示している。蛇行形状は、ミアンダ形状やジグザグ形状、あるいは折返し形状とも称され、所定区間における信号配線の延設方向に対し、信号配線が繰り返し折り曲げられることにより、例えば延設方向に直交あるいは略直交する方向に折返し往復する形状であればよい。
【００５４】
図１１に示す設定例において、配線のパターン３０ＡＫ１０Ｄ〜３０ＡＫ１３Ｄは、いずれもデータ信号を伝送するための信号配線を構成する。各信号配線で伝送されるデータ信号は、例えばクロック信号および他の信号配線で伝送されるデータ信号といった、他の信号配線で伝送される信号と同期して伝送される。配線のパターン３０ＡＫ１０ＣＫは、クロック信号を伝送するための信号配線を構成する。クロック信号は、例えばデータ信号やアドレス信号、チップセレクト信号といった、他の信号配線で伝送される信号と同期して伝送される。配線のパターン３０ＡＫ１０ＣＳは、チップセレクト信号を伝送するための信号配線を構成する。チップセレクト信号は、例えばクロック信号といった、他の信号配線で伝送される信号と同期して伝送される。配線のパターン３０ＡＫ１０ＲＳは、リセット信号を伝送するための信号配線を構成する。リセット信号は、他の信号配線で伝送される信号とは同期しない非同期で伝送される。配線のパターン３０ＡＫ１０Ａ〜３０ＡＫ１４Ａは、いずれもアドレス信号を伝送するための信号配線を構成する。各信号配線で伝送されるアドレス信号は、例えばクロック信号および他の信号配線で伝送されるアドレス信号といった、他の信号配線で伝送される信号と同期して伝送される。
【００５５】
他の信号配線で伝送される信号と同期して伝送されるデータ信号、クロック信号、チップセレクト信号、アドレス信号のうちデータ信号を伝送するための信号配線を構成する配線のパターン３０ＡＫ１０Ｄ〜３０ＡＫ１３Ｄには、蛇行形状がない配線のパターン３０ＡＫ１０Ｄが含まれている。配線のパターン３０ＡＫ１０Ｄが構成する信号配線で伝送されるデータ信号とは異なるデータ信号、クロック信号、チップセレクト信号、アドレス信号を伝送するための信号配線を構成する配線のパターンは、少なくとも一部分が直線形状および略直線形状とは異なる形状としての蛇行形状となっている。
【００５６】
配線のパターン３０ＡＫ１０Ｄが構成するデータ信号を伝送するための信号配線は、他のデータ信号、クロック信号、チップセレクト信号、アドレス信号を伝送するための信号配線に比べて、ＲＡＭ１０２とＣＰＵ１０３における接続端子間の距離が長くなっている。そこで、配線のパターン３０ＡＫ１０Ｄが構成する信号配線で伝送されるデータ信号とは異なるデータ信号、クロック信号、チップセレクト信号、アドレス信号を伝送するための信号配線を構成する配線のパターンは、少なくとも一部分が蛇行形状となることにより、各信号配線の配線長が同一または略同一となる。その一方で、配線のパターン３０ＡＫ１０Ｄには蛇行形状を設ける必要がない。
【００５７】
このように、同期信号を伝送するための信号配線のうち複数の電気部品における接続端子間の距離が他の接続端子間の距離と比べて長くなる信号配線は、例えば蛇行形状となる配線部分といった、直線形状および略直線形状とは異なる形状となる配線部分を含まないように、配線のパターンが形成されていればよい。逆にいうと、直線形状または略直線形状などの形状となる一方で蛇行形状のような直線形状および略直線形状とは異なる形状を含まない配線のパターンが構成する信号配線は、蛇行形状のような直線形状および略直線形状とは異なる形状を含む配線のパターンが構成する信号配線と比較して、複数の電気部品における接続端子間の距離が長い。あるいは、同期信号を伝送するための信号配線のうち複数の電気部品における接続端子間の距離が他の接続端子間の距離と比べて長くなる信号配線は、例えば蛇行形状となる配線部分といった、他の信号配線と平行および略平行な形状とは異なる形状となる配線部分を含まないように、配線のパターンが形成されていればよい。逆にいうと、他の信号配線と平行または略平行な形状となる一方で蛇行形状のような平行および略平行な形状とは異なる形状を含まない配線のパターンが構成する信号配線は、蛇行形状のような他の信号配線と平行および略平行な形状とは異なる形状を含む配線のパターンが構成する信号配線と比較して、複数の電気部品における接続端子間の距離が長い。これにより、各信号配線の配線長を同一または略同一とし、複数の信号配線で伝送される信号の遅延時間差（スキュー）が発生することを、防止あるいは抑制できる。複数の信号配線で伝送される信号の遅延時間差を減少させることにより、複数の信号配線で伝送される信号の信頼性を向上させることができる。
【００５８】
配線のパターン３０ＡＫ１０ＲＳには、蛇行形状が設けられていない。配線のパターン３０ＡＫ１０ＲＳは、非同期信号であるリセット信号を伝送するための信号配線を構成する。リセット信号などの非同期信号を伝送する場合には、他の信号配線で伝送される信号との遅延時間差を考慮する必要がない。そこで、リセット信号を伝送するための信号配線を構成する配線のパターン３０ＡＫ１０ＲＳのように、非同期信号が伝送される信号配線を構成する配線のパターンには蛇行形状を設けない。配線のパターンに蛇行形状を設けないようにすれば、配線のパターンを配置する基板面積の増大が抑制されて、基板の小型化を図ることができる。
【００５９】
蛇行形状を設けない配線のパターンとして、グランド電圧に維持されるダミー配線を構成する配線のパターンが配置されてもよい。例えば配線のパターン３０ＡＫ１０ＲＳが構成する信号配線では、リセット信号が伝送されることに代えて、グランド電圧に維持されてもよい。配線のパターン３０ＡＫ１０ＲＳは、データ信号を伝送するための信号配線を構成する配線のパターン３０ＡＫ１０Ｄ〜３０ＡＫ１３Ｄ、クロック信号を伝送するための信号配線を構成する配線のパターン３０ＡＫ１０ＣＫ、チップセレクト信号を伝送するための信号配線を構成する配線のパターン３０ＡＫ１０ＣＳで構成される一群のパターンと、アドレス信号を伝送するための信号配線を構成する配線のパターン３０ＡＫ１０Ａ〜３０ＡＫ１４Ａで構成される一群のパターンとの間に配置されている。配線のパターン３０ＡＫ１０ＲＳのような他の信号配線間に配置される信号配線をグランド電圧に維持されるダミー配線とすることにより、複数の信号配線での電磁波ノイズによる電磁妨害の防止あるいは抑制が図られる。蛇行形状を設けない配線のパターンとしては、グランド電圧に維持されるダミー配線に代えて、あるいはグランド電圧に維持されるダミー配線とともに、電源電圧に維持される配線のパターンが配置されてもよい。例えば配線のパターン３０ＡＫ１０ＲＳが構成する信号配線では、リセット信号が伝送されることに代えて、電源電圧に維持されてもよい。なお、電源電圧に維持される配線のパターンは、他の信号配線を構成する配線のパターンと近接して配置すると、それぞれの信号配線どうしの電磁結合などにより、電磁波ノイズが発生するおそれがある。そこで、電源電圧に維持される配線のパターンを配置する場合には、グランド電圧に維持される配線のパターンを配置する場合と比較して、信号配線からの距離が長くなるように、各配線のパターンが形成されてもよい。これにより、信号配線での電磁波ノイズによる電磁妨害の防止あるいは抑制が図られる。
【００６０】
図１２は、図９に示された領域３０ＡＫ１０Ｒの拡大図である。領域３０ＡＫ１０Ｒには、配線のパターン３０ＡＫ１０ＣＫ、３０ＡＫ１０ＣＳ、３０ＡＫ１０ＲＳ、３０ＡＫ１０Ａ〜１４Ａが形成されている。これらの配線のパターンは、領域３０ＡＫ１０Ｒにおいて、複数の信号配線がいずれも直線形状または略直線形状で互いに平行または略平行な形状となるように形成されている。このように、領域３０ＡＫ１０Ｒでは、複数の信号配線を構成する配線のパターンがいずれも直線形状または略直線形状となるように形成され、複数の信号配線が互いに平行または略平行な形状となるように配線のパターンが形成されている。
【００６１】
図１３は、図９に示された領域３０ＡＫ１１Ｒの拡大図である。領域３０ＡＫ１１Ｒには、領域３０ＡＫ１０Ｒと同じく、配線のパターン３０ＡＫ１０ＣＫ、３０ＡＫ１０ＣＳ、３０ＡＫ１０ＲＳ、３０ＡＫ１０Ａ〜１４Ａが形成されている。これらの配線のパターンは、領域３０ＡＫ１１Ｒにおいて、少なくとも１の信号配線が直線形状または略直線形状となるように形成されている一方で、他の信号配線が直線形状および略直線形状とは異なる形状となるように形成されている。図１３に示す領域３０ＡＫ１１Ｒにおいて、例えばクロック信号を伝送するための信号配線を構成する配線のパターン３０ＡＫ１０ＣＫ、チップセレクト信号を伝送するための信号配線を構成する配線のパターン３０ＡＫ１０ＣＳは、複数の折り曲げ部を含むものの、いずれも直線形状または略直線形状となるように形成されている。また、図１３に示す領域３０ＡＫ１１Ｒにおいて、リセット信号を伝送するための信号配線を構成する配線のパターン３０ＡＫ１０ＲＳは、折り曲げ部を含まない直線形状または略直線形状となるように形成されている。これに対し、図１３に示す領域３０ＡＫ１１Ｒにおいて、アドレス信号を伝送するための信号配線を構成する配線のパターン３０ＡＫ１０Ａ〜３０ＡＫ１４Ａは、複数の折り曲げ部により蛇行形状が形成され、直線形状および略直線形状とは異なる形状となるように形成されている。
【００６２】
蛇行形状が形成される部分では、例えば複数の折り曲げ部を介することにより、信号配線が本来の延設方向に対して直交する方向へと屈曲されていればよい。各折り曲げ部では、信号配線が直角よりも大きい角度（鈍角）をなすように折り曲げられることにより、信号配線の延設方向が変更された配線のパターンが形成されていればよい。この場合に、各折り曲げ部における折り曲げ量は、直角よりも小さい角度となるように、信号配線が折り曲げられる。蛇行形状が形成される部分では、第１延設方向と、この第１延設方向に対して直交または略直交する第２延設方向とに、信号配線を延設可能とし、第１延設方向の信号配線を構成する配線のパターンと、第２延設方向の信号配線を構成する配線のパターンとの間には、複数の折り曲げ部が設けられていればよい。このように、信号配線の折り曲げ量が所定角度よりも小さい角度となる複数の折り曲げ部を介して信号配線の延設方向が変更される。折り曲げ量を小さくすることにより、折り曲げ部における配線のパターン幅が大きく変化してしまうことを抑制し、伝送路の特性インピーダンスが急変することを防止して、複数の信号配線での電磁波ノイズによる電磁妨害の防止あるいは抑制が図られる。
【００６３】
各信号配線では、折り曲げ部の位置が他の信号配線における折り曲げ部の位置から所定長より長い距離となるように、複数の折り曲げ部が配置されていればよい。所定長は、例えば２ｍｍ〜５ｍｍの範囲に含まれる一定長といった、基板設計上の観点から予め定められた長さであればよい。信号配線の折り曲げ部では、特性インピーダンスの変化などにより、電磁波ノイズが発生しやすくなる。複数の信号配線に含まれる１の信号配線を構成する配線のパターンが形成する折り曲げ部は、複数の信号配線に含まれる他の信号配線を構成する配線のパターンが形成する折り曲げ部と接近して配置されると、各信号配線で伝送される信号が電磁波ノイズの影響を受けやすくなるおそれがある。そこで、複数の信号配線に含まれる１の信号配線を構成する配線のパターンが形成する折り曲げ部と、複数の信号配線に含まれる他の信号配線を構成する配線のパターンが形成する折り曲げ部とが、所定長より長い距離となるように間隔をあけて配置することにより、複数の信号配線での電磁波ノイズによる電磁妨害の防止あるいは抑制が図られる。
【００６４】
また、領域３０ＡＫ１１Ｒでは、少なくとも１の信号配線が平行および略平行とは異なる形状となるように形成されている。図１３に示す領域３０ＡＫ１１Ｒにおいて、例えばクロック信号を伝送するための信号配線を構成する配線のパターン３０ＡＫ１０ＣＫと、チップセレクト信号を伝送するための信号配線を構成する配線のパターン３０ＡＫ１０ＣＳは、いずれも複数の折り曲げ部を介しながら、全体として互いの信号配線が平行または略平行な形状となるように形成されている。これに対し、図１３に示す領域３０ＡＫ１１Ｒにおいて、アドレス信号を伝送するための信号配線を構成する配線のパターン３０ＡＫ１０Ａ〜３０ＡＫ１４Ａは、複数の折り曲げ部により蛇行形状が形成されているので、全体として互いの信号配線が平行または略平行とは異なる形状となるように形成されている。
【００６５】
図１３に示す領域３０ＡＫ１１Ｒでは、複数の信号配線のうち少なくとも１の信号配線が、平行および略平行な形状とは異なる蛇行形状などの形状となっている。この領域３０ＡＫ１１Ｒにおいて、信号配線を構成する配線のパターンに近接するスペース領域３０ＡＫ０ＳＰには、少なくとも信号配線と同一の基板上で導体が設けられていない。スペース領域３０ＡＫ０ＳＰは、例えばアドレス信号を伝送するための信号配線を構成する配線のパターン３０ＡＫ１０Ａ〜３０ＡＫ１４Ａのうち領域３０ＡＫ１１Ｒにて蛇行形状が設けられた配線のパターン３０ＡＫ１０Ａ〜３０ＡＫ１３Ａに近接している。スペース領域３０ＡＫ０ＳＰには導体が設けられていないことにより、複数の信号配線での電磁波ノイズによる電磁妨害の防止あるいは抑制が図られる。蛇行形状となる配線のパターンに近接する領域に導体が設けられている場合には、信号配線から電磁波が放射される可能性があり、信号配線と導体との電磁結合などにより、電磁波ノイズが発生するおそれがある。そこで、例えばスペース領域３０ＡＫ０ＳＰのように、蛇行形状が設けられた配線のパターンに近接する領域には導体が設けられないことで、複数の信号配線での電磁波ノイズによる電磁妨害の防止あるいは抑制が図られる。
【００６６】
図１４は、多層配線基板として形成された主基板１１の構成例を示す断面図である。図１４に示す主基板１１は、合成樹脂を重ねて形成された多層構造を有し、各層の表面または内層には様々な配線のパターンを形成可能とされている。このような多層構造を有する主基板１１に形成された配線のパターンを介して、例えばＲＡＭ１０２とＣＰＵ１０３といった、複数の電子部品が電気的に接続される。図１４に示す主基板１１の多層構造は、表面層３０ＡＫ１Ｓと、グランド層３０ＡＫ１Ｌと、電源層３０ＡＫ２Ｌと、配線層３０ＡＫ３Ｌと、電源層３０ＡＫ４Ｌと、裏面層３０ＡＫ２Ｓとを含んでいる。
【００６７】
主基板１１における一方の基板面となる表面には、表面層３０ＡＫ１Ｓが設けられ、信号配線を構成する配線のパターン３０ＡＫ１０Ｐおよびパターン３０ＡＫ１１Ｐが形成されている。主基板１１における他方の基板面となる裏面には、裏面層３０ＡＫ２Ｓが設けられ、信号配線を構成する配線のパターン３０ＡＫ２０Ｐが形成されている。主基板１１の表面層３０ＡＫ１Ｓに形成された配線のパターン３０ＡＫ１０Ｐは、主基板１１の表面層３０ＡＫ１Ｓおよび裏面層３０ＡＫ２Ｓを貫通するスルーホール３０ＡＫ１Ｈを介して、裏面層３０ＡＫ２Ｓに形成された配線のパターン３０ＡＫ２０Ｐと電気的に接続されている。主基板１１の表面層３０ＡＫ１Ｓに形成された配線のパターン３０ＡＫ１１Ｐは、主基板１１の表面層３０ＡＫ１Ｓおよび裏面層３０ＡＫ２Ｓを貫通するスルーホール３０ＡＫ２Ｈを介して、裏面層３０ＡＫ２Ｓに形成された配線のパターン３０ＡＫ２０Ｐと電気的に接続されている。このように、主基板１１には、一方の基板面となる表面に設けられた表面層３０ＡＫ１Ｓにおいて信号配線を構成する配線のパターン３０ＡＫ１０Ｐおよびパターン３０ＡＫ１１Ｐと、他方の基板面となる裏面に設けられた裏面層３０ＡＫ２Ｓにおいて信号配線を構成する配線のパターン３０ＡＫ２０Ｐとを、電気的に接続可能なスルーホール３０ＡＫ１Ｈおよびスルーホール３０ＡＫ２Ｈが設けられている。
【００６８】
図１４に示すＲＡＭ１０２とＣＰＵ１０３を接続する複数の信号配線に含まれる各信号配線の配線長は、表面層３０ＡＫ１Ｓに形成された配線のパターン３０ＡＫ１０Ｐおよびパターン３０ＡＫ１１Ｐと、裏面層３０ＡＫ２Ｓに形成された配線のパターン３０ＡＫ２０Ｐとが構成する信号配線の配線長だけでなく、スルーホール３０ＡＫ１Ｈおよびスルーホール３０ＡＫ２Ｈの長さを含めて、同一または略同一となる。図１４に示す多層構造を有する主基板１１において、スルーホール３０ＡＫ１Ｈおよびスルーホール３０ＡＫ２Ｈの長さを含めて、各信号配線の配線長を同一または略同一とし、複数の信号配線で伝送される信号の遅延時間差が発生することを、防止あるいは抑制できる。主基板１１のような多層配線基板において複数の信号配線で伝送される信号の遅延時間差を減少させることにより、複数の信号配線で伝送される信号の信頼性を向上させることができる。
【００６９】
図１４に示す多層構造を有する主基板１１において、表面層３０ＡＫ１Ｓに隣接する導体層として、グランド層３０ＡＫ１Ｌが設けられている。グランド層３０ＡＫ１Ｌには、１または複数のグランド導体が配置され、グランド導体はグランド電圧に維持される。表面層３０ＡＫ１Ｓにおいて信号配線を構成する配線のパターン３０ＡＫ１０Ｐおよびパターン３０ＡＫ１１Ｐは、少なくともいずれか一方のパターンにおいて、蛇行形状といった、直線形状および略直線形状とは異なる形状で複数の信号配線が平行および略平行な形状とは異なる形状となる領域を含むように形成されていればよい。このような表面層３０ＡＫ１Ｓに隣接する導体層としてのグランド層３０ＡＫ１Ｌでは、信号の伝送が行われない。配線のパターン３０ＡＫ１０Ｐおよびパターン３０ＡＫ１１Ｐが形成された表面層３０ＡＫ１Ｓに隣接する導体層で信号の伝送が行われないので、配線のパターン３０ＡＫ１０Ｐおよびパターン３０ＡＫ１１Ｐが構成する複数の信号配線で伝送される信号が電磁波ノイズの影響を受けにくくなり、他の信号配線に電磁波ノイズの影響が及ぶことも、防止あるいは抑制できる。
【００７０】
図１４に示す多層構造を有する主基板１１の裏面層３０ＡＫ２Ｓにおいて信号配線を構成する配線のパターン３０ＡＫ２０Ｐが、蛇行形状といった、直線形状および略直線形状とは異なる形状で複数の信号配線が平行および略平行な形状とは異なる形状となる領域を含むように形成されてもよい。このような裏面層３０ＡＫ２Ｓに隣接する導体層としての電源層３０ＡＫ４Ｌでは、信号の伝送が行われない。電源層３０ＡＫ４Ｌには、１または複数の電源導体が配置され、電源導体は電源電圧に維持される。配線のパターン３０ＡＫ２０Ｐが形成された裏面層３０ＡＫ２Ｓに隣接する導体層で信号の伝送が行われないので、配線のパターン３０ＡＫ２０Ｐが構成する複数の信号配線で伝送される信号が電磁波ノイズの影響を受けにくくなり、他の信号配線に電磁波ノイズの影響が及ぶことも、防止あるいは抑制できる。主基板１１のような多層配線基板において複数の信号配線が設けられる層に隣接する導体層では信号の伝送が行われないことにより、複数の信号配線での電磁波ノイズによる電磁妨害の防止あるいは抑制が図られる。
【００７１】
図１４に示す多層構造を有する主基板１１の配線層３０ＡＫ３Ｌにおいて信号配線を構成する配線のパターンが、蛇行形状といった、直線形状および略直線形状とは異なる形状で複数の信号配線が平行および略平行な形状とは異なる形状となる領域を含むように形成されてもよい。このような配線層３０ＡＫ３Ｌに隣接する導体層としての電源層３０ＡＫ２Ｌや電源層３０ＡＫ４Ｌでは、信号の伝送が行われない。主基板１１のような多層配線基板において複数の信号配線が設けられる配線層３０ＡＫ３Ｌに隣接する導体層では信号の伝送が行われないことにより、複数の信号配線での電磁波ノイズによる電磁妨害の防止あるいは抑制が図られる。ただし、多層配線基板に設けられた内層の導体層である配線層３０ＡＫ３Ｌにおいて信号配線を構成する配線のパターンが蛇行形状などの形状となる領域を含むように形成された場合には、信号配線の断線などによる障害が発生した場合に、配線層３０ＡＫ３Ｌにおける信号配線の状態を基板の外部から確認することが困難になるおそれがある。これに対し、主基板１１の表面層３０ＡＫ１Ｓや裏面層３０ＡＫ２Ｓといった、主基板１１が備える一方の基板面や他方の基板面において信号配線を構成する配線のパターンが蛇行形状などの形状となる領域を含むように形成された場合には、信号配線の断線などによる障害が発生した場合に、表面層３０ＡＫ１Ｓや裏面層３０ＡＫ２Ｓにおける信号配線の状態を基板の外部から確認しやすい適切な基板構成が可能になる。
【００７２】
主基板１１の表面層３０ＡＫ１Ｓおよび裏面層３０ＡＫ２Ｓを貫通するスルーホールは、図１４に示すスルーホール３０ＡＫ１Ｈおよびスルーホール３０ＡＫ２Ｈに限定されず、より多くのスルーホールが設けられ、複数の信号配線における各信号配線の配線長を同一または略同一にするために用いられてもよい。複数の信号配線を構成する配線のパターンのうちには、スルーホール３０ＡＫ１Ｈおよびスルーホール３０ＡＫ２Ｈのようなスルーホールを介することなく、例えば主基板１１の表面層３０ＡＫ１Ｓのみに信号配線が配置されるように形成されたパターンが含まれてもよい。配線のパターン３０ＡＫ１０Ｄが構成するデータ信号を伝送するための信号配線といった、複数の電気部品における接続端子間の距離が他の接続端子間の距離と比べて長くなる信号配線は、スルーホール３０ＡＫ１Ｈおよびスルーホール３０ＡＫ２Ｈのようなスルーホールを介することなく、主基板１１の表面層３０ＡＫ１Ｓのみに信号配線が配置されてもよい。逆にいうと、表面層３０ＡＫ１Ｓなど１の導体層にてスルーホールを介することなく形成された配線のパターンが構成する信号配線は、表面層３０ＡＫ１Ｓおよび裏面層３０ＡＫ２Ｓなど複数の導体層にてスルーホールを介して電気的に接続可能となるように形成された配線のパターンが構成する信号配線と比較して、複数の電気部品における接続端子間の距離が長い。
【００７３】
複数の信号配線が隣接して設けられる場合には、図１３に示したスペース領域３０ＡＫ０ＳＰのように、小さな空白領域が形成される。この空白領域にスルーホールを設け、例えばグランド層３０ＡＫ１Ｌといった他の導体層と電気的に接続されるように、銅などの導電材料が埋設されたスルーホール電極を有する構成とすることも考えられる。空白領域にスルーホール電極のような導体が設けられる構成では、例えば空白領域における電界分布を安定させるために、多数のスルーホール電極が配置される場合もある。この場合には、主基板１１の表面層３０ＡＫ１Ｓのみでなく、裏面層３０ＡＫ２Ｓにも、例えばバンプといった、スルーホール電極に対応する構造物が配置され、基板上における配線パターンの設計が制約されるという不都合が生じるおそれがある。また、多層配線基板に設けられた内層の導体層であるグランド層３０ＡＫ１Ｌや電源層３０ＡＫ２Ｌ、３０ＡＫ４Ｌなどでは、スルーホール電極が設けられる場合に、そのスルーホール電極の周囲では導体層のパターンを除去することになり、グランド層３０ＡＫ１Ｌや電源層３０ＡＫ２Ｌ、３０ＡＫ４Ｌなど内層の導体層におけるパターンが分断され、導体層におけるパターンの設計が困難になるという不都合が生じるおそれがある。さらに、スルーホール電極に代えて、例えばダミーパッドのような導体が空白領域に設けられ、他の導体層とは接続されないような構成では、この導体が外部からの電磁波ノイズによる影響を受けたり、この導体が複数の信号配線に電磁波ノイズの影響を及ぼしたりして、電磁妨害などの悪影響を与える不都合が生じるおそれがある。これに対し、信号配線を構成する配線のパターンに近接するスペース領域３０ＡＫ０ＳＰには、導体が設けられないことにより、これらの不都合が生じることを、防止あるいは抑制できる。
【００７４】
その他、図１３に示したスペース領域３０ＡＫ０ＳＰのように、複数の信号配線が隣接して設けられる場合に形成される空白領域には、例えば基板固定用のネジ穴といった、基板の構成材料とは異なる材料が用いられる構造物が設けられないようにしてもよい。基板固定用のネジ穴が設けられた場合には、ネジ止めにより基板を固定した場合に、ネジの構成材料が外部からの電磁波ノイズによる影響を受け、他の信号配線にも電磁妨害などの悪影響を与える不都合が生じるおそれがある。また、基板に含まれる絶縁層とは誘電率が異なる合成樹脂や誘電材料を用いた構造物、あるいは基板に含まれる導体層とは電気伝導率が異なる合成樹脂や金属材料を用いた構造物が、複数の信号配線に近接した空白領域に設けられた場合には、これらの構造物が外部からの電磁波ノイズによる影響を受けたり、これらの構造物が複数の信号配線に電磁波ノイズの影響を及ぼしたりして、電磁妨害などの悪影響を与える不都合が生じるおそれがある。これに対し、信号配線を構成する配線のパターンに近接するスペース領域３０ＡＫ０ＳＰなどの空白領域には、基板の構成材料とは異なる材料を用いた構造物が設けられないことにより、これらの不都合が生じることを、防止あるいは抑制できる。
【００７５】
図９に示す区間３０ＡＫ０ＳＣでは、データ信号を伝送するための複数の信号配線を形成する配線のパターン３０ＡＫ１０Ｄ〜３０ＡＫ１３Ｄのうち１のパターン３０ＡＫ１３Ｄが、蛇行形状といった、直線形状および略直線形状とは異なる形状で他の信号配線と平行および略平行な形状とは異なる形状となる信号配線の部分を含むように形成されている。これに対し、少なくともパターン３０ＡＫ１０Ｄおよびパターン３０ＡＫ１１Ｄは、区間３０ＡＫ０ＳＣにて、蛇行形状を含むことなく、直線形状または略直線形状で互いの信号配線が平行または略平行な形状となるように形成されている。したがって、パターン３０ＡＫ１０Ｄおよびパターン３０ＡＫ１１Ｄは、信号配線が区間３０ＡＫ０ＳＣを最短または略最短で接続するパターンとなる。これに対し、パターン３０ＡＫ１２Ｄおよびパターン３０ＡＫ１３Ｄは、信号配線が区間３０ＡＫ０ＳＣをパターン３０ＡＫ１０Ｄおよびパターン３０ＡＫ１１Ｄよりも長い距離で接続するパターンとなる。
【００７６】
区間３０ＡＫ０ＳＣにて、パターン３０ＡＫ１３Ｄが構成する信号配線が蛇行形状などの直線形状および略直線形状とは異なる形状となっている部分では、他のパターン３０ＡＫ１０Ｄ〜パターン３０ＡＫ１２Ｄが構成する信号配線は直線形状または略直線形状となるように形成されている。このように、複数の信号配線を構成する配線のパターンのうち１の配線のパターンにより構成される信号配線が蛇行形状などの直線形状および略直線形状とは異なる形状となっている部分では、他の配線のパターンにより構成される信号配線が直線形状または略直線形状となるように形成されてもよい。１の配線のパターンにより構成される信号配線が蛇行形状などの直線形状および略直線形状とは異なる形状となる部分は、他の配線のパターンにより構成される信号配線が直線形状または略直線形状となる部分と重複しないように形成されてもよい。蛇行形状などの直線形状および略直線形状とは異なる形状となる部分が、複数の信号配線について重複しないように配線のパターンが形成されることにより、配線のパターンを配置する基板面積の増大が抑制されて、基板の小型化を図ることができる。
【００７７】
図１５は、複数の信号配線が蛇行形状となる部分が重複しない配線のパターンについて、他の形成例を示している。図１５に示す領域３０ＡＫ２０Ｒでも、複数の信号配線を構成する配線のパターンのうち１の配線パターンにより構成される信号配線が蛇行形状となっている部分では、他の配線のパターンにより構成される信号配線が直線形状または略直線形状となるように形成されている。そして、第１配線のパターンにより構成される第１信号配線が蛇行形状となる部分である第１蛇行部が終了すると、第１配線のパターンとは異なる第２配線のパターンにより構成される第２信号配線が蛇行形状となる部分である第２蛇行部が開始されるように、複数の信号配線を構成する配線のパターンが形成されている。第１蛇行部では、第１信号配線以外の信号配線を構成する配線のパターンとして、第２信号配線を構成する第２配線のパターンを含めた配線のパターンは、各パターンにより構成される信号配線が平行または略平行な形状となるように形成されていればよい。第２蛇行部では、第２信号配線以外の信号配線を構成する配線のパターンとして、第１信号配線を構成する第１配線のパターンを含めた配線のパターンは、各パターンにより構成される信号配線が平行または略平行な形状となるように形成されていればよい。第１蛇行部が終了してから第２蛇行部が開始されるので、第１蛇行部は第２蛇行部と重複しないように配置されている。これにより、多数の信号配線について蛇行形状などの直線形状および略直線形状とは異なる形状となる部分を設けた場合でも、配線のパターンを配置する基板面積の増大が可及的に抑制されて、基板の小型化を図ることができる。
【００７８】
（特徴部４２ＡＫに関する説明）
図１６は、本実施形態の特徴部４２ＡＫに関し、配線のパターンにより構成される複数の信号配線が形成された部分の構成例を示している。図１６に示す配線のパターンは、例えば主基板１１にて、ＲＡＭ１０２とＣＰＵ１０３といった、複数の電気部品を接続する複数の信号配線を構成するものであればよい。図１６に示す構成例では、複数の信号配線を構成する配線のパターンとして、２つの信号配線を構成する配線のパターンが示されている。図１６（Ａ）は配線間隔Ｗ１が配線間隔Ｗ２よりも狭いＷ１＜Ｗ２の場合を示し、図１６（Ｂ）は配線間隔Ｗ１が配線間隔Ｗ２よりも広いＷ１＞Ｗ２の場合を示している。配線間隔Ｗ１は、同一の信号配線が蛇行形状となる部分における配線のパターンによる配線間隔である。配線間隔Ｗ２は、平行または略平行に隣接して互いに異なる信号配線を構成する配線のパターンどうしによる配線間隔である。
【００７９】
図１６（Ａ）に示す２つの信号配線を構成する配線のパターンは、配線の第１パターン４２ＡＫ１０と、配線の第２パターン４２ＡＫ１１とを含んでいる。配線の第１パターン４２ＡＫ１０および配線の第２パターン４２ＡＫ１１は、それらの配線のパターンにより構成される信号配線の形状に応じて、配線部４２ＡＫ１Ｚと、配線部４２ＡＫ２Ｚとが含まれるように、各信号配線を形成している。
【００８０】
配線部４２ＡＫ１Ｚでは、配線の第１パターン４２ＡＫ１０により構成される信号配線が第２形状部４２ＡＫ１０Ｍを形成し、配線の第２パターン４２ＡＫ１１により構成される信号配線が第１形状部４２ＡＫ１１Ｌを形成している。配線部４２ＡＫ２Ｚでは、配線の第１パターン４２ＡＫ１０により構成される信号配線が第１形状部４２ＡＫ１０Ｌを形成し、配線の第２パターン４２ＡＫ１１により構成される信号配線が第２形状部４２ＡＫ１１Ｍを形成している。第１形状部４２ＡＫ１０Ｌ、４２ＡＫ１１Ｌは、信号配線が直線形状または略直線形状の第１形状となるように形成されている。第２形状部４２ＡＫ１０Ｍ、４２ＡＫ１１Ｍは、信号配線が蛇行形状といった、直線形状および略直線形状とは異なる第２形状となるように形成されている。なお、第２形状部４２ＡＫ１０Ｍ、４２ＡＫ１１Ｍは、蛇行形状に限定されず、直線形状および略直線形状とは異なる任意の形状となるように形成されていればよい。
【００８１】
このように、配線の第１パターン４２ＡＫ１０および配線の第２パターン４２ＡＫ１１により構成される複数の信号配線は、配線部４２ＡＫ１Ｚにて、配線の第２パターン４２ＡＫ１１により構成される信号配線が、直線形状または略直線形状の第１形状となる第１形状部４２ＡＫ１１Ｌに対応して、配線の第１パターン４２ＡＫ１０により構成される信号配線が、第１形状部４２ＡＫ１１Ｌとは異なる蛇行形状などの第２形状となる第２形状部４２ＡＫ１０Ｍを含んでいる。すなわち、配線部４２ＡＫ１Ｚでは、配線の第２パターン４２ＡＫ１１により構成される信号配線における第１形状部４２ＡＫ１１Ｌに対応して、配線の第１パターン４２ＡＫ１０により構成される信号配線が第２形状部４２ＡＫ１１Ｍを含んでいる。
【００８２】
また、配線の第１パターン４２ＡＫ１０および配線の第２パターン４２ＡＫ１１により構成される複数の信号配線は、配線部４２ＡＫ２Ｚにて、配線の第１パターン４２ＡＫ１０により構成される信号配線が、直線形状または略直線形状の第１形状となる第１形状部４２ＡＫ１０Ｌに対応して、配線の第２パターン４２ＡＫ１１により構成される信号配線が、第１形状部４２ＡＫ１０Ｌとは異なる蛇行形状などの第２形状となる第２形状部４２ＡＫ１１Ｍを含んでいる。すなわち、配線部４２ＡＫ２Ｚでは、配線の第１パターン４２ＡＫ１０により構成される信号配線における第１形状部４２ＡＫ１０Ｌに対応して、配線の第２パターン４２ＡＫ１１により構成される信号配線が第２形状部４２ＡＫ１１Ｍを含んでいる。
【００８３】
図１６（Ａ）に示す信号配線が蛇行形状などの第２形状となる第２形状部４２ＡＫ１０Ｍおよび第２形状部４２ＡＫ１１Ｍは、第２形状部４２ＡＫ１０Ｍが配線部４２ＡＫ１Ｚに含まれ、第２形状部４２ＡＫ１１Ｍが配線部４２ＡＫ２Ｚに含まれるように形成されている。これにより、第２形状部４２ＡＫ１０Ｍおよび第２形状部４２ＡＫ１１Ｍは、それぞれの配置が互いに重複しない。加えて、各信号配線の配線長は同一または略同一となるように形成されている。このような第２形状部４２ＡＫ１０Ｍと第２形状部４２ＡＫ１１Ｍとが含まれるように、配線の第１パターン４２ＡＫ１０および配線の第２パターン４２ＡＫ１１により構成される信号配線が形成されているので、配線のパターンを配置する基板面積の増大が抑制されて、基板の小型化を図ることができる。
【００８４】
図１６（Ｂ）に示す２つの信号配線を構成する配線のパターンは、配線の第３パターン４２ＡＫ１２と、配線の第４パターン４２ＡＫ１３とを含んでいる。配線の第３パターン４２ＡＫ１２および配線の第４パターン４２ＡＫ１３は、それらの配線のパターンにより構成される信号配線の形状に応じて、配線部４２ＡＫ３Ｚと、配線部４２ＡＫ４Ｚとが含まれるように、各信号配線を形成している。
【００８５】
配線の第３パターン４２ＡＫ１２および配線の第４パターン４２ＡＫ１３により構成される信号配線は、配線部４２ＡＫ３Ｚにて、配線の第４パターン４２ＡＫ１３により構成される信号配線が、直線形状または略直線形状の第１形状となる第１形状部４２ＡＫ１３Ｌに対応して、配線の第３パターン４２ＡＫ１２により構成される信号配線が、第１形状部４２ＡＫ１３Ｌとは異なる蛇行形状などの第２形状となる第２形状部４２ＡＫ１２Ｍを含んでいる。すなわち、配線部４２ＡＫ３Ｚでは、配線の第４パターン４２ＡＫ１３により構成される信号配線における第１形状部４２ＡＫ１３Ｌに対応して、配線の第３パターン４２ＡＫ１２により構成される信号配線が第２形状部４２ＡＫ１２Ｍを含んでいる。
【００８６】
また、配線の第３パターン４２ＡＫ１２および配線の第４パターン４２ＡＫ１３により構成される信号配線は、配線部４２ＡＫ４Ｚにて、配線の第３パターン４２ＡＫ１２により構成される信号配線が、直線形状または略直線形状の第１形状となる第１形状部４２ＡＫ１２Ｌに対応して、配線の第４パターン４２ＡＫ１３により構成される信号配線が、第１形状部４２ＡＫ１２Ｌとは異なる蛇行形状などの第２形状となる第２形状部４２ＡＫ１３Ｍを含んでいる。すなわち、配線部４２ＡＫ４Ｚでは、配線の第３パターン４２ＡＫ１２により構成される信号配線における第１形状部４２ＡＫ１２Ｌに対応して、配線の第４パターン４２ＡＫ１３により構成される信号配線が第２形状部４２ＡＫ１３Ｍを含んでいる。
【００８７】
図１６（Ｂ）に示す信号配線が蛇行形状などの第２形状となる第２形状部４２ＡＫ１２Ｍおよび第２形状部４２ＡＫ１３Ｍは、第２形状部４２ＡＫ１２Ｍが配線部４２ＡＫ３Ｚに含まれ、第２形状部４２ＡＫ１３Ｍが配線部４２ＡＫ４Ｚに含まれるように形成されている。これにより、第２形状部４２ＡＫ１２Ｍおよび第２形状部４２ＡＫ１３Ｍは、それぞれの配置が互いに重複しない。加えて、各信号配線の配線長は同一または略同一となるように形成されている。このような第２形状部４２ＡＫ１２Ｍと第２形状部４２ＡＫ１３Ｌとが含まれるように、配線の第３パターン４２ＡＫ１２および配線の第４パターン４２ＡＫ１３により構成される信号配線が形成されているので、配線のパターンを配置する基板面積の増大が抑制されて、基板の小型化を図ることができる。
【００８８】
図１６（Ａ）に示す構成例では、配線間隔Ｗ１よりも配線間隔Ｗ２の方が広くなるように、各信号配線が形成されている。例えば第２形状部４２ＡＫ１０Ｍや第２形状部４２ＡＫ１１Ｍでは、折り曲げ部により折り返された同一の信号配線が配線間隔Ｗ１で往復する蛇行形状を形成しているのに対し、配線の第１パターン４２ＡＫ１０により構成される信号配線と配線の第２パターン４２ＡＫ１１により構成される信号配線とが互いに平行または略平行であるときに隣接する信号配線どうしの配線間隔Ｗ２は、配線間隔Ｗ１よりも広くなるように、各信号配線が形成されている。このように、同一の信号配線における配線間隔Ｗ１よりも隣接する信号配線どうしの配線間隔Ｗ２の方が広くなるので、１の信号配線にて発生した短絡などによる悪影響が、他の信号配線にて伝送される信号に及ぶことを、防止あるいは抑制できる。
【００８９】
図１６（Ｂ）に示す構成例では、配線間隔Ｗ１よりも配線間隔Ｗ２の方が狭くなるように、各信号配線が形成されている。例えば第２形状部４２ＡＫ１２Ｍや第２形状部４２ＡＫ１３Ｍでは、折り曲げ部により折り返された同一の信号配線が配線間隔Ｗ１で往復する蛇行形状を形成しているのに対し、配線の第３パターン４２ＡＫ１２により構成される信号配線と配線の第４パターン４２ＡＫ１３により構成される信号配線とが互いに平行または略平行であるときに隣接する信号配線どうしの配線間隔Ｗ２は、配線間隔Ｗ１よりも狭くなるように、各信号配線が形成されている。このように、同一の信号配線における配線間隔Ｗ１よりも隣接する信号配線どうしの配線間隔Ｗ２の方が狭くなるので、１の信号配線の内部における短絡よりも、１の信号配線と他の信号配線との間における短絡の方が、発生しやすくなる。１の信号配線と他の信号配線との間で発生した短絡は、各信号配線に設けられたテストポイントを用いて容易に検出することができる。例えば各信号配線に設けられたテストポイントにテストプローブを接触させて信号配線の電気特性検査を行うことにより、１の信号配線と他の信号配線との間で発生した短絡を検出することができる。
【００９０】
図１６（Ａ）に示すように、一方では、配線の第２パターン４２ＡＫ１１により構成される信号配線が第１形状部４２ＡＫ１１Ｌを形成している配線部４２ＡＫ１Ｚに対応して、配線の第１パターン４２ＡＫ１０により構成される信号配線が第２形状部４２ＡＫ１０Ｍを形成している。他方では、配線の第１パターン４２ＡＫ１０により構成される信号配線が第１形状部４２ＡＫ１０Ｌを形成している配線部４２ＡＫ１Ｚに対応して、配線の第２パターン４２ＡＫ１１により構成される信号配線が第２形状部４２ＡＫ１１Ｍを形成している。図１６（Ｂ）に示すように、一方では、配線の第４パターン４２ＡＫ１３により構成される信号配線が第１形状部４２ＡＫ１３Ｌを形成している配線部４２ＡＫ３Ｚに対応して、配線の第３パターン４２ＡＫ１２により構成される信号配線が第２形状部４２ＡＫ１２Ｍを形成している。他方では、配線の第３パターン４２ＡＫ１２により構成される信号配線が第１形状部４２ＡＫ１２Ｌを形成している配線部４２ＡＫ４Ｚに対応して、配線の第４パターン４２ＡＫ１３により構成される信号配線が第２形状部４２ＡＫ１３Ｍを形成している。各配線のパターンにより構成される各信号配線の対応関係は、例えば主基板１１などの基板面に垂直な方向からみて、上下関係、左右関係、あるいは所定距離未満の範囲内といった、予め定めた任意の位置範囲内にある信号配線であれば成立し、そのような位置範囲内にない信号配線であれば不成立となる関係であればよい。
【００９１】
図１６（Ａ）や図１６（Ｂ）に示す例では、１の配線のパターンにより構成される信号配線における第１形状部に対応して他の配線のパターンにより構成される信号配線が第２形状を形成している配線部と、他の配線のパターンにより構成される信号配線における第１形状部に対応して１の配線のパターンにより構成される信号配線が第２形状を形成している配線部とにおいて、配線間隔Ｗ１が共通であり配線間隔Ｗ２も共通となるように、各信号配線が形成されている。より具体的には、図１６（Ａ）に示す配線の第２パターン４２ＡＫ１１により構成される信号配線における第１形状部４２ＡＫ１１Ｌに対応して、配線の第１パターン４２ＡＫ１０により構成される信号配線が第２形状部４２ＡＫ１０Ｍを形成している配線部４２ＡＫ１Ｚと、配線の第１パターン４２ＡＫ１０により構成される信号配線における第１形状部４２ＡＫ１０Ｌに対応して、配線の第２パターン４２ＡＫ１１により構成される信号配線が第２形状部４２ＡＫ１１Ｍを形成している配線部４２ＡＫ２Ｚとにおいて、配線間隔Ｗ１が共通（一定）であり配線間隔Ｗ２も共通（一定）となるように、各信号配線が形成されている。これにより、基板面における配線のパターン設計が容易になる。また、複数の信号配線における形状の相違が抑制されるので、各信号配線における特性インピーダンスのばらつきを抑制して、複数の信号配線における信号品質の均質化が図られる。
【００９２】
なお、１の配線のパターンにより構成される信号配線における第１形状部に対応して他の配線のパターンにより構成される信号配線が第２形状を形成している配線部と、他の配線のパターンにより構成される信号配線における第１形状部に対応して１の配線のパターンにより構成される信号配線が第２形状を形成している配線部とでは、配線間隔Ｗ１と配線間隔Ｗ２の一方または双方が相違するように、各信号配線が形成されてもよい。例えば図１６（Ａ）に示す配線部４２ＡＫ１Ｚと配線部４２ＡＫ２Ｚとにおいて、配線間隔Ｗ２は共通とする一方で、配線間隔Ｗ１は配線部４２ＡＫ１Ｚよりも配線部４２ＡＫ２Ｚの方が広くなるように、各信号配線が形成されてもよい。こうした場合には、基板面における配線のパターン設計を柔軟に行うことができる。
【００９３】
図１７は、配線のパターンにより構成される複数の信号配線における第２形状部が異なる方向に形成されている構成例を示している。図１７（Ａ）に示す構成例では、複数の信号配線を構成する配線のパターンとして、３つの信号配線を構成する配線のパターンが示されている。図１７（Ｂ）に示す構成例では、複数の信号配線を構成する配線のパターンとして、４つの信号配線を構成する配線のパターンが示されている。
【００９４】
図１７（Ａ）に示す３つの信号配線を構成する配線のパターンは、配線の第１パターン４２ＡＫ２０、配線の第２パターン４２ＡＫ２１、配線の第３パターン４２ＡＫ２２を含んでいる。配線の第１パターン４２ＡＫ２０により構成される信号配線は、第２形状部４２ＡＫ２０Ｍを形成する部分を含んでいる。配線の第２パターン４２ＡＫ２１により構成される信号配線は、第２形状部４２ＡＫ２１Ｍを形成する部分を含んでいる。配線の第３パターン４２ＡＫ２２により構成される信号配線は、第２形状部４２ＡＫ２２Ｍを形成する部分を含んでいる。第２形状部４２ＡＫ２０Ｍおよび第２形状部４２ＡＫ２１Ｍは、例えば左右方向といった、第１方向に折返し往復する蛇行形状を有している。これに対し、第２形状部４２ＡＫ２２Ｍは、例えば上下方向といった、第１方向とは異なる第２方向に折返し往復する蛇行形状を有している。なお、それぞれの第２形状部は、蛇行形状に限定されず、直線形状および略直線形状とは異なる任意の形状となるように形成されていればよい。
【００９５】
このように、配線の第１パターン４２ＡＫ２０により構成される信号配線における第２形状部４２ＡＫ２０Ｍは、配線の第２パターン４２ＡＫ２１により構成される信号配線における第２形状部４２ＡＫ２１Ｍと共通（平行）な第１方向に形成されている。これに対し、配線の第３パターン４２ＡＫ２２により構成される信号配線における第２形状部４２ＡＫ２２Ｍは、配線の第１パターンにより構成される第２形状部４２ＡＫ２０Ｍや配線の第２パターンにより構成される第２形状部４２ＡＫ２１Ｍが形成される第１方向とは異なる第２方向に形成されている。複数の信号配線において異なる方向に第２形状部が形成されるようにしたことにより、基板面における配線のパターン設計を容易かつ柔軟に行うことができる。また、配線のパターンを配置する基板面積の増大が抑制されて、基板の小型化を図ることができる。
【００９６】
図１７（Ｂ）に示す４つの信号配線を構成する配線のパターンは、配線の第４パターン４２ＡＫ２３、配線の第５パターン４２ＡＫ２４、配線の第６パターン４２ＡＫ２５、配線の第７パターン４２ＡＫ２６を含んでいる。配線の第４パターン４２ＡＫ２３により構成される信号配線は、２つの第２形状部４２ＡＫ２３Ｍ１、４２ＡＫ２３Ｍ２を形成する部分を含んでいる。配線の第５パターン４２ＡＫ２４により構成される信号配線は、１つの第２形状部４２ＡＫ２４Ｍを形成する部分を含んでいる。配線の第６パターン４２ＡＫ２５により構成される信号配線は、１つの第２形状部４２ＡＫ２５Ｍを形成する部分を含んでいる。配線の第７パターン４２ＡＫ２６により構成される信号配線は、２つの第２形状部４２ＡＫ２６Ｍ１、４２ＡＫ２６Ｍ２を形成する部分を含んでいる。図１７（Ｂ）に示す複数の第２形状部のうち、第２形状部４２ＡＫ２３Ｍ１、４２ＡＫ２５Ｍ、４２ＡＫ２６Ｍ２は、例えば上下方向といった、第１方向に折返し往復する蛇行形状を有している。これに対し、第２形状部４２ＡＫ２３Ｍ２、４２ＡＫ２４Ｍ、４２ＡＫ２６Ｍ１は、例えば左右方向といった、第１方向とは異なる第２方向に折返し往復する蛇行形状を有している。
【００９７】
図１７（Ｂ）に示すように、配線のパターンにより構成される複数の信号配線には、１つの第２形状部を形成する部分を含む信号配線と、複数の第２形状部を形成する部分を含む信号配線とがあってもよい。あるいは、配線のパターンにより構成される複数の信号配線は、各信号配線が１つの第２形状部を形成する部分のみを含んでいてもよい。あるいは、配線のパターンにより構成される複数の信号配線は、各信号配線が複数の第２形状部を形成する部分を含んでいてもよい。図１７（Ｂ）に示す配線の第４パターン４２ＡＫ２３により構成される信号配線における第２形状部４２ＡＫ２３Ｍ１は、配線の第６パターン４２ＡＫ２５により構成される信号配線における第２形状部４２ＡＫ２５Ｍや配線の第７パターン４２ＡＫ２６により構成される信号配線における第２形状部４２ＡＫ２６Ｍ２と共通（平行）な第１方向に形成されている。また、配線の第４パターン４２ＡＫ２３により構成される信号配線における第２形状部４２ＡＫ２３Ｍ２は、配線の第５パターン４２ＡＫ２４により構成される信号配線における第２形状部４２ＡＫ２４Ｍや配線の第７パターン４２ＡＫ２６により構成される信号配線における第２形状部４２ＡＫ２６Ｍ１と共通（平行）な第２方向に形成されている。これに対し、第２形状部４２ＡＫ２３Ｍ２、４２ＡＫ２４Ｍ、４２ＡＫ２６Ｍ１は、第２形状部４２ＡＫ２３Ｍ１、４２ＡＫ２５Ｍ、４２ＡＫ２６Ｍ２が形成される第１方向とは異なる第２方向に形成されている。
【００９８】
配線の第４パターン４２ＡＫ２３により構成される信号配線は、第１方向に形成される第２形状部４２ＡＫ２３Ｍ１と、第２方向に形成される第２形状部４２ＡＫ２３Ｍ２とを含んでいる。配線の第７パターン４２ＡＫ２６により構成される信号配線は、第２方向に形成される第２形状部４２ＡＫ２６Ｍ１と、第１方向に形成される第２形状部４２ＡＫ２６Ｍ２とを含んでいる。このように、同一の配線のパターンにより構成される１の信号配線であっても、異なる方向に形成される複数の第２形状部を含んでいてもよい。また、１の配線のパターンにより構成される信号配線は、他の配線のパターンにより構成される信号配線における第２形状部と、共通（平行）な方向に形成されている第２形状部および異なる方向に形成されている第２形状部を含んでもよい。１または複数の信号配線において異なる方向に第２形状部が形成されるようにしたことにより、基板面における配線のパターン設計を容易かつ柔軟に行うことができる。また、配線のパターンを配置する基板面積の増大が抑制されて、基板の小型化を図ることができる。
【００９９】
図１８は、配線のパターンにより構成される複数の信号配線が異なる配線幅に形成されている構成例を示している。図１８に示す構成例では、複数の信号配線を構成する配線のパターンとして、４つの信号配線を構成する配線のパターンが示されている。図１８（Ａ）は信号配線の全体で配線幅が異なる場合を示し、図１８（Ｂ）は信号配線の一部で配線幅が異なる場合を示している。
【０１００】
図１８（Ａ）に示す４つの信号配線を構成する配線のパターンは、配線の第１パターン４２ＡＫ３０、配線の第２パターン４２ＡＫ３１、配線の第３パターン４２ＡＫ３２、配線の第４パターン４２ＡＫ４３を含んでいる。配線の第１パターン４２ＡＫ３０により構成される信号配線は、第２形状部４２ＡＫ３０Ｍを形成する部分を含んでいる。配線の第２パターン４２ＡＫ３１により構成される信号配線は、第２形状部４２ＡＫ３１Ｍを形成する部分を含んでいる。配線の第３パターン４２ＡＫ３２により構成される信号配線は、第２形状部４２ＡＫ３２Ｍを形成する部分を含んでいる。配線の第４パターン４２ＡＫ３３により構成される信号配線は、第２形状部４２ＡＫ３３Ｍを形成する部分を含んでいる。
【０１０１】
配線の第１パターン４２ＡＫ３０により構成される信号配線は、配線の第２パターン４２ＡＫ３１により構成される信号配線と、配線幅が同一または略同一となるように形成されている。配線の第３パターン４２ＡＫ３２により構成される信号配線は、配線の第４パターン４２ＡＫ３３により構成される信号配線と、配線幅が同一または略同一となるように形成されている。これに対し、配線の第１パターン４２ＡＫ３０により構成される信号配線および配線の第２パターン４２ＡＫ３１により構成される信号配線は、配線の第３パターン４２ＡＫ３２により構成される信号配線および配線の第４パターン４２ＡＫ３３により構成される信号配線と比較して、信号配線の全体において配線幅が広くなるように形成されている。このように、配線の第１パターン４２ＡＫ３０と配線の第２パターン４２ＡＫ３１は配線幅が広い信号配線を構成し、配線の第３パターン４２ＡＫ３２と配線の第４パターン４２ＡＫ３３は配線幅が狭い信号配線を構成している。
【０１０２】
配線の第１パターン４２ＡＫ３０により構成される信号配線と、配線の第２パターン４２ＡＫ３１により構成される信号配線とでは、例えば第１種類の差動信号といった、共通する種類の電気信号が伝送されてもよい。また、配線の第３パターン４２ＡＫ３２により構成される信号配線と、配線の第４パターン４２ＡＫ３３により構成される信号配線とでは、例えば第１種類とは異なる第２種類の差動信号といった、共通する種類の電気信号が伝送されてもよい。その一方で、配線の第１パターン４２ＡＫ３０により構成される信号配線や配線の第２パターン４２ＡＫ３１により構成される信号配線と、配線の第３パターン４２ＡＫ３２により構成される信号配線や配線の第４パターン４２ＡＫ３３により構成される信号配線とでは、互いに相違する種類の電気信号が伝送されてもよい。このように、配線のパターンにより構成される複数の信号配線は、伝送される電気信号の種類に応じて異なる配線幅となるように形成されていてもよい。あるいは、配線のパターンにより構成される複数の信号配線は、伝送される電気信号の種類が共通する場合に、同一または略同一の配線幅となるように形成されていてもよい。なお、配線のパターンにより構成される複数の信号配線は、伝送される電気信号の種類が共通する場合であっても、異なる配線幅となるように形成された信号配線を含んでいてもよい。あるいは、配線のパターンにより構成される複数の信号配線は、伝送される電気信号の種類が異なる場合であっても、同一または略同一の配線幅となるように形成された信号配線を含んでいてもよい。複数の信号配線が異なる配線幅に形成されるようにしたことにより、各信号配線における特性インピーダンスを容易に調整して、電気信号の種類などに応じた適切な伝送が可能になる。
【０１０３】
図１８（Ｂ）に示す４つの信号配線を構成する配線のパターンは、配線の第５パターン４２ＡＫ３４、配線の第６パターン４２ＡＫ３５、配線の第７パターン４２ＡＫ３６、配線の第８パターン４２ＡＫ３７を含んでいる。配線の第５パターン４２ＡＫ３４により構成される信号配線は、第２形状部４２ＡＫ３４Ｍを形成する部分を含んでいる。配線の第６パターン４２ＡＫ３５により構成される信号配線は、第２形状部４２ＡＫ３５Ｍを形成する部分を含んでいる。配線の第７パターン４２ＡＫ３６により構成される信号配線は、第２形状部４２ＡＫ３６Ｍを形成する部分を含んでいる。配線の第８パターン４２ＡＫ３７により構成される信号配線は、第２形状部４２ＡＫ３７Ｍを形成する部分を含んでいる。
【０１０４】
配線の第５パターン４２ＡＫ３４により構成される信号配線と、配線の第６パターン４２ＡＫ３５により構成される信号配線は、一部の配線幅が他の部分における配線幅とは異なるように構成されている。例えば配線の第５パターン４２ＡＫ３４により構成される信号配線における第２形状部４２ＡＫ３４Ｍは、同一の信号配線における他の部分と比較して、配線幅が広くなるように形成されている。配線の第６パターン４２ＡＫ３５により構成される信号配線における第２形状部４２ＡＫ３５Ｍは、同一の信号配線における他の部分と比較して、配線幅が広くなるように形成されている。このように、配線の第５パターン４２ＡＫ３４は、第２形状部４２ＡＫ３４Ｍにて配線幅が広い信号配線を構成し、第２形状部４２ＡＫ３４Ｍ以外の部分では配線幅が狭い信号配線を構成している。配線の第６パターン４２ＡＫ３５は、第２形状部４２ＡＫ３５Ｍにて配線幅が広い信号配線を構成し、第２形状部４２ＡＫ３５Ｍ以外の部分では配線幅が狭い信号配線を構成している。なお、第２形状部にて配線幅が広い信号配線を構成するものに限定されず、直線形状または略直線形状となる第１形状部にて配線幅が広い信号配線を構成するものであってもよい。
【０１０５】
配線の第５パターン４２ＡＫ３４により構成される信号配線は、第２形状部４２ＡＫ３４Ｍの配線幅が他の部分よりも広くなることにより、同一の信号配線において配線幅が異なるように形成されている。配線の第６パターン４２ＡＫ３５により構成される信号配線は、第２形状部４２ＡＫ３５Ｍの配線幅が他の部分よりも広くなることにより、同一の信号配線において配線幅が異なるように形成されている。これに対し、配線の第７パターン４２ＡＫ３６により構成される信号配線や配線の第８パターン４２ＡＫ３７により構成される信号配線は、同一の信号配線において配線幅が同一または略同一となるように形成されている。１または複数の信号配線において一部が異なる配線幅に形成されるようにしたことにより、各信号配線における特性インピーダンスを容易に調整して、電気信号の種類などに応じた適切な伝送が可能になる。
【０１０６】
図１９は、配線のパターンにより構成される複数の信号配線における第２形状部が対応して形成されている構成例を示している。図１９に示す構成例では、複数の信号配線を構成する配線のパターンとして、２つの信号配線を構成する配線のパターンが示されている。図１９（Ａ）は２つの信号配線が略平行に蛇行する場合を示し、図１９（Ｂ）は２つの信号配線が離れる方向に蛇行する場合を示している。
【０１０７】
図１９（Ａ）に示す２つの信号配線を構成する配線のパターンは、配線の第１パターン４２ＡＫ４０と、配線の第２パターン４２ＡＫ４１とを含んでいる。配線の第１パターン４２ＡＫ４０と、配線の第２パターン４２ＡＫ４１は、例えば上下方向といった、共通（平行）な方向に折返し往復する蛇行形状を有している。この蛇行形状において、配線の第１パターン４２ＡＫ４０により構成される信号配線が延設方向ＤＲ１に対して配線の第２パターン４２ＡＫ４１により構成される信号配線に近づく方向へと屈曲されて突出する場合に、配線の第２パターン４２ＡＫ４１により構成される信号配線は、延設方向ＤＲ１に対して、配線の第１パターン４２ＡＫ４０により構成される信号配線から離れる方向へと屈曲されて突出する。その後に、配線の第１パターン４２ＡＫ４０により構成される信号配線が延設方向ＤＲ１に対して配線の第２パターン４２ＡＫ４１により構成される信号配線から離れる方向へと屈曲されて復帰する場合に、配線の第２パターン４２ＡＫ４１により構成される信号配線は、延設方向ＤＲ１に対して、配線の第１パターン４２ＡＫ４０により構成される信号配線に近づく方向へと屈曲されて復帰する。また、この蛇行形状において、配線の第１パターン４２ＡＫ４０により構成される信号配線が延設方向ＤＲ１に対して配線の第２パターン４２ＡＫ４１により構成される信号配線から離れる方向へと屈曲されて突出する場合に、配線の第２パターン４２ＡＫ４１により構成される信号配線は、延設方向ＤＲ１に対して、配線の第１パターン４２ＡＫ４０により構成される信号配線に近づく方向へと屈曲されて突出する。その後に、配線の第１パターン４２ＡＫ４０により構成される信号配線が延設方向ＤＲ１に対して配線の第２パターン４２ＡＫ４１により構成される信号配線に近づく方向へと屈曲されて復帰する場合に、配線の第２パターン４２ＡＫ４１により構成される信号配線は、延設方向ＤＲ１に対して、配線の第１パターン４２ＡＫ４０により構成される信号配線から離れる方向へと屈曲されて復帰する。こうして、配線の第１パターン４２ＡＫ４０と、配線の第２パターン４２ＡＫ４１は、略同一の配線間隔を維持しつつ略平行に折返し往復する蛇行形状の信号配線を形成している。なお、蛇行形状に限定されず、直線形状および略直線形状とは異なる任意の形状となるように形成されていればよい。
【０１０８】
このように、配線の第１パターン４２ＡＫ４０により構成される信号配線は、配線の第２パターン４２ＡＫ４１により構成される信号配線と平行または略平行に形成され、直線形状および略直線形状とは異なる形状となるように形成されている。複数の信号配線において平行または略平行でありながら、直線形状および略直線形状とは異なる形状となる第２形状部が形成されるようにしたことにより、基板面における配線のパターン設計を容易かつ柔軟に行うことができる。また、配線のパターンを配置する基板面積の増大が抑制されて、基板の小型化を図ることができる。
【０１０９】
図１９（Ｂ）に示す２つの信号配線を構成する配線のパターンは、配線の第３パターン４２ＡＫ４２と、配線の第４パターン４２ＡＫ４３とを含んでいる。配線の第３パターン４２ＡＫ４２と、配線の第４パターン４２ＡＫ４３は、例えば上下方向といった、共通（平行）な方向に折返し往復する蛇行形状を有している。この蛇行形状において、配線の第３パターン４２により構成される信号配線が延設方向ＤＲ１に対して配線の第４パターン４２ＡＫ４３により構成される信号配線から離れる方向へと屈曲されて突出する場合に、配線の第４パターン４２ＡＫ４３により構成される信号配線は、延設方向ＤＲ１に対して、配線の第３パターン４２ＡＫ４２により構成される信号配線から離れる方向へと屈曲されて突出する。これらの突出による突起から、配線の第３パターン４２ＡＫ４２により構成される信号配線が延設方向ＤＲ１に対して配線の第４パターン４２ＡＫ４３により構成される信号配線に近づく方向へと屈曲されて復帰する場合に、配線の第４パターン４２ＡＫ４３により構成される信号配線は、延設方向ＤＲ１に対して、配線の第３パターン４２ＡＫ４２により構成される信号配線に近づく方向へと屈曲されて復帰する。こうして、配線の第３パターン４２ＡＫ４２と、配線の第４パターン４２ＡＫ４３は、配線間隔を変化させつつ互いに離れる方向に突出してから近づく方向に復帰するという、折返し往復する蛇行形状の信号配線を形成している。
【０１１０】
このように、配線の第３パターン４２ＡＫ４２により構成される信号配線は、配線の第４パターン４２ＡＫ４３により構成される信号配線と共通（平行）な方向に形成され、直線形状および略直線形状とは異なる形状となるように形成されている。複数の信号配線が離れる方向に屈曲されて突出し近づく方向に屈曲されて復帰するなど、直線形状および略直線形状とは異なる形状となる第２形状部が形成されるようにしたことにより、基板面における配線のパターン設計を容易かつ柔軟に行うことができる。また、配線のパターンを配置する基板面積の増大が抑制されて、基板の小型化を図ることができる。
【０１１１】
図２０は、配線のパターンにより構成される複数の信号配線に回路部品が接続されるように実装された構成例を示している。図２０（Ａ）に示す構成例では、複数の信号配線を構成する配線のパターンとして、４つの信号配線を構成する配線のパターンが示されている。これら４つの信号配線を構成する配線のパターンは、配線の第１パターン４２ＡＫ５０、配線の第２パターン４２ＡＫ５１、配線の第３パターン４２ＡＫ５２、配線の第４パターン４２ＡＫ５３を含んでいる。配線の第２パターン４２ＡＫ５１により構成される信号配線は、第１形状部４２ＡＫ５１Ｌを形成する部分と、第２形状部４２ＡＫ５１Ｍを形成する部分とを含んでいる。配線の第３パターン４２ＡＫ５２により構成される信号配線は、第１形状部４２ＡＫ５２Ｌを形成する部分と、第２形状部４２ＡＫ５２Ｍを形成する部分とを含んでいる。
【０１１２】
図２０（Ａ）に示す配線の第２パターン４２ＡＫ５１により構成される信号配線における第２形状部４２ＡＫ５１Ｍには、配線の第１パターン４２ＡＫ５０により構成される信号配線と接続された回路部品４２ＡＫ１Ｒが、配線の第２パターン４２ＡＫ５１により構成される信号配線と接続されるように実装される。回路部品４２ＡＫ１Ｒは、例えば抵抗素子といった回路素子であればよい。回路部品４２ＡＫ１Ｒは、抵抗素子とともに、あるいは抵抗素子に代えて、例えばコンデンサやコイルといった受動素子を、一部または全部に含んでいてもよい。回路部品４２ＡＫ１Ｒは、抵抗素子、コンデンサ、コイルといった受動素子に代えて、あるいは受動素子とともに、ダイオード、バイポーラトランジスタやＭＯＳトランジスタなどのトランジスタ、サイリスタといった能動素子を、一部または全部に含んでいてもよい。回路部品４２ＡＫ１Ｒは、例えばフィルタ回路、ノイズ防止回路、その他のＩＣチップといった、機能回路を構成するものであってもよい。回路部品４２ＡＫ１Ｒは、配線の第１パターン４２ＡＫ５０により構成される信号配線が特定の電源電圧に維持される場合に、配線の第２パターン４２ＡＫ５１により構成される信号配線に対して特定の電源電圧を供給可能にするプルアップ抵抗として機能してもよい。あるいは、回路部品４２ＡＫ１Ｒは、配線の第１パターン４２ＡＫ５０により構成される信号配線がグランド電圧に維持される場合に、配線の第２パターン４２ＡＫ５１により構成される信号配線に対してグランド電圧を供給可能にするプルダウン抵抗として機能してもよい。あるいは、回路部品４２ＡＫ１Ｒは、極性切替部により抵抗素子をプルアップ抵抗とプルダウン抵抗とに切替可能とした機能回路であってもよい。
【０１１３】
図２０（Ｂ）は、回路部品４２ＡＫ１Ｒの接続部分を示す拡大図である。図２０（Ｂ）に示す第２形状部４２ＡＫ５１Ｍにおいて、配線の第２パターン４２ＡＫ５１により構成される信号配線が折り曲げ部を介して折り返される３つの折返し部が示されている。これら３つの折返し部は、第１折返し部４２ＡＫ５１Ｍ１、第２折返し部４２ＡＫ５１Ｍ２、第３折返し部４２ＡＫ５１Ｍ３を含んでいる。回路部品４２ＡＫ１Ｒは、第２折返し部４２ＡＫ５１Ｍ２にて、配線の第２パターン４２ＡＫ５１により構成される信号配線と、配線の第１パターン４２ＡＫ５０により構成される信号配線とに、接続されるように実装されている。図２０（Ｂ）に示す第２折返し部４２ＡＫ５１Ｍ２では、折り曲げ部を介して折り返された同一の信号配線が配線間隔Ｗ３で往復する形状を形成している。これに対し、第１折返し部４２ＡＫ５１Ｍ１や第３折返し部４２ＡＫ５１Ｍ３では、折り曲げ部を介して折り返された同一の信号配線が配線間隔Ｗ４で往復する形状を形成している。また、第１折返し部４２ＡＫ５１Ｍ１と第２折返し部４２ＡＫ５１Ｍ２との間隔や、第２折返し部４２ＡＫ５１Ｍ２と第３折返し部４２ＡＫ５１Ｍ３との間隔も、配線間隔Ｗ４となるように形成されている。配線間隔Ｗ３は、配線間隔Ｗ４よりも広くなるように、信号配線が形成されている。このように、回路部品４２ＡＫ１Ｒが実装される第２折返し部４２ＡＫ５１Ｍ２における配線間隔Ｗ３は、第２形状部４２ＡＫ５１Ｍにて回路部品４２ＡＫ１Ｒが実装されない部分における配線間隔Ｗ４よりも広くなるので、回路部品４２ＡＫ１Ｒを容易に実装して、信号配線における伝送特性などを適切に調整することができる。
【０１１４】
なお、回路部品４２ＡＫ１Ｒが実装される第２折返し部４２ＡＫ５１Ｍ２における配線間隔Ｗ３は、第２形状部４２ＡＫ５１Ｍにて回路部品４２ＡＫ１Ｒが実装されない部分における配線間隔Ｗ４よりも広くなるものに限定されず、配線間隔Ｗ３が配線間隔Ｗ４と同一または略同一のものでもよいし、配線間隔Ｗ３が配線間隔Ｗ４よりも狭くなるように形成されていてもよい。また、回路部品４２ＡＫ１Ｒは、第２折返し部４２ＡＫ５１Ｍ２にて配線の第２パターン４２ＡＫ５２により構成される信号配線と接続されるように実装されるものに限定されず、第１折返し部４２ＡＫ５１Ｍ１または第３折返し部４２ＡＫ５１Ｍ３にて、配線の第２パターン４２ＡＫ５２により構成される信号配線と接続されるように実装されるものであってもよい。
【０１１５】
このように、図２０（Ａ）などに示す配線の第２パターン４２ＡＫ５１により構成される信号配線における第２形状部４２ＡＫ５１Ｍにて、配線の第１パターン４２ＡＫ５０により構成される信号配線と接続されるように実装された回路部品４２ＡＫ１Ｒを備えている。第２形状部に回路部品が実装されることにより、信号配線における伝送特性などを適切に調整することができる。また、配線のパターンを配置する基板面積の増大が抑制されて、基板の小型化を図ることができる。
【０１１６】
図２０（Ａ）に示す配線の第３パターン４２ＡＫ５２により構成される信号配線における第１形状部４２ＡＫ５２Ｌには、配線の第４パターン４２ＡＫ５３により構成される信号配線と接続された回路部品４２ＡＫ２Ｒが、配線の第３パターン４２ＡＫ５２により構成される信号配線と接続されるように実装される。回路部品４２ＡＫ２Ｒは、例えば抵抗素子といった回路素子であればよい。回路部品４２ＡＫ２Ｒは、抵抗素子とともに、あるいは抵抗素子に代えて、例えばコンデンサやコイルといった受動素子を、一部または全部に含んでいてもよい。回路部品４２ＡＫ２Ｒは、抵抗素子、コンデンサ、コイルといった受動素子に代えて、あるいは受動素子とともに、ダイオード、バイポーラトランジスタやＭＯＳトランジスタなどのトランジスタ、サイリスタといった能動素子を、一部または全部に含んでいてもよい。回路部品４２ＡＫ２Ｒは、例えばフィルタ回路、ノイズ防止回路、その他のＩＣチップといった、機能回路を構成するものであってもよい。回路部品４２ＡＫ２Ｒは、配線の第４パターン４２ＡＫ５３により構成される信号配線が特定の電源電圧に維持される場合に、配線の第３パターン４２ＡＫ５２により構成される信号配線に対して特定の電源電圧を供給可能にするプルアップ抵抗として機能してもよい。あるいは、回路部品４２ＡＫ２Ｒは、配線の第４パターン４２ＡＫ５３により構成される信号配線がグランド電圧に維持される場合に、配線の第３パターン４２ＡＫ５２により構成される信号配線に対してグランド電圧を供給可能にするプルダウン抵抗として機能してもよい。あるいは、回路部品４２ＡＫ２Ｒは、極性切替部により抵抗素子をプルアップ抵抗とプルダウン抵抗とに切替可能とした機能回路であってもよい。
【０１１７】
このように、図２０（Ａ）に示す配線の第３パターン４２ＡＫ５２により構成される信号配線における第２形状部４２ＡＫ５２Ｍとは異なる第１形状部４２ＡＫ５２Ｌにて、配線の第４パターン４２ＡＫ５３により構成される信号配線と接続されるように実装された回路部品４２ＡＫ２Ｒを備えている。第２形状部とは異なる部分に回路部品が実装されることにより、信号配線における伝送特性などを適切に調整することができる。また、配線のパターンを配置する基板面積の増大が抑制されて、基板の小型化を図ることができる。
【０１１８】
回路部品４２ＡＫ１Ｒや回路部品４２ＡＫ２Ｒが実装される部分における配線幅は、回路部品４２ＡＫ１Ｒや回路部品４２ＡＫ２Ｒが実装されない部分とは異なる配線幅となるように、各信号配線が形成されてもよい。例えば回路部品４２ＡＫ１Ｒや回路部品４２ＡＫ２Ｒが実装される部分における配線幅は、回路部品４２ＡＫ１Ｒや回路部品４２ＡＫ２Ｒが実装されない部分の配線幅よりも広くなるように、各信号配線が形成されてもよい。このように、配線のパターンにより構成される複数の信号配線は、回路部品が実装される部分に対応して、実装されない部分とは異なる配線幅となるように形成されてもよい。回路部品が実装される部分に対応して異なる配線幅に形成されるようにしたことにより、各信号配線における特性インピーダンスを容易に調整して、信号配線による適切な伝送が可能になる。
【０１１９】
図１６（Ａ）や図１６（Ｂ）に示すような第１形状部４２ＡＫ１０Ｌ、４２ＡＫ１１Ｌ、４２ＡＫ１２Ｌ、４２ＡＫ１３Ｌおよび第２形状部４２ＡＫ１０Ｍ、４２ＡＫ１１Ｍ、４２ＡＫ１２Ｍ、４２ＡＫ１３Ｍを有する信号配線が形成されている場合に、配線のパターンにより構成される複数の信号配線は、例えば図１７に示すように、第２形状部が異なる方向に形成されてもよく、例えば図１８に示すように信号配線の全体または一部で異なる配線幅に形成されてもよく、例えば図１９に示すように第２形状部が略平行または離れる方向に対応して形成されてもよく、例えば図２０に示すように第２形状部または第２形状部とは異なる部分に接続される回路部品が実装されてもよく、これらの一部または全部を組み合わせて形成されてもよい。
【０１２０】
（特徴部４３ＡＫに関する説明）
図２１は、本実施形態の特徴部４３ＡＫに関し、配線のパターンにより構成される複数の信号配線における第２形状部に接続確認用の特定導体部となるテストポイントが設けられている構成例を示している。図２１に示す構成例では、複数の信号配線を構成する配線のパターンとして、２つの信号配線を構成する配線のパターンが示されている。これら２つの信号配線を構成する配線のパターンは、配線の第１パターン４３ＡＫ１０と、配線の第２パターン４３ＡＫ１１とを含んでいる。配線の第１パターン４３ＡＫ１０により構成される信号配線は、第１形状部４３ＡＫ１０Ｌを形成する部分と、第２形状部４３ＡＫ１０Ｍを形成する部分とを含んでいる。配線の第２パターン４３ＡＫ１１により構成される信号配線は、第１形状部４３ＡＫ１１Ｌを形成する部分と、第２形状部４３ＡＫ１１Ｍを形成する部分とを含んでいる。第１形状部４３ＡＫ１０Ｌ、４３ＡＫ１１Ｌは、信号配線が直線形状または略直線形状の第１形状となるように形成されている。第２形状部４３ＡＫ１０Ｍ、４３ＡＫ１１Ｍは、信号配線が蛇行形状といった、直線形状および略直線形状とは異なる第２形状となるように形成されている。なお、第２形状部４３ＡＫ１０Ｍ、４３ＡＫ１１Ｍは、蛇行形状に限定されず、直線形状および略直線形状とは異なる任意の形状となるように形成されていればよい。
【０１２１】
配線の第１パターン４３ＡＫ１０および配線の第２パターン４３ＡＫ１１により構成される複数の信号配線は、少なくとも一部が、例えば図１６（Ａ）に示した配線の第１パターン４２ＡＫ１０および配線の第２パターン４２ＡＫ１１と同様に、あるいは図１６（Ｂ）に示した配線の第３パターン４２ＡＫ１２および配線の第４パターン４２ＡＫ１３と同様に、形成されていればよい。例えば、配線の第２パターン４３ＡＫ１１により構成される信号配線が、直線形状または略直線形状の第１形状となる第１形状部４３ＡＫ１１Ｌに対応して、配線の第１パターン４３ＡＫ１０により構成される信号配線が、第１形状部４３ＡＫ１１Ｌとは異なる蛇行形状などの第２形状部４３ＡＫ１０Ｍを含んでいればよい。また、配線の第１パターン４３ＡＫ１０により構成される信号配線が、直線形状または略直線形状となる第１形状部４３ＡＫ１０Ｌに対応して、配線の第２パターン４３ＡＫ１１により構成される信号配線が、第１形状部４３ＡＫ１０Ｌとは異なる蛇行形状などの第２形状部４３ＡＫ１０Ｍを含んでいればよい。
【０１２２】
配線の第１パターン４３ＡＫ１０により構成される信号配線における第２形状部４３ＡＫ１０Ｍには、接続確認用の特定導体部として、テストポイント４３ＡＫ１０ＴＰが設けられている。配線の第２パターン４３ＡＫ１１により構成される信号配線における第２形状部４３ＡＫ１１Ｍには、接続確認用の特定導体部として、テストポイント４３ＡＫ１１ＴＰが設けられている。テストポイント４３ＡＫ１０ＴＰ、４３ＡＫ１１ＴＰは、例えばはんだ、または銅箔といった、金属材料を用いて形成されていればよい。テストポイント４３ＡＫ１０ＴＰ、４３ＡＫ１１ＴＰは、例えば円形に形成された場合の直径Ｗ６が、配線の第１パターン４３ＡＫ１０により構成される信号配線や配線の第２パターン４３ＡＫ１１により構成される信号配線における配線幅Ｗ５よりも、大きく（広く）なるように形成されている。なお、テストポイント４３ＡＫ１０ＴＰ、４３ＡＫ１１ＴＰは、円形に形成されるものに限定されず、例えば方形状や短冊状といった、任意の形状に形成されたものであればよい。テストポイント４３ＡＫ１０ＴＰ、４３ＡＫ１１ＴＰがどのような形状であっても、その平均的な形状が、信号配線における配線幅よりも大きく（広く）なるように形成されたものであればよい。テストポイント４３ＡＫ１０ＴＰ、４３ＡＫ１１ＴＰが設けられることにより、複数の信号配線における特性インピーダンスのばらつきが抑制できるようにしてもよい。これにより、複数の信号配線における信号品質の均質化が図られる。
【０１２３】
例えばテストポイント４３ＡＫ１０ＴＰとテストポイント４３ＡＫ１１ＴＰとにテストプローブを接触させることにより、配線の第１パターン４３ＡＫ１０により構成される信号配線と配線の第２パターン４３ＡＫ１１により構成される信号配線との間において、短絡の発生の有無を検査することができる。なお、テストポイント４３ＡＫ１０ＴＰ、４３ＡＫ１１ＴＰの他にも、接続確認用の特定導体部となるテストポイントが設けられてもよい。一例として、配線の第１パターン４３ＡＫ１０により構成される信号配線には、テストポイント４３ＡＫ１０ＴＰの他にもテストポイントが設けられてもよい。このテストポイントと、第２形状部４３ＡＫ１０Ｍに設けられたテストポイント４３ＡＫ１０ＴＰとに、テストプローブを接触させることにより、配線の第１パターン４３ＡＫ１０により構成される信号配線において、断線の発生の有無を検査することができる。短絡や断線について、発生の有無を検査できるとともに、あるいは、それらの検査に代えて、例えばオシロスコープを用いて信号波形の確認や検査を行うことができるように構成されてもよい。
【０１２４】
このように、図２１に示す信号配線が蛇行形状などの第２形状となる第２形状部４３ＡＫ１０Ｍにはテストポイント４３ＡＫ１０ＴＰが設けられ、第２形状部４３ＡＫ１１Ｍにはテストポイント４３ＡＫ１１ＴＰが設けられている。信号配線における第２形状部にテストポイントを設けることにより、配線のパターンを適切に配置するとともに、各種の構造物を適切に配置して、基板面積の増大が抑制され、基板の小型化を図ることができる。また、テストポイント４３ＡＫ１０ＴＰ、４３ＡＫ１１ＴＰは金属材料を用いて形成され、信号配線の配線幅よりも広くなるように形成されている。このような信号配線の配線幅より大きく（広く）なるようにテストポイントが形成されることにより、テストプローブを容易に接触させて、信号配線の電気特性検査を行うことができる。また、配線のパターンを適切に配置するとともに、各種の構造物を適切に配置して、基板面積の増大が抑制され、基板の小型化を図ることができる。
【０１２５】
図２１に示すようなテストポイント４３ＡＫ１０ＴＰ、４３ＡＫ１１ＴＰが設けられた場合に、配線のパターンにより構成される複数の信号配線は、例えば図１７に示すように、第２形状部が異なる方向に形成されてもよく、例えば図１８に示すように信号配線の全体または一部で異なる配線幅に形成されてもよく、例えば図１９に示すように第２形状部が略平行または離れる方向に対応して形成されてもよく、例えば図２０に示すように第２形状部または第２形状部とは異なる部分に接続される回路部品が実装されてもよく、これらの一部または全部を組み合わせて形成されてもよい。
【０１２６】
（特徴部４４ＡＫに関する説明）
図２２は、本実施形態の特徴部４４ＡＫに関し、多層配線基板として構成された主基板１１において、一面に第２形状を含む信号配線が設けられ、他面に接続確認用の特定導体部となるテストポイントが設けられている場合の構成例を示している。図２２に示す特徴部４４ＡＫの少なくとも一部は、図１４に示した構成例と同様に形成されていればよい。例えば特徴部４４ＡＫについても、合成樹脂を重ねて形成された多層構造を有していればよい。図２２に示す主基板１１の多層構造は、表面層４４ＡＫ１Ｓと、グランド層４４ＡＫ１Ｌと、電源層４４ＡＫ２Ｌと、配線層４４ＡＫ３Ｌと、電源層４４ＡＫ４Ｌと、裏面層４４ＡＫ２Ｓとを含んでいる。
【０１２７】
主基板１１における一方の基板面となる表面には、表面層４４ＡＫ１Ｓが設けられ、信号配線を構成する配線のパターン４４ＡＫ１０Ｐおよびパターン４４ＡＫ１１Ｐが形成されている。主基板１１における他方の基板面となる裏面には、裏面層４４ＡＫ２Ｓが設けられ、信号配線を構成する配線のパターン４４ＡＫ２０Ｐが形成されている。主基板１１の表面層４４ＡＫ１Ｓに形成された配線のパターン４４ＡＫ１０Ｐは、主基板１１の表面層４４ＡＫ１Ｓおよび裏面層４４ＡＫ２Ｓを貫通するスルーホール４４ＡＫ１Ｈを介して、裏面層４４ＡＫ２Ｓに形成された配線のパターン４４ＡＫ２０Ｐと電気的に接続されている。主基板１１の表面層４４ＡＫ１Ｓに形成された配線のパターン４４ＡＫ１１Ｐは、主基板１１の表面層４４ＡＫ１Ｓおよび裏面層４４ＡＫ２Ｓを貫通するスルーホール４４ＡＫ２Ｈを介して、裏面層４４ＡＫ２Ｓに形成された配線のパターン４４ＡＫ２０Ｐと電気的に接続されている。このように、主基板１１には、一方の基板面となる表面に設けられた表面層４４ＡＫ１Ｓにおいて信号配線を構成する配線のパターン４４ＡＫ１０Ｐおよびパターン４４ＡＫ１１Ｐと、他方の基板面となる裏面に設けられた裏面層４４ＡＫ２Ｓにおいて信号配線を構成する配線のパターン４４ＡＫ２０Ｐとを、電気的に接続可能なスルーホール４４ＡＫ１Ｈおよびスルーホール４４ＡＫ２Ｈが設けられている。
【０１２８】
表面層４４ＡＫ１Ｓに形成された配線のパターン４４ＡＫ１０Ｐは、例えば図２１に示した配線の第１パターン４３ＡＫ１０および配線の第２パターン４３ＡＫ１１と同様に、第１形状部や第２形状部を形成する部分を含むように、複数の信号配線が形成されていればよい。図２１に示す配線の第１パターン４３ＡＫ１０および配線の第２パターン４３ＡＫ１１により構成される信号配線は、配線の第２パターン４３ＡＫ１１により構成される信号配線が、直線形状または略直線形状の第１形状となる第１形状部４３ＡＫ１１Ｌに対応して、配線の第１パターン４３ＡＫ１０により構成される信号配線が、第１形状部４３ＡＫ１１Ｌとは異なる蛇行形状などの第２形状部４３ＡＫ１０Ｍを含んでいればよい。また、配線の第１パターン４３ＡＫ１０により構成される信号配線が、直線形状または略直線形状となる第１形状部４３ＡＫ１０Ｌに対応して、配線の第２パターン４３ＡＫ１１により構成される信号配線が、第１形状部４３ＡＫ１０Ｌとは異なる蛇行形状などの第２形状部４３ＡＫ１０Ｍを含んでいればよい。
【０１２９】
そして、図２１に示した第２形状部４３ＡＫ１０Ｍに設けられたテストポイント４３ＡＫ１０ＴＰおよび第２形状部４３ＡＫ１１Ｍに設けられたテストポイント４３ＡＫ１１ＴＰに対応して、図２２に示すテストポイント４４ＡＫ１０ＴＰが、配線のパターン４４ＡＫ１０Ｐにより構成される信号配線に設けられていればよい。テストポイント４４ＡＫ１０ＴＰは、スルーホール４４ＡＫ１Ｈを介して、例えば裏面層４４ＡＫ２Ｓに形成された配線のパターン４４ＡＫ２０Ｐといった、異なる導体層と接続されていればよい。なお、テストポイント４４ＡＫ１０ＴＰは、裏面層４４ＡＫ２Ｓに形成された配線のパターン４４ＡＫ２０Ｐに限定されず、例えば配線層４４ＡＫ３Ｌに形成された配線のパターンといった、テストポイント４４ＡＫ１０ＴＰが設けられる表面層４４ＡＫ１Ｓとは異なる任意の導体層と接続されたものであればよい。テストポイントが設けられる層とは異なる導体層とテストポイントがスルーホールを介して接続されることにより、信号配線や導体層の電気特性検査を容易に行うことができる。また、配線のパターンを適切に配置するとともに、各種の構造物を適切に配置して、基板面積の増大が抑制され、基板の小型化を図ることができる。
【０１３０】
表面層４４ＡＫ１Ｓに形成された配線のパターン４４ＡＫ１１Ｐについても、第１形状部や第２形状部を形成する部分を含むように、複数の信号配線が形成されていればよい。このように、配線のパターン４４ＡＫ１１Ｐにより構成される複数の信号配線は、主基板１１の表面層４４ＡＫ１Ｓといった、基板の一面にて、直線形状および略直線形状とは異なる第２形状部を含むように形成されている。これに対し、裏面層４４ＡＫ２Ｓには、テストポイント４４ＡＫ１１ＴＰが設けられている。テストポイント４４ＡＫ１１ＴＰは、例えば配線のパターン４４ＡＫ２０Ｐにより構成される信号配線に設けられ、スルーホール４４ＡＫ２Ｈを介して、表面層４４ＡＫ１Ｓに形成された配線のパターン４４ＡＫ１１Ｐといった、異なる導体層と接続されていればよい。テストポイント４４ＡＫ１０ＴＰ、４４ＡＫ１１ＴＰが設けられることにより、複数の信号配線における特性インピーダンスのばらつきが抑制できるようにしてもよい。これにより、複数の信号配線における信号品質の均質化が図られる。基板の一面に第２形状部を含む信号配線が設けられ、基板の他面にテストポイントが設けられることにより、信号配線や導体層の電気特性検査を容易に行うことができる。また、配線のパターンを適切に配置するとともに、各種の構造物を適切に配置して、基板面積の増大が抑制され、基板の小型化を図ることができる。
【０１３１】
例えばテストポイント４４ＡＫ１０ＴＰにテストプローブを接触させることにより、配線のパターン４４ＡＫ１０Ｐにより構成される複数の信号配線において、短絡の発生の有無を検査することができればよい。また、例えばテストポイント４４ＡＫ１０ＴＰとテストポイント４４ＡＫ１１ＴＰとにテストプローブを接触させることにより、裏面層４４ＡＫ２Ｓに形成された配線のパターン４４ＡＫ２０Ｐにより構成される信号配線や、スルーホール４４ＡＫ１Ｈにおいて、断線の発生の有無を検査することができればよい。その他、配線のパターン４４ＡＫ１０Ｐにより構成される複数の信号配線における断線の発生の有無、配線のパターン４４ＡＫ１１Ｐにより構成される複数の信号配線における短絡や断線の発生の有無、配線のパターン４４ＡＫ２０Ｐにより構成される複数の信号配線における短絡の発生の有無、スルーホール４４ＡＫ１Ｈにおける短絡の発生の有無、スルーホール４４ＡＫ２Ｈにおける短絡や断線の発生の有無を、検査可能にするテストポイントが設けられていてもよい。
【０１３２】
接続確認用の特定導体部となるテストポイントは、テストプローブを接触させるために専用の電極パッドが設けられたものに限定されず、例えば信号配線における特性インピーダンスの調整用に回路部品などを接続可能に設けられ電極パッドといった、任意の電極パッドを用いて構成されたものであればよい。このようなテストポイントなどの特定導体部は、多層配線基板に設けられたスルーホールにより、多層配線基板に含まれる複数の層のうち複数の信号配線およびテストポイントが設けられる層とは異なる導体層と、電気的に接続されることにより、多層配線基板における電気特性検査を適切に行うことができる。例えば裏面側の基板面といった、配線のパターンが形成された一方の基板面とは異なる他方の基板面に、テストポイントなどの特定導体部が設けられることにより、多層配線基板における電気特性検査を適切に行うことができる。また、配線のパターンを適切に配置するとともに、各種の構造物を適切に配置して、基板面積の増大が抑制され、基板の小型化を図ることができる。
【０１３３】
図２２に示すようなテストポイント４４ＡＫ１０ＴＰ、４４ＡＫ１１ＴＰが設けられた場合に、配線のパターンにより構成される複数の信号配線は、例えば図１７に示すように、第２形状部が異なる方向に形成されてもよく、例えば図１８に示すように信号配線の全体または一部で異なる配線幅に形成されてもよく、例えば図１９に示すように第２形状部が略平行または離れる方向に対応して形成されてもよく、例えば図２０に示すように第２形状部または第２形状部とは異なる部分に接続される回路部品が実装されてもよく、これらの一部または全部を組み合わせて形成されてもよい。
【０１３４】
（特徴部４５ＡＫに関する説明）
以下、図面を参照しつつ、特徴部４５ＡＫに係る遊技機の基板ケース４５ＡＫ１０と、この基板ケース４５ＡＫ１０に収容されている基板４５ＡＫ５０及びヒートシンク４５ＡＫ４０とについて詳細に説明する。図２３は、本発明の実施形態に係る遊技機の基板ケース４５ＡＫ１０、基板４５ＡＫ５０、及びヒートシンク４５ＡＫ４０を後方からみた分解斜視図である。図２４は、本発明の実施形態に係る遊技機の基板ケース４５ＡＫ１０、基板４５ＡＫ５０、及びヒートシンク４５ＡＫ４０を前方からみた分解斜視図である。以下の説明において、理解を容易にするために、図２３等に示した前後方向を規定し、基板ケース４５ＡＫ１０等を前方から見たときの上下左右方向を、基板ケース４５ＡＫ１０等の上下左右方向として説明する。
【０１３５】
基板ケース４５ＡＫ１０は、前方を構成する前ケース４５ＡＫ２０と、後方を構成する後ケース４５ＡＫ３０とが組み合わされて構成されている。基板ケース４５ＡＫ１０の内部には、ＣＰＵ、ＲＯＭ、コネクタ等の電子部品を搭載した基板４５ＡＫ５０、及びヒートシンク４５ＡＫ４０を収容するための収容空間が形成されている。
【０１３６】
前ケース４５ＡＫ２０は、例えば、熱可塑性を有する合成樹脂からなり、平面視して略長方形状に形成されている。前ケース４５ＡＫ２０は、後方が開放された箱状をなしている。前ケース４５ＡＫ２０の上縁には、上方に突出した２つの突出部４５ＡＫ２１が形成されている。また、前ケース４５ＡＫ２０の下縁には、下方に突出した２つの突出部４５ＡＫ２２が形成されている。
【０１３７】
後ケース４５ＡＫ３０も前ケース４５ＡＫ２０と同様に、例えば、熱可塑性を有する合成樹脂からなり、平面視して略長方形状に形成されている。後ケース４５ＡＫ３０は、後面を形成するベース板４５ＡＫ３０ａと、ベース板４５ＡＫ３０ａから前方に立設した上壁４５ＡＫ３０ｂ、右壁４５ＡＫ３０ｃ、下壁４５ＡＫ３０ｄ、及び左壁４５ＡＫ３０ｅと、を有している。これにより、後ケース４５ＡＫ３０は、前方が開放された箱状をなしており、その収容部は前ケース４５ＡＫ２０のものよりも深い。後ケース４５ＡＫ３０の上壁４５ＡＫ３０ｂには、前ケース４５ＡＫ２０に形成された突出部４５ＡＫ２１が挿通される挿通孔４５ＡＫ３１ａを有する係止部４５ＡＫ３１が２つ形成されている。また、後ケース４５ＡＫ３０の下壁４５ＡＫ３０ｄには、前ケース４５ＡＫ２０に形成された突出部４５ＡＫ２２が引掛けられる係止部４５ＡＫ３８（図２４）が２つ形成されている。
【０１３８】
前ケース４５ＡＫ２０と後ケース４５ＡＫ３０とを組み合わせる場合には、まず、前ケース４５ＡＫ２０の突出部４５ＡＫ２１を、後ケース４５ＡＫ３０の挿通孔４５ＡＫ３１ａに挿入する。そして、前ケース４５ＡＫ２０の下部を後ケース４５ＡＫ３０に押し付けて、前ケース４５ＡＫ２０の突出部４５ＡＫ２２を後ケース４５ＡＫ３０の係止部４５ＡＫ３８に引掛ける。これにより、前ケース４５ＡＫ２０と後ケース４５ＡＫ３０とが組み合わされ、内部に基板４５ＡＫ５０等の収容空間が形成される。
【０１３９】
また、後ケース４５ＡＫ３０には、上壁４５ＡＫ３０ｂに複数の空気孔４５ＡＫ３２が形成され、下壁４５ＡＫ３０ｄに複数の空気孔４５ＡＫ３３（図２４）が形成されている。これにより、基板ケース４５ＡＫ１０には、上下方向に沿った空気の通り道が確保されている。また、後ケース４５ＡＫ３０のベース板４５ＡＫ３０ａには、基板４５ＡＫ５０の位置決めをするための４つの挿入凸部４５ＡＫ３６と、基板４５ＡＫ５０をねじ止めするためのねじ孔４５ＡＫ３７ａ〜４５ＡＫ３７ｅと、ヒートシンク４５ＡＫ４０の四隅を抑えて位置決めするための４つの位置決め部４５ＡＫ３４と、４つの位置決め部４５ＡＫ３４に位置決めされたヒートシンク４５ＡＫ４０に当接して支持する６つの支持部４５ＡＫ３５と、が形成されている。
【０１４０】
挿入凸部４５ＡＫ３６は、ベース板４５ＡＫ３０ａの四隅に形成されている。挿入凸部４５ＡＫ３６のそれぞれは、基板４５ＡＫ５０に形成された挿入孔４５ＡＫ５０ａに挿入される円柱状の凸部である。
【０１４１】
４つの位置決め部４５ＡＫ３４のそれぞれは、アングル状をなしており、直交した面でヒートシンク４５ＡＫ４０の角部に当接することが可能なように配置されている。
【０１４２】
支持部４５ＡＫ３５は、図２４の拡大図に示すように、ベース板４５ＡＫ３０ａの切欠き４５ＡＫ３０ｆ内に配置されており、ベース板４５ＡＫ３０ａよりも前方に突出した突出部４５ＡＫ３５ａを有している。支持部４５ＡＫ３５は、一端のみがベース板４５ＡＫ３０ａに支持された片持ちの状態にある。そのため、支持部４５ＡＫ３５は、突出部４５ＡＫ３５ａに後方への応力が作用すると弾性変形して後方へと変位する。一方、突出部４５ＡＫ３５ａに後方への応力が作用しなくなると、支持部４５ＡＫ３５は前方へと戻り元の状態に復帰する。
【０１４３】
ヒートシンク４５ＡＫ４０は、例えば、伝熱性に優れたアルミニウムを加工してなる。ヒートシンク４５ＡＫ４０は、矩形状のベース板４５ＡＫ４１と、ベース板４５ＡＫ４１に立設した矩形状の５つのフィン４５ＡＫ４２とを備えている。フィン４５ＡＫ４２のそれぞれは上下方向に延び、左右方向に平行に配列されている。
【０１４４】
基板４５ＡＫ５０は、例えば、ＣＰＵ、ＲＯＭ、コネクタ等の各種電子部品が搭載されたプリント基板である。基板４５ＡＫ５０には、後ケース４５ＡＫ３０に形成された挿入凸部４５ＡＫ３６に対応する位置に設けられた４つの挿入孔４５ＡＫ５０ａと、基板４５ＡＫ５０を固定するためのねじ４５ＡＫ８１ａ〜４５ＡＫ８１ｅが挿通されるねじ挿通孔４５ＡＫ５５ａ〜４５ＡＫ５５ｅとが形成されている。
【０１４５】
さらに基板４５ＡＫ５０には、発熱性の電子部品４５ＡＫ６０と、非発熱性の電子部品４５ＡＫ５１及び電子部品４５ＡＫ５２と、が設けられている。電子部品４５ＡＫ６０、電子部品４５ＡＫ５１、及び電子部品４５ＡＫ５２は、矩形状をなしている。特に、電子部品４５ＡＫ６０は、略正方形状をなしている。また、非発熱性の電子部品のうち、電子部品４５ＡＫ５２は、電子部品４５ＡＫ５１よりも高さが高い（厚みがある）。すなわち、図２３においては、電子部品４５ＡＫ５２は、電子部品４５ＡＫ５１よりも後方に大きく突出している。ここで、発熱性の電子部品とは、電子部品の誤動作を防止するために放熱対策が必要なほどの熱を発生させる電子部品のことをいう。一方、非発熱性の電子部品とは、放熱対策を行わなくてもよい程度しか熱を発生させない、あるいは全く熱を発生させない電子部品のことをいう。
【０１４６】
非発熱性の電子部品のうち、高さの低い電子部品４５ＡＫ５１は、発熱性の電子部品４５ＡＫ６０よりも上方に配置されている。非発熱性の電子部品のうち、高さの高い電子部品４５ＡＫ５２は、発熱性の電子部品４５ＡＫ６０の右方に配置されている。また、非発熱性の電子部品４５ＡＫ５１及び電子部品４５ＡＫ５２の向きは、平面視した場合に各辺が矩形状の基板４５ＡＫ５０の辺と平行となるように配置されている。一方、発熱性の電子部品４５ＡＫ６０は、平面視した場合に各辺が矩形状の基板４５ＡＫ５０の辺と平行とならないように配置されている。発熱性の電子部品４５ＡＫ６０には、該電子部品４５ＡＫ６０とヒートシンク４５ＡＫ４０との間に介在して、発せられて熱をヒートシンク４５ＡＫ４０に伝える熱伝導シート４５ＡＫ７０が貼付されている。熱伝導シート４５ＡＫ７０は、電子部品４５ＡＫ６０のおおよそ全体を覆う。
【０１４７】
熱伝導シート４５ＡＫ７０は、両面が粘着するタイプの公知の熱伝導シート、シリコーン、非シリコーン、あるいはセラミックを主原料とした柔軟な熱伝導シートから採用することができる。熱伝導シート４５ＡＫ７０は、電子部品４５ＡＫ６０とヒートシンク４５ＡＫ４０との間に介在して、両者を接着する。
【０１４８】
（ヒートシンク４５ＡＫ４０及び基板４５ＡＫ５０の取り付けについて）
次に、基板ケース４５ＡＫ１０に、ヒートシンク４５ＡＫ４０及び基板４５ＡＫ５０を取付けるための手順について説明する。図２５は、基板ケース４５ＡＫ１０にヒートシンク４５ＡＫ４０及び基板４５ＡＫ５０を取付ける様子を取り付け順（（ａ）〜（ｂ））で示した断面図である。また、図２６は、図２５に続いて基板ケース４５ＡＫ１０にヒートシンク４５ＡＫ４０及び基板４５ＡＫ５０を取付ける様子を取り付け順（（ａ）〜（ｂ））で示した断面図である。なお、図２５及び図２６に示す図は、図２４中の断面線Ａ−Ａで切断した断面図である。
【０１４９】
図２５（ａ）に示すように、まず、後ケース４５ＡＫ３０をテーブル等に載置し、ヒートシンク４５ＡＫ４０を後ケース４５ＡＫ３０に設置する。ヒートシンク４５ＡＫ４０は、フィン４５ＡＫ４２が上下方向に沿うように、図２５（ｂ）に示すように、ベース板４５ＡＫ３０ａに形成された位置決め部４５ＡＫ３４に四隅を合わせて載置する。これにより、後ケース４５ＡＫ３０に対するヒートシンク４５ＡＫ４０の位置決めをすることができる。このとき、ヒートシンク４５ＡＫ４０のフィン４５ＡＫ４２ｂ及びフィン４５ＡＫ４２ｄは、支持部４５ＡＫ３５の突出部４５ＡＫ３５ａに当接した状態にある。
【０１５０】
続いて、図２５（ｂ）に示すように、電子部品４５ＡＫ６０に熱伝導シート４５ＡＫ７０を貼付した基板４５ＡＫ５０を、後ケース４５ＡＫ３０に設置する。その際、図２４に示す基板４５ＡＫ５０に形成された挿入孔４５ＡＫ５０ａに、後ケース４５ＡＫ３０に形成された挿入凸部４５ＡＫ３６を挿入して、図２６（ａ）に示すように、基板４５ＡＫ５０を後ケース４５ＡＫ３０に載置する。このように、挿入孔４５ＡＫ５０ａに挿入凸部４５ＡＫ３６が挿入されることにより、後ケース４５ＡＫ３０に対する基板４５ＡＫ５０の位置決めがされる。
【０１５１】
続いて、図２６（ａ）に示すように、ねじ４５ＡＫ８１ａ〜４５ＡＫ８１ｅ（図２６（ａ）では、ねじ４５ＡＫ８１ｅのみを図示）を基板４５ＡＫ５０に挿通し、対応するねじ孔４５ＡＫ３７ａ〜４５ＡＫ３７ｅに締め付ける。これにより、支持部４５ＡＫ３５に支持されていたヒートシンク４５ＡＫ４０及び基板４５ＡＫ５０は、後ケース４５ＡＫ３０に向けて押し付けられる。これにより、図２６（ｂ）に示すように、支持部４５ＡＫ３５は弾性変形し、その先端は距離Ｌだけ後方に変位する。このように弾性変形した支持部４５ＡＫ３５は、当接するヒートシンク４５ＡＫ４０を前方に押圧する。一方、ねじ４５ＡＫ８１ａ〜４５ＡＫ８１ｅは、ヒートシンク４５ＡＫ４０を介して前方に押圧されている基板４５ＡＫ５０を押さえ込む。これにより、ヒートシンク４５ＡＫ４０と熱伝導シート４５ＡＫ７０とが密着するとともに、電子部品４５ＡＫ６０と熱伝導シート４５ＡＫ７０とが密着する。このような構成により、電子部品４５ＡＫ６０から発せられた熱は、熱伝導シート４５ＡＫ７０を介してヒートシンク４５ＡＫ４０に伝わり、ヒートシンク４５ＡＫ４０から放熱される。
【０１５２】
（特徴部４５ＡＫの効果等について）
特徴部４５ＡＫに係る遊技機の効果について、図面を参照しながら説明する。図２７は、ヒートシンク４５ＡＫ４０と電子部品４５ＡＫ６０との関係を説明するための平面図である。また、図２８は、基板ケース４５ＡＫ１０内における空気の流れを説明するための説明図である。なお、図２７は、ヒートシンク４５ＡＫ４０をフィン４５ＡＫ４２側からみた図であるため、電子部品４５ＡＫ６０はかくれ線である破線で図示している。また、ヒートシンク４５ＡＫ４０と電子部品４５ＡＫ６０との間には、熱伝導シート４５ＡＫ７０が介在して熱を伝導させているが、便宜上、熱伝導シート４５ＡＫ７０の図示を省略して、電子部品４５ＡＫ６０の全面からヒートシンク４５ＡＫ４０に熱が伝導するものとする。なお、二点鎖線で示した電子部品４５ＡＫ６１は、電子部品４５ＡＫ６０と比較するために示した比較例である。
【０１５３】
図２７に示すように、平面視した場合に、矩形状の電子部品４５ＡＫ６０は、その辺４５ＡＫ６０ａ〜４５ＡＫ６０ｄが、矩形状のヒートシンクの辺４５ＡＫ４０ａ〜４５ＡＫ４０ｄと平行とならないように配置されている。すなわち、各辺をヒートシンクの辺４５ＡＫ４０ａ〜４５ＡＫ４０ｄと平行となるように配置した電子部品４５ＡＫ６１を、中心点Ｏを中心に所定角度θだけ回転させることで、電子部品４５ＡＫ６０の配置とすることができる。所定角度θは例えば略４５°である。なお、電子部品４５ＡＫ６０が略正方形状であるため、電子部品４５ＡＫ６０の対角線は上下左右方向を向く。電子部品４５ＡＫ６０をこのような配置とすることで、電子部品４５ＡＫ６０の頂点４５ＡＫ６０ｆをフィン４５ＡＫ４２ｂよりも右側（図中左側）に、電子部品４５ＡＫ６０の頂点４５ＡＫ６０ｅをフィン４５ＡＫ４２ｄよりも左側（図中右側）に配置することができる。一方、ヒートシンク４５ＡＫ４０と向きが一致するように配置された比較例の電子部品４５ＡＫ６１においては、いずれの部位も、フィン４５ＡＫ４２ｂよりも右側（図中左側）に、あるいはフィン４５ＡＫ４２ｄよりも左側（図中右側）に位置していない。これにより、電子部品４５ＡＫ６０は、フィン４５ＡＫ４２ｂ及びフィン４５ＡＫ４２ｄに多くの熱を伝えることができ、放熱する際にフィン４５ＡＫ４２ｂとフィン４５ＡＫ４２ｄとを有効利用することができる。これにより、電子部品４５ＡＫ６０から発生した熱の放熱効果を高めることができる。なお、上記では、ヒートシンク４５ＡＫ４０に対する電子部品４５ＡＫ６０の配置態様について記載したが、これは当然に、電子部品４５ＡＫ６０に対するヒートシンク４５ＡＫ４０の配置態様として記載したとしても技術的に同等である。
【０１５４】
また、電子部品４５ＡＫ６０から発せられた熱は、ヒートシンク４５ＡＫ４０に伝わって放熱されるものだけでなく、その一部は電子部品４５ＡＫ６０から直接上方に放熱される。このように電子部品４５ＡＫ６０から直接上方に放熱される量は、電子部品４５ＡＫ６０の左右方向の長さが長いほどより大きくなる。ここで、図２７に示すように、電子部品４５ＡＫ６０の左右方向の幅Ｗ１は、比較例である電子部品４５ＡＫ６１の左右方向の幅Ｗ２よりも大きい。そのため、電子部品４５ＡＫ６０の配置とした方が、電子部品４５ＡＫ６０から発せられた熱をより多く直接上方に向けて放熱させることができる。これにより、電子部品４５ＡＫ６０から発生した熱の放熱効果を高めることができる。
【０１５５】
また、図２８に示すように、後ケース４５ＡＫ３０の下部には空気が流入するための空気孔４５ＡＫ３３が形成され、後ケース４５ＡＫ３０の上部には空気を排出するための空気孔４５ＡＫ３２が形成されている。これにより、基板ケース４５ＡＫ１０内には、上下方向に沿った空気の通り道が確保されている。空気孔４５ＡＫ３３から流入した空気（矢印Ｙ１）は上方へと移動する。上方へと移動した空気は、やがて、ヒートシンク４５ＡＫ４０に形成されたフィン４５ＡＫ４２の間を通り抜ける（矢印Ｙ２）。このときに、ヒートシンク４５ＡＫ４０の熱が奪われ、空気が暖められる。暖められた空気は、ヒートシンク４５ＡＫ４０の上方に配置された高さの低い電子部品４５ＡＫ５１の間を通り（矢印Ｙ３）、あるいは、高さの低い電子部品４５ＡＫ５１の後方を通り（矢印Ｙ４）、上方へと移動する。やがて上方へと移動した空気は、後ケース４５ＡＫ３０の上部に形成された空気孔４５ＡＫ３２から排出される（矢印Ｙ５）。このように、ヒートシンク４５ＡＫ４０の上方に、高さの低い電子部品４５ＡＫ５１を配置することで、電子部品４５ＡＫ５１間だけでなく、電子部品４５ＡＫ５１の後方に空気を通すことができる。一方、高さの高い電子部品４５ＡＫ５２は、ヒートシンク４５ＡＫ４０の上方及び下方には配置せずに、右方（図中左側）に配置している。これにより、下方から上方へと移動する空気の流れを阻害することなく、電子部品４５ＡＫ６０から発生した熱の放熱効果を高めることができる。
【０１５６】
また、電子部品４５ＡＫ５１の長手方向を、上下方向に一致させていることにより、電子部品４５ＡＫ５１間を大きくとることができる。これにより、上方に移動する空気の流れを阻害することなく、電子部品４５ＡＫ６０から発生した熱の放熱効果を高めることができる。
【０１５７】
また、ヒートシンク４５ＡＫ４０を、左右方向に平行に配列されたフィン４５ＡＫ４２が上下方向を向くように配置している。これにより、下方から上方に向けて移動する空気を、上下方向に沿ったフィン４５ＡＫ４２の間に通すことができる。これにより、上方向に移動する空気の流れを阻害することなく、電子部品４５ＡＫ６０から発生した熱の放熱効果を高めることができる。
【０１５８】
また、電子部品４５ＡＫ６０とヒートシンク４５ＡＫ４０との間に介在した熱伝導シート４５ＡＫ７０を、両面が粘着する柔軟な熱伝導シートとしている。そのため、熱伝導シート４５ＡＫ７０を、電子部品４５ＡＫ６０とヒートシンク４５ＡＫ４０とに隙間なく密着させることができる。これにより、電子部品４５ＡＫ６０から発生した熱を、熱伝導シート４５ＡＫ７０を介してヒートシンク４５ＡＫ４０にスムーズに伝えることができる。
【０１５９】
また、後ケース４５ＡＫ３０には、発熱性の電子部品４５ＡＫ６０にヒートシンク４５ＡＫ４０を押圧する支持部４５ＡＫ３５が設けられている。これにより、ヒートシンク４５ＡＫ４０及び電子部品４５ＡＫ６０は熱伝導シート４５ＡＫ７０を押圧し、熱伝導シート４５ＡＫ７０に隙間なく密着する。これにより、電子部品４５ＡＫ６０から発生した熱を、熱伝導シート４５ＡＫ７０を介してヒートシンク４５ＡＫ４０にスムーズに伝えることができる。
【０１６０】
また、図２３、３３に示すように、基板４５ＡＫ５０は複数のねじ４５ＡＫ８１ａ〜４５ＡＫ８１ｅによって後ケース４５ＡＫ３０に取付けられる。複数のねじ４５ＡＫ８１ａ〜４５ＡＫ８１ｅのうち、ねじ４５ＡＫ８１ｄ及びねじ４５ＡＫ８１ｅは、電子部品４５ＡＫ６０の近傍のねじ挿通孔４５ＡＫ５５ｄ及びねじ挿通孔４５ＡＫ５５ｅに挿通され、後ケース４５ＡＫ３０に締め付けられる。このように、電子部品４５ＡＫ６０の近傍で、ねじ４５ＡＫ８１ｄ及びねじ４５ＡＫ８１ｅを後ケース４５ＡＫ３０に締めつけることで、電子部品４５ＡＫ６０に接着されたヒートシンク４５ＡＫ４０を後ケース４５ＡＫ３０に向けて確実に押さえつけることができる。これにより、ヒートシンク４５ＡＫ４０と電子部品４５ＡＫ６０との接着を確実なものとすることができる。
【０１６１】
また、支持部４５ＡＫ３５は、ベース板４５ＡＫ３０ａの切欠き４５ＡＫ３０ｆ内に配置されており、支持部４５ＡＫ３５と切欠き４５ＡＫ３０ｆとの間には、若干の隙間ｔ（図２５（ａ））が設けられている。この隙間ｔから、ヒートシンク４５ＡＫ４０に伝わった熱を基板ケース４５ＡＫ１０の外部へ逃がすことができる。これにより、電子部品４５ＡＫ６０から発生した熱を効率的に放熱することができる。
【０１６２】
また、基板４５ＡＫ５０が後ケース４５ＡＫ３０に設置されていない場合、支持部４５ＡＫ３５は、突出部４５ＡＫ３５ａを除き後ケース４５ＡＫ３０のベース板４５ＡＫ３０ａと面一にある。一方、後ケース４５ＡＫ３０に基板４５ＡＫ５０が設置されると、支持部４５ＡＫ３５は、後方に撓んでベース板４５ＡＫ３０ａとの間でずれが生じる。このように、支持部４５ＡＫ３５とベース板４５ＡＫ３０ａとの間に生じるずれにより、隙間ｔから熱を逃がしやすくすることができる。これにより、電子部品４５ＡＫ６０から発生した熱を効率的に放熱することができる。
【０１６３】
（他の実施形態１について）
図２９は、他の実施形態１に係る遊技機の基板ケースにヒートシンク及び基板を取付ける様子を示した断面図である。なお、他の形態に関する以下の説明では、上記の形態と異なる点を中心に説明する。なお、上記形態と同一の部材については、同一の符号を付すものとし、その説明は省略する。図２９に示すように、後ケース４５ＡＫ１３０には、図２４に示す支持部４５ＡＫ３５の代わりに、ヒートシンク４５ＡＫ４０のフィン４５ＡＫ４２と当接し支持するばね４５ＡＫ１３５が設けられている。ばね４５ＡＫ１３５は、圧縮コイルばねであるが、その他、ばね座金等の板ばねを採用することができる。また、後ケース４５ＡＫ１３０には、ヒートシンク４５ＡＫ４０の熱を外部に放出するための複数の空気孔４５ＡＫ１３８が形成されている。なお、ヒートシンク４５ＡＫ４０及び基板４５ＡＫ５０の後ケース４５ＡＫ１３０の取付けかたについては、上記の形態と同様である。すなわち、ヒートシンク４５ＡＫ４０を位置決め部４５ＡＫ１３４に合わせて載置する。このとき、ばね４５ＡＫ１３５上にはフィン４５ＡＫ４２が載せられる。続いて、熱伝導シート４５ＡＫ７０が電子部品４５ＡＫ６０に貼付された基板４５ＡＫ５０を、挿入凸部４５ＡＫ１３６に差し込むことで位置合わせをして、ヒートシンク４５ＡＫ４０上に載置する。続いて、ねじ４５ＡＫ８１ｅを基板４５ＡＫ５０に挿通して、ねじ孔４５ＡＫ３７ｅに締結する。これにより、ばね４５ＡＫ１３５は、フィン４５ＡＫ４２に押圧されて縮むとともに、フィン４５ＡＫ４２を基板４５ＡＫ５０に向けて押圧する。これにより、熱伝導シート４５ＡＫ７０を、ヒートシンク４５ＡＫ４０及び電子部品４５ＡＫ６０に密着させることができる。
【０１６４】
（他の実施形態２について）
また、図３０は、他の実施形態２に係る遊技機の基板ケースにヒートシンク及び基板を取付ける様子を示した断面図である。図３０に示すように、後ケース４５ＡＫ２３０には、上記実施形態とは異なり、支持部４５ＡＫ３５（図２４）やばね４５ＡＫ１３５（図２９）のようなフィン４５ＡＫ２４２を支持する部材は設けられていない。なお、後ケース４５ＡＫ２３０には、ヒートシンク４５ＡＫ２４０の熱を外部に放出するための複数の空気孔４５ＡＫ２３８が形成されている。
【０１６５】
基板４５ＡＫ２５０には、ねじ４５ＡＫ２５１を通すためのねじ挿通孔４５ＡＫ２５２が形成されている。また、ヒートシンク４５ＡＫ２４０には、ねじ４５ＡＫ２５１を締めつけるためのねじ孔４５ＡＫ２４３が形成されている。ねじ４５ＡＫ２５１を、基板４５ＡＫ２５０に形成されたねじ挿通孔４５ＡＫ２５２に挿通し、ヒートシンク４５ＡＫ２４０に形成されたねじ孔４５ＡＫ２４３に締め付けることにより、ヒートシンク４５ＡＫ２４０と基板４５ＡＫ２５０とを一体化することができる。この時、ねじ４５ＡＫ２５１を十分に締め付けることにより、ヒートシンク４５ＡＫ２４０が基板４５ＡＫ２５０側に引き寄せられる。これにより、熱伝導シート４５ＡＫ２７０を、ヒートシンク４５ＡＫ２４０及び電子部品４５ＡＫ２６０に密着させることができる。
【０１６６】
（特徴部５５ＡＫに関する説明）
図３１は、本実施形態の特徴部５５ＡＫに関し、接続配線部材５５ＡＫ０１の構成例を示している。接続配線部材５５ＡＫ０１は、例えば演出制御基板１２および画像表示装置５といった、複数の電気部品を電気的に接続可能な接続部材である。接続配線部材５５ＡＫ０１は、例えばフレキシブル配線基板あるいはフレキシブルフラットケーブルといった、一部または全部が可撓性を有する材料を用いて構成されていればよい。接続配線部材５５ＡＫ０１では、複数の電気部品を複数の信号配線により接続するために、複数の信号配線を構成する配線のパターンが形成されている。接続配線部材５５ＡＫ０１において、複数の信号配線を構成する配線のパターンは、配線のパターン５５ＡＫ１０〜５５ＡＫ２２を含んでいる。
【０１６７】
配線のパターン５５ＡＫ１０〜５５ＡＫ２２により構成される信号配線は、一端がコネクタプラグ５５ＡＫ１Ｐに接続され、他端がコネクタプラグ５５ＡＫ２Ｐに接続される。コネクタプラグ５５ＡＫ１Ｐは、例えば演出制御基板１２といった、一方の電気部品を複数の信号配線と電気的に接続可能とする配線接続部品である。コネクタプラグ５５ＡＫ２Ｐは、例えば画像表示装置５といった、他方の電気部品を複数の信号配線と電気的に接続可能とする配線接続部品である。
【０１６８】
配線のパターン５５ＡＫ１０は、例えばグランド電圧といった、基準電圧に維持される信号配線を形成する。配線のパターン５５ＡＫ１０は、線状の信号配線を形成してもよいし、一部または全部に面状の信号配線を形成してもよい。配線のパターン５５ＡＫ１１〜５５ＡＫ２２は、２つの信号配線を組み合わせて一対の信号配線を構成してもよい。例えば配線のパターン５５ＡＫ１１により構成される信号配線は、配線のパターン５５ＡＫ１２により構成される信号配線と組み合わせて、一対の信号配線を構成している。
【０１６９】
図３１の構成例において、配線のパターン５５ＡＫ２１、５５ＡＫ２２には、蛇行形状が設けられていない。配線のパターン５５ＡＫ１１〜５５ＡＫ２０には、少なくとも一部に蛇行形状が設けられている。例えば、配線のパターン５５ＡＫ１１〜５５ＡＫ２０により構成される複数の信号配線は、図３１に示す領域５５ＡＫ１０Ｚにて、一部または全部の信号配線が、直線形状または略直線形状の第１形状とは異なる蛇行形状などの第２形状となる。これに対し、配線のパターン５５ＡＫ２１、５５ＡＫ２２それぞれにより構成される信号配線は、図３１に示す領域５５ＡＫ１０Ｚにて、直線形状または略直線形状の第１形状となる。配線のパターン５５ＡＫ１１〜５５ＡＫ２０により構成される複数の信号配線のうち、配線のパターン５５ＡＫ１１、５５ＡＫ１２それぞれにより構成される信号配線は、図３１に示す領域５５ＡＫ１０Ｚにて、直線形状または略直線形状の第１形状となる。その一方で、配線のパターン５５ＡＫ１１、５５ＡＫ１２それぞれにより構成される信号配線は、図３１に示す領域５５ＡＫ１０Ｚ以外の領域（領域５５ＡＫ１０Ｚよりもコネクタプラグ５５ＡＫ１Ｐに近い領域）にて、例えば蛇行形状など、第１形状とは異なる第２形状となる。
【０１７０】
図３１に示す配線のパターン５５ＡＫ１０〜５５ＡＫ２２により構成される複数の信号配線は、少なくとも一部の信号配線の配線長が、同一または略同一となる。例えば配線のパターン５５ＡＫ１１〜５５ＡＫ２２により構成される複数の信号配線は、配線長が同一または略同一となる。このうち、配線のパターン５５ＡＫ１１〜５５ＡＫ２０により構成される複数の信号配線は、少なくとも一部分が蛇行形状となることにより、配線のパターン５５ＡＫ２１、５５ＡＫ２２により構成される信号配線と、配線長が同一または略同一となればよい。配線のパターン５５ＡＫ２１、５５ＡＫ２２により構成される信号配線は、配線のパターン５５ＡＫ１０〜５５ＡＫ２０により構成される信号配線に比べて、接続配線部材５５ＡＫ０１の信号配線面上で、コネクタプラグ５５ＡＫ１Ｐとコネクタプラグ５５ＡＫ２Ｐにおける接続端子間の距離が長くなっていてもよい。接続配線部材５５ＡＫ０１において、複数の信号配線が平行または略平行な第１形状となる平行配線部と、複数の信号配線のうち少なくとも１の信号配線が、他の信号配線と平行でない第２形状となる特定配線部とを含むように、配線のパターンが形成されてもよい。これにより、配線のパターンを配置する接続部材における面積の増大が抑制されて、構成の小型化を図ることができる。少なくとも一部の信号配線の配線長が、同一または略同一となるように配線のパターンが形成されることにより、複数の信号配線で伝送される信号の遅延時間差を減少させて、複数の信号配線で伝送される信号の信頼性を向上させることができる。
【０１７１】
接続配線部材５５ＡＫ０１は、領域５５ＡＫ２Ｚにて曲折することにより、全体がＬ字形状または略Ｌ字形状を有するように形成されている。このように、接続配線部材５５ＡＫ０１には、曲折部となる領域５５ＡＫ２Ｚが設けられている。接続配線部材５５ＡＫ０１におけるコネクタプラグ５５ＡＫ１Ｐから領域５５ＡＫ２Ｚまでの区間では、配線のパターン５５ＡＫ１１〜５５ＡＫ２２により構成される複数の信号配線が、例えば図３１に示すＸ軸に沿う方向といった、第１方向に延設されるように形成されている。接続配線部材５５ＡＫ０１における領域５５ＡＫ２Ｚからコネクタプラグ５５ＡＫ２Ｐまでの区間では、配線のパターン５５ＡＫ１１〜５５ＡＫ２２により構成される複数の信号配線が、例えば図３１に示すＺ軸に沿う方向といった、第１方向とは異なる第２方向に延設されるように形成されている。接続配線部材５５ＡＫ０１における領域５５ＡＫ２Ｚでは、配線のパターン５５ＡＫ１１〜５５ＡＫ２２により構成される複数の信号配線について、延設方向が第１方向から第２方向へと変更される。第１方向と第２方向は、互いに交差する方向であればよい。領域５５ＡＫ２Ｚは、所定角度を有する角形状であってもよいし、所定曲率を有する円弧形状であってもよい。なお、配線のパターン５５ＡＫ１０により構成される信号配線は、一部または全部に面上の信号配線を含む場合に、線状の信号配線とは異なり延設方向を特定できないことがある。ただし、信号配線の全体としては、他の配線のパターン５５ＡＫ１１〜５５ＡＫ２２と同様に、コネクタプラグ５５ＡＫ１Ｐから領域５５ＡＫ２Ｚを介してコネクタプラグ５５ＡＫ２Ｐへと向かう方向に延設されるように形成されていればよい。
【０１７２】
図３２は、図３１に示されるＡ−Ａ断面図である。接続配線部材５５ＡＫ０１は、例えばポリイミド樹脂などの合成樹脂を重ねて形成された多層構造を有し、各層の表面または内層には様々な配線のパターンを形成可能とされている。このような多層構造を有する接続配線部材５５ＡＫ０１に形成された配線のパターンを介して、例えば演出制御基板１２と画像表示装置５といった、複数の電気部品が電気的に接続される。図３２に示す接続配線部材５５ＡＫ０１の多層構造は、表面層５５ＡＫ１Ｓと、電源層５５ＡＫ１Ｌと、配線層５５ＡＫ２Ｌと、裏面層５５ＡＫ２Ｓとを含んでいる。表面層５５ＡＫ１Ｓは、カバー層５５ＡＫ１Ｖによって覆われて保護されている。裏面層５５ＡＫ２Ｓは、カバー層５５ＡＫ２Ｖによって覆われて保護されている。
【０１７３】
接続配線部材５５ＡＫ０１における一面となる表面には、表面層５５ＡＫ１Ｓが設けられ、信号配線を構成する配線のパターン５５ＡＫ１０〜５５ＡＫ２２が形成されている。接続配線部材５５ＡＫ０１における他面となる裏面には、裏面層５５ＡＫ２Ｓが設けられる。裏面層５５ＡＫ２Ｓには、配線のパターン５５ＡＫ１０〜５５ＡＫ２２により構成される複数の信号配線に対応して、複数の信号配線を構成する配線のパターン５５ＡＫ３０〜５５ＡＫ４２が形成されていればよい。このように、複数の信号配線を構成する配線のパターンは、接続配線部材５５ＡＫ０１の両面に形成されていればよい。
【０１７４】
接続配線部材５５ＡＫ０１の表面層５５ＡＫ１Ｓに形成された配線のパターン５５ＡＫ１１は、接続配線部材５５ＡＫ０１の表面層５５ＡＫ１Ｓおよび裏面層５５ＡＫ２Ｓを貫通するスルーホール５５ＡＫ１Ｈなどの貫通部を介して、裏面層５５ＡＫ２Ｓに形成された配線のパターン５５ＡＫ３１と電気的に接続されている。接続配線部材５５ＡＫ０１の表面層５５ＡＫ１Ｓに形成された配線のパターン５５ＡＫ１２は、接続配線部材５５ＡＫ０１の表面層５５ＡＫ１Ｓおよび裏面層５５ＡＫ２Ｓを貫通するスルーホール５５ＡＫ２Ｈなどの貫通部を介して、裏面層５５ＡＫ２Ｓに形成された配線のパターン５５ＡＫ３２と電気的に接続されている。その他、接続配線部材５５ＡＫ０１の表面層５５ＡＫ１Ｓに形成された配線のパターン５５ＡＫ１０、５５ＡＫ１３〜５５ＡＫ２２は、スルーホールなどの貫通部を介して、裏面層５５ＡＫ２Ｓに形成された配線のパターン５５ＡＫ３０、５５ＡＫ３３〜５５ＡＫ４２と電気的に接続されていればよい。配線のパターン５５ＡＫ１０〜５５ＡＫ２２により構成される複数の信号配線のうちには、接続配線部材５５ＡＫ０１の表面層５５ＡＫ１Ｓにのみ形成され、裏面層５５ＡＫ２Ｓに形成された信号配線とは電気的に接続されない信号配線が含まれてもよい。接続配線部材５５ＡＫ０１の領域５５ＡＫ２Ｚには、スルーホール５５ＡＫ１Ｈ、５５ＡＫ２Ｈのように、一面となる表面に設けられた表面層５５ＡＫ１Ｓにおいて信号配線を構成する配線のパターンと、他面となる裏面に設けられた裏面層５５ＡＫ２Ｓにおいて信号配線を構成する配線のパターンとを、電気的に接続可能な貫通部が設けられている。
【０１７５】
図３３は、接続配線部材５５ＡＫ０１を用いた演出制御基板１２と画像表示装置５との接続例を示している。接続配線部材５５ＡＫ０１が備えるコネクタプラグ５５ＡＫ１Ｐは、演出制御基板１２に設けられたコネクタポート５５ＡＫ１ＳＴに差し込まれる。接続配線部材５５ＡＫ０１が備えるコネクタプラグ５５ＡＫ２Ｐは、画像表示装置５に設けられたコネクタポート５５ＡＫ２ＳＴに差し込まれる。演出制御基板１２に設けられたコネクタポート５５ＡＫ１ＳＴや画像表示装置５に設けられたコネクタポート５５ＡＫ２ＳＴは、上記実施の形態で示されたレセプタクルＫＲＥ１〜ＫＲＥ４と同様の電気部品であり、他の電気部品との間で電気的に接続される信号配線を着脱自在に接続可能な配線接続装置の構成を有していればよい。例えば、一方の電気部品であるコネクタポート５５ＡＫ１ＳＴは、演出制御基板１２に設けられて、接続配線部材５５ＡＫ０１のコネクタプラグ５５ＡＫ１Ｐを着脱可能に構成され、他方の電気部品であるコネクタポート５５ＡＫ２ＳＴは、画像表示装置５に設けられて、接続配線部材５５ＡＫ０１のコネクタプラグ５５ＡＫ２Ｐを着脱可能に構成される。コネクタポート５５ＡＫ１ＳＴにコネクタプラグ５５ＡＫ１Ｐを装着し、コネクタポート５５ＡＫ２ＳＴにコネクタプラグ５５ＡＫ２Ｐを装着することにより、接続配線部材５５ＡＫ０１に形成された配線のパターン５５ＡＫ１０〜５５ＡＫ２２が構成する複数の信号配線は、一方の電気部品であるコネクタポート５５ＡＫ１ＳＴと他方の電気部品であるコネクタポート５５ＡＫ２ＳＴとの間を電気的に接続可能となる。
【０１７６】
図３４は、図３３のような接続例における接続配線部材５５ＡＫ０１の上面図である。接続配線部材５５ＡＫ０１では、少なくとも領域５５ＡＫ１Ｚが可撓性を有している。これにより、コネクタポート５５ＡＫ１ＳＴにコネクタプラグ５５ＡＫ１Ｐを装着し、コネクタポート５５ＡＫ２ＳＴにコネクタプラグ５５ＡＫ２Ｐを装着した場合には、領域５５ＡＫ１Ｚにて接続配線部材５５ＡＫ０１が湾曲するように折り曲げられ、コネクタプラグ５５ＡＫ１Ｐとコネクタプラグ５５ＡＫ２Ｐの方向を、コネクタポート５５ＡＫ１ＳＴとコネクタポート５５ＡＫ２ＳＴの方向にあわせて、調整することができる。図３３および図３４に示す例では、演出制御基板１２に設けられたコネクタポート５５ＡＫ１ＳＴに対し、接続配線部材５５ＡＫ０１のコネクタプラグ５５ＡＫ１ＰをＹ軸正方向からＹ軸負方向に向けて差し込むことにより装着する。また、画像表示装置５に設けられたコネクタポート５５ＡＫ２ＳＴに対し、接続配線部材５５ＡＫ０１のコネクタプラグ５５ＡＫ２ＰをＺ軸負方向からＺ軸正方向に向けて差し込むことにより装着する。例えば、まずは、コネクタプラグ５５ＡＫ２Ｐをコネクタポート５５ＡＫ２ＳＴに差し込んで装着し、その後、コネクタプラグ５５ＡＫ１Ｐをコネクタポート５５ＡＫ１ＳＴに差し込んで装着する。このような順番で装着すれば、接続配線部材５５ＡＫ０１の領域５５ＡＫ１Ｚが有する可撓性により、接続配線部材５５ＡＫ０１を容易に装着することができる。
【０１７７】
図３５は、他の接続例を示している。図３５に示す接続例でも、接続配線部材５５ＡＫ０１が備えるコネクタプラグ５５ＡＫ１Ｐは演出制御基板１２に設けられたコネクタポート５５ＡＫ１ＳＴに差し込まれ、接続配線部材５５ＡＫ０１が備えるコネクタプラグ５５ＡＫ２Ｐは画像表示装置５に設けられたコネクタポート５５ＡＫ２ＳＴに差し込まれる。演出制御基板１２のコネクタポート５５ＡＫ１ＳＴは、カバー体３０１からみてＹ軸正方向側となるカバー体３０１の背面側に配置され、画像表示装置５のコネクタポート５５ＡＫ２ＳＴは、カバー体３０１からみてＹ軸負方向側となるカバー体３０１の前面側に配置されている。接続配線部材５５ＡＫ０１は、カバー体３０１に形成された開口部５５ＡＫ３０を介して、コネクタプラグ５５ＡＫ１Ｐが演出制御基板１２のコネクタポート５５ＡＫ１ＳＴに装着され、コネクタプラグ５５ＡＫ２Ｐが画像表示装置５のコネクタポート５５ＡＫ２ＳＴに装着される。
【０１７８】
図３６は、図３５のような接続例における接続配線部材５５ＡＫ０１の上面図である。接続配線部材５５ＡＫ０１では、領域５５ＡＫ１Ｚの他に、領域５５ＡＫ１０Ｚも可撓性を有していてもよい。図３５に示す接続例において、コネクタポート５５ＡＫ１ＳＴにコネクタプラグ５５ＡＫ１Ｐを装着し、コネクタポート５５ＡＫ２ＳＴにコネクタプラグ５５ＡＫ２Ｐを装着した場合には、領域５５ＡＫ１Ｚに加え、領域５５ＡＫ１０Ｚにて接続配線部材５５ＡＫ０１が湾曲するように折り曲げられ、コネクタプラグ５５ＡＫ１Ｐとコネクタプラグ５５ＡＫ２Ｐの方向を、コネクタポート５５ＡＫ１ＳＴとコネクタポート５５ＡＫ２ＳＴの方向にあわせて、調整することができる。図３５および図３６に示す例でも、図３３および図３４に示された例と同様に、まずは、コネクタプラグ５５ＡＫ２Ｐをコネクタポート５５ＡＫ２ＳＴに差し込んで装着する。続いて、接続配線部材５５ＡＫ０１をコネクタプラグ５５ＡＫ１Ｐからカバー体３０１の開口部５５ＡＫ３０に通すことで、カバー体３０１の前面側から背面側へと接続配線部材５５ＡＫ０１を引き出す。その後、コネクタプラグ５５ＡＫ１Ｐをコネクタポート５５ＡＫ１ＳＴに差し込んで装着する。このような順番で装着すれば、接続配線部材５５ＡＫ０１の領域５５ＡＫ１０Ｚが有する可撓性により、カバー体３０１の開口部５５ＡＫ３０にて折り返すようにクセ付けられ、接続配線部材５５ＡＫ０１を容易に装着することができる。
【０１７９】
図３３〜図３６に示された接続例では、接続配線部材５５ＡＫ０１の領域５５ＡＫ１Ｚや領域５５ＡＫ１０Ｚが有する可撓性により、接続配線部材５５ＡＫ０１の装着時に湾曲するように折り曲げられる。このように、接続配線部材５５ＡＫ０１は、例えば基体が柔軟なシート状に形成され、領域５５ＡＫ１Ｚや領域５５ＡＫ１０Ｚが可撓性を有している。こうした接続配線部材５５ＡＫ０１に対し、補強部材５５ＡＫ０２が取付けられている。補強部材５５ＡＫ０２は、例えばアクリル系樹脂材料などの合成樹脂材料、石英ガラスなどの石英系材料、セラミック系材料その他の材料を選択的に用いて、可撓性を有しないように構成されていればよい。この補強部材５５ＡＫ０２が取付けられた位置では、例えば配線のパターン５５ＡＫ１０により構成される信号配線と接続される回路部品５５ＡＫ１Ｒが実装されている。回路部品５５ＡＫ１Ｒは、上記実施の形態における回路部品４２ＡＫ１Ｒと同様に、回路素子あるいは機能回路を構成するものであればよい。例えば、回路部品５５ＡＫ１Ｒは、配線のパターン５５ＡＫ１０により構成される信号配線が基準電圧となるグランド電圧あるいは所定の電源電圧に維持される場合に、信号配線でのノイズ発生を防止するノイズ除去回路として構成されてもよい。回路部品５５ＡＫ１Ｒは、可撓性を有しない補強部材５５ＡＫ０２が取付けられた位置にて実装されているので、可撓性を有する位置にて実装された場合と比較して、接続配線部材５５ＡＫ０１からの脱落や信号配線の断線が発生しにくくなる。
【０１８０】
複数の信号配線を構成する配線のパターンは、接続配線部材５５ＡＫ０１の両面に形成され、接続配線部材５５ＡＫ０１の領域５５ＡＫ２Ｚには、貫通部としてのスルーホールが設けられている。これにより、接続配線部材５５ＡＫ０１の一面となる表面に設けられた信号配線と、接続配線部材５５ＡＫ０１の他面となる裏面に設けられた信号配線とが、電気的に接続可能となる。図３３〜図３６に示された接続例では、接続配線部材５５ＡＫ０１の領域５５ＡＫ１Ｚや領域５５ＡＫ１０Ｚが有する可撓性により、接続配線部材５５ＡＫ０１の装着時に湾曲するように折り曲げられる。その一方で、接続配線部材５５ＡＫ０１の領域５５ＡＫ２Ｚは、接続配線部材５５ＡＫ０１の装着時に折り曲げられることがない。このように、複数の電気部品を複数の信号配線により接続した場合に、接続配線部材５５ＡＫ０１にて形状が変化する領域５５ＡＫ１Ｚや領域５５ＡＫ１０Ｚには、貫通部としてのスルーホールが設けられていない。形状が変化する位置に貫通部が設けられていないので、形状が変化する位置に設けられた場合と比較して、接続配線部材５５ＡＫ０１の強度低下や信号配線の断線が発生しにくくなる。なお、スルーホールなどの貫通部が設けられる位置では、接続配線部材５５ＡＫ０１の基体として、例えばリジッド配線板といった、補強部材５５ＡＫ０２と同様の部材として、あるいは補強部材５５ＡＫ０２とは異なる材料により形成された部材として、可撓性を有しない部材が用いられてもよい。また、貫通部は、接続配線部材５５ＡＫ０１の一面となる表面層５５ＡＫ１Ｓおよび他面となる裏面層５５ＡＫ２Ｓを貫通するスルーホールに限定されず、例えば接続配線部材５５ＡＫ０１の一面あるいは他面と、接続配線部材５５ＡＫ０１の内層として構成された導体層とを貫通するビアなどであってもよい。
【０１８１】
（特徴部５６ＡＫに関する説明）
図３７は、本実施形態の特徴部５６ＡＫに関し、コネクタプラグやコネクタポートの構成例を示している。図３７（Ａ）は、接続配線部材５５ＡＫ０１のコネクタプラグ５５ＡＫ１Ｐを差し込んで装着可能なコネクタポート５６ＡＫ０１の構成例を示している。図３７（Ｂ）は、接続配線部材５５ＡＫ０１のコネクタプラグ５５ＡＫ２Ｐを差し込んで装着可能なコネクタポート５６ＡＫ０２の構成例を示している。コネクタポート５６ＡＫ０１は、例えば図３３や図３５に示された演出制御基板１２が備えるコネクタポート５５ＡＫ１ＳＴとして用いられるものであればよい。コネクタポート５６ＡＫ０２は、例えば図３３や図３５に示された画像表示装置５が備えるコネクタポート５５ＡＫ２ＳＴとして用いられるものであればよい。
【０１８２】
コネクタポート５６ＡＫ０１では、複数の信号配線と接続される複数の端子が、第１ピッチＷ１０で設けられている。コネクタポート５６ＡＫ０２では、複数の信号配線と接続される複数の端子が、第１ピッチＷ１０とは異なる第２ピッチＷ１１で設けられている。例えばコネクタポート５６ＡＫ０１では、第１ピッチＷ１０が１ｍｍ以上３ｍｍ未満となるように、複数の端子が並んで配置されていればよい。コネクタポート５６ＡＫ０２では、第２ピッチＷ１１が３ｍｍ以上５ｍｍ未満となるように、複数の端子が並んで配置されていればよい。第１ピッチＷ１０は第２ピッチＷ１１よりも短くなるように設定されてもよいし、第１ピッチＷ１０は第２ピッチＷ１１よりも長くなるように設定されてもよい。このように、コネクタポート５６ＡＫ０１は、複数の導体としての端子が第１ピッチＷ１０で設けられた第１部品となり、コネクタポート５６ＡＫ０２は、複数の導体としての端子が第２ピッチＷ１１で設けられた第２部品となる。また、コネクタポート５６ＡＫ０１は、接続配線部材５５ＡＫ０１の一端に設けられたコネクタプラグ５５ＡＫ１Ｐが差し込まれて装着されることにより、接続配線部材５５ＡＫ０１に形成された配線のパターン５５ＡＫ１０〜５５ＡＫ２２などで構成される複数の信号配線を着脱自在に接続可能とする配線接続部品である。コネクタポート５６ＡＫ０２は、接続配線部材５５ＡＫ０１の他端に設けられたコネクタプラグ５５ＡＫ２Ｐが差し込まれて装着されることにより、接続配線部材５５ＡＫ０１に形成された配線のパターン５５ＡＫ１０〜５５ＡＫ２２などで構成される複数の信号配線を着脱自在に接続可能とする配線接続部品である。
【０１８３】
コネクタポート５６ＡＫ０１では複数の端子が第１ピッチＷ１０で配置される一方で、接続配線部材５５ＡＫ０１の一端に設けられたコネクタプラグ５５ＡＫ１Ｐは、複数の信号配線に対応する複数の接触導体が、第１ピッチＷ１０に対応する間隔となるように形成されている。コネクタポート５６ＡＫ０２では複数の端子が第２ピッチＷ１１で配置される一方で、接続配線部材５５ＡＫ０１の他端に設けられたコネクタプラグ５５ＡＫ２Ｐは、複数の信号配線に対応する複数の接触導体が、第２ピッチＷ１１に対応する間隔となるように形成されている。接続配線部材５５ＡＫ０１におけるコネクタプラグ５５ＡＫ１Ｐの近傍には、複数の信号配線を第１ピッチＷ１０に対応した間隔となるように調整する第１調整部が設けられてもよい。接続配線部材５５ＡＫ０１におけるコネクタプラグ５５ＡＫ２Ｐの近傍には、複数の信号配線を第２ピッチＷ１１に対応した間隔となるように調整する第２調整部が設けられてもよい。接続配線部材５５ＡＫ０１では、配線のパターン５５ＡＫ１０〜５５ＡＫ２２により構成される複数の信号配線のうち、少なくとも一部の信号配線の配線長が、同一または略同一となる。
【０１８４】
図３８は、複数の電気部品について他の構成例を示している。図３８（Ａ）は、配線のパターンにより構成される複数の信号配線と電気的に接続可能な電子部品５６ＡＫ１ＩＣの構成例を示している。図３８（Ｂ）は、配線のパターンにより構成される複数の信号配線と電気的に接続可能な電子部品５６ＡＫ２ＩＣの構成例を示している。電子部品５６ＡＫ１ＩＣおよび電子部品５６ＡＫ２ＩＣは、例えば主基板１１あるいは演出制御基板１２などの制御基板といった、所定部材に実装されたＩＣチップなどの機能回路（例えばプロセッサまたはメモリなど）であればよい。図３８に示す電子部品５６ＡＫ１ＩＣおよび電子部品５６ＡＫ２ＩＣの一方または双方が用いられる場合に、例えば図８に示された特徴部３０ＡＫにおける配線のパターンなどが構成する複数の信号配線により、複数の電気部品を電気的に接続可能とすればよい。図８に示された特徴部３０ＡＫにおける配線のパターンに限定されず、例えば図１６〜図２０に示された特徴部４２ＡＫにおける配線のパターンや、図２１に示された特徴部４３ＡＫにおける配線のパターン、図２２に示された特徴部４４ＡＫにおける配線のパターンなど、一部または全部の信号配線の配線長が、同一または略同一となる複数の信号配線により、複数の電気部品を電気的に接続可能であればよい。これにより、複数の信号配線で伝送される信号の遅延時間差を減少させて、複数の信号配線で伝送される信号の信頼性を向上させることができる。また、制御基板や電気機器の内部回路における配線のパターンを配置する面積の増大が抑制されて、基板や装置の小型化を図ることができる。
【０１８５】
電子部品５６ＡＫ１ＩＣに対応して設けられた接続導体部５６ＡＫ１ＰＤでは、複数の信号配線と接続される複数の端子に対応する接続導体（例えば接続パッド）が、第１ピッチＷ１０で設けられている。電子部品５６ＡＫ２ＩＣに対応して設けられた接続導体部５６ＡＫ２ＰＤでは、複数の信号配線と接続される複数の端子に対応する接続導体（例えば接続パッド）が、第１ピッチＷ１０とは異なる第２ピッチＷ１１で設けられている。第１ピッチＷ１０や第２ピッチＷ１１は、図３７に示されたコネクタポート５６ＡＫ０１やコネクタポート５６ＡＫ０２の場合と同様に設定されてもよい。このように、電子部品５６ＡＫ１ＩＣは、複数の導体としての端子や接続導体などが第１ピッチＷ１０で設けられた第１部品となり、電子部品５６ＡＫ２ＩＣは、複数の導体としての端子や接続導体などが第２ピッチＷ１１で設けられた第２部品となる。電子部品５６ＡＫ１ＩＣおよび電子部品５６ＡＫ２ＩＣは、例えば複数の端子に対応する接続導体が、配線のパターンにより構成される信号配線と接合されることにより、他の電気部品と電気的に接続可能な電気部品となる。接続導体が信号配線と接合される方式は、はんだなどを用いた金属接合方式であってもよいし、導電性樹脂接合や異方性導電部材接合などの接着接合方式であってもよい。複数の信号配線は、接続導体部５６ＡＫ１ＰＤや接続導体部５６ＡＫ２ＰＤにて複数の接続導体と接合される場合に限定されず、例えば電子部品５６ＡＫ１ＩＣ、５６ＡＫ２ＩＣが備える複数の端子と、直接に接合されてもよい。
【０１８６】
電子部品５６ＡＫ１ＩＣでは複数の端子が第１ピッチＷ１０で配置される一方で、配線のパターンは、複数の信号配線が電子部品５６ＡＫ１ＩＣと接続される一端にて、複数の信号配線が第１ピッチＷ１０に対応した間隔となるように形成されている。電子部品５６ＡＫ２ＩＣでは複数の端子が第２ピッチＷ１１で配置される一方で、配線のパターンは、複数の信号配線が電子部品５６ＡＫ２ＩＣと接続される他端にて、複数の信号配線が第２ピッチＷ１１に対応した間隔となるように形成されている。配線のパターンにおける電子部品５６ＡＫ１ＩＣの近傍には、複数の信号配線を第１ピッチＷ１０に対応した間隔となるように調整する第１調整部が設けられてもよい。配線のパターンにおける電子部品５６ＡＫ２ＩＣの近傍には、複数の信号配線を第２ピッチＷ１１に対応した間隔となるように調整する第２調整部が設けられてもよい。これにより、各種部品が接続される場合に、配線間隔を調整可能として、複数の部品を適切に接続することができる。また、配線のパターンを配置する接続手段における面積の増大が抑制されて、構成の小型化を図ることができる。
【０１８７】
図３７に示されたコネクタポート５６ＡＫ０１、５６ＡＫ０２のうち、いずれか一方のコネクタポートと、図３８に示された電子部品５６ＡＫ１ＩＣ、５６ＡＫ２ＩＣのうち、いずれか一方の電子部品とが、第１部品や第２部品として組み合わされて構成してもよい。例えば図３７（Ａ）に示されたコネクタポート５６ＡＫ０１を第１部品とし、図３８（Ｂ）に示された電子部品５６ＡＫ２ＩＣを第２部品として、複数の電気部品を接続可能な複数の信号配線を構成する配線のパターンが形成されてもよい。あるいは、例えば図３８（Ａ）に示された電子部品５６ＡＫ１ＩＣを第１部品とし、図３７（Ｂ）に示されたコネクタポート５６ＡＫ０２を第２部品として、複数の電気部品を接続可能な複数の信号配線を構成する配線のパターンが形成されてもよい。
【０１８８】
その他、図３７に示されたコネクタポート５６ＡＫ０１、５６ＡＫ０２の一方または双方が用いられる場合、あるいは図３８に示された電子部品５６ＡＫ１ＩＣ、５６ＡＫ２ＩＣの一方または双方が用いられる場合に、図３１に示された特徴部５５ＡＫにおける接続配線部材５５ＡＫ０１が備える特徴の一部または全部を備える接続手段が用いられてもよい。例えば複数の信号配線を構成する配線のパターンが形成された接続手段は、図３１に示された領域５５ＡＫ１０Ｚと同様に、複数の信号配線のうち少なくとも１の信号配線が直線形状または略直線形状の第１形状となる一方で、他の信号配線が第１形状とは異なる蛇行形状などの第２形状となる領域を含んでいてもよい。接続手段は、図３１に示された領域５５ＡＫ２Ｚと同様に曲折することにより、全体がＬ字形状または略Ｌ字形状を有するように形成されてもよい。接続手段には、図３１に示された領域５５ＡＫ２Ｚと同様の曲折部が設けられてもよい。接続手段は、図３２の断面図と同様に、複数の信号配線を構成する配線のパターンが両面に形成されていてもよい。接続手段は、例えば基体が柔軟なシート状に形成され、図３１に示された領域５５ＡＫ１Ｚや領域５５ＡＫ１０Ｚと同様に、可撓性を有する部材の他に、図３１に示された補強部材５５ＡＫ０２と同様に、可撓性を有しない部材を含み、可撓性を有しない部材にて、図３１に示された回路部品５５ＡＫ１Ｒと同様に、信号配線と接続されるように実装された回路部品を備えてもよい。接続手段には、図３２に示されたスルーホール５５ＡＫ１Ｈ、５５ＡＫ２Ｈと同様に、一面となる表面に設けられた信号配線と、他面となる裏面に設けられた信号配線とを電気的に接続可能な貫通部が設けられ、複数の電気部品を複数の信号配線により接続した場合に、形状が変化する領域には、貫通部が設けられていないようにしてもよい。
【０１８９】
（他の実施形態３について）
上記実施の形態では、接続配線部材５５ＡＫ０１が領域５５ＡＫ２Ｚにて曲折することにより、全体がＬ字形状または略Ｌ字形状を有するように形成されているものとして説明した。しかしながら、この発明はこれに限定されず、接続配線部材は、全体が直線形状または略直線形状を有するように形成されていてもよい。例えば接続配線部材は、基体が柔軟なシート状に形成され、装着時には任意の部位で湾曲するように折り曲げられるようにしてもよい。
【０１９０】
図３９は、全体が直線形状または略直線形状を有する接続配線部材として、接続配線部材５５ＡＫ０１Ａを用いた場合に、演出制御基板１２と画像表示装置５との接続例を示している。接続配線部材５５ＡＫ０１Ａは、コネクタプラグ５５ＡＫ１Ｐをコネクタポート５５ＡＫ１ＳＴに装着し、コネクタプラグ５５ＡＫ２Ｐをコネクタポート５５ＡＫ２ＳＴに装着する場合に、配線のパターンにより構成される複数の信号配線について延設方向が変更されるように、折曲位置５５ＡＫ０１Ｂにて折り曲げられる。また、図３４に示された領域５５ＡＫ１Ｚと同様の領域にて接続配線部材５５ＡＫ０１Ａが湾曲するように折り曲げられる。これにより、コネクタプラグ５５ＡＫ１Ｐとコネクタプラグ５５ＡＫ２Ｐの方向を、コネクタポート５５ＡＫ１ＳＴとコネクタポート５５ＡＫ２ＳＴの方向にあわせて、調整することができればよい。
【０１９１】
（特徴部５０ＳＧに関する説明）
次に、本実施形態の特徴部５０ＳＧについて、図４０〜図４５に基づいて説明する。図４０は、（Ａ）は演出制御基板と画像表示装置との接続例を示す図、（Ｂ）は（Ａ）の右側面図である。図４１は、（Ａ）は接続配線部材の第１配線層を示す図、（Ｂ）は第２配線層を示す図である。図４２は、（Ａ）は図４１（Ａ）の要部拡大図、（Ｂ）（Ｃ）は（Ａ）の要部拡大図である。図４３は、（Ａ）は図４２のＡ−Ａ（Ａ’−Ａ’）断面図、（Ｂ）は図４２のＢ−Ｂ（Ｂ’−Ｂ’）断面図である。図４４は、（Ａ）は凸部を基準として第１屈曲部を形成する図、（Ｂ）は（Ａ）の概略側面図、（Ｃ）は凹部を基準として第１屈曲部を形成する図、（Ｄ）は（Ｃ）の側面図である。図４５は、（Ａ）は凸部を基準として第２屈曲部を形成する図、（Ｂ）は（Ａ）の側面図、（Ｃ）は凹部を基準として第２屈曲部を形成する図、（Ｄ）は（Ｃ）の側面図である。図４６は、特徴部５０ＳＧにおける変形例１を示す図である。図４７は、特徴部５０ＳＧにおける変形例２を示す図である。図４８は、（Ａ）〜（Ｃ）は特徴部５０ＳＧにおける変形例３を示す図である。尚、図４４〜図４７は、接続配線部材の主要部分を分かりやすく説明するための概略図である。
【０１９２】
図４０〜図４３は、本実施形態の特徴部５０ＳＧに関し、接続配線部材５０ＳＧ０１の構成例を示している。接続配線部材５０ＳＧ０１は、例えば演出制御基板１２および画像表示装置５といった、複数の電気部品を電気的に接続可能な接続部材（接続手段）である。接続配線部材５０ＳＧ０１は、例えばフレキシブルフラットケーブルあるいはフレキシブル配線基板といった、一部または全部が可撓性を有する材料を用いて構成されていればよい。接続配線部材５０ＳＧ０１では、複数の電気部品を複数の信号配線により接続するために、複数の信号配線を構成する配線のパターンが形成されている。接続配線部材５０ＳＧ０１において、複数の信号配線を構成する配線のパターンは、配線のパターン５０ＳＧ１０〜５０ＳＧ３０，５０ＳＧ１Ｇ，５０ＳＧ２Ｇを含んでいる。
【０１９３】
配線のパターン５０ＳＧ１０〜５０ＳＧ３０，５０ＳＧ１Ｇ，５０ＳＧ２Ｇにより構成される信号配線は、一端がコネクタプラグ５０ＳＧ１Ｐに接続され、他端がコネクタプラグ５０ＳＧ２Ｐに接続される。コネクタプラグ５０ＳＧ１Ｐは、例えば演出制御基板１２といった、一方の電気部品を複数の信号配線と電気的に接続可能とする配線接続部品である。コネクタプラグ５０ＳＧ２Ｐは、例えば画像表示装置５といった、他方の電気部品を複数の信号配線と電気的に接続可能とする配線接続部品である。
【０１９４】
配線のパターン５０ＳＧ１０は、例えば電源配線を形成する。配線のパターン５０ＳＧ１０は、線状の配線を形成してもよいし、一部または全部に面状の配線を形成してもよい。また、配線のパターン５０ＳＧ１１〜５０ＳＧ３０は、２つの信号配線を組み合わせて一対の信号配線を構成してもよい。例えば配線のパターン５０ＳＧ１１により構成される信号配線は、配線のパターン５０ＳＧ１２により構成される信号配線と組み合わせて、一対の信号配線を構成している。
【０１９５】
図４１（Ａ）に示す配線のパターン５０ＳＧ１１〜５０ＳＧ３０により構成される複数の信号配線は、少なくとも一部の信号配線の配線長が、同一または略同一となる。例えば配線のパターン５０ＳＧ１１〜５０ＳＧ３０により構成される複数の信号配線は、配線長が同一または略同一となる。接続配線部材５０ＳＧ０１において、複数の信号配線が平行または略平行な第１形状となる平行配線部と、複数の信号配線のうち少なくとも１の信号配線が、他の信号配線と平行でない第２形状となる特定配線部とを含むように、配線のパターンが形成されてもよい。これにより、配線のパターンを配置する接続部材における面積の増大が抑制されて、構成の小型化を図ることができる。少なくとも一部の信号配線の配線長が、同一または略同一となるように配線のパターンが形成されることにより、複数の信号配線で伝送される信号の遅延時間差を減少させて、複数の信号配線で伝送される信号の信頼性を向上させることができる。
【０１９６】
複数の信号配線を構成する配線のパターンに対し、それらの周囲あるいは信号配線間における領域には、複数の配線のパターン５０ＳＧ１Ｇ，５０ＳＧ２Ｇが配置されている。パターン５０ＳＧ１Ｇ，５０ＳＧ２Ｇは、基準グランドや特性インピーダンス調整用グランドとして機能し、グランド電圧に維持される。このように、複数の信号配線を構成する配線のパターンが設けられていない空白領域となる空域部分には、１または複数のグランド導体が設けられていてもよい。これにより、複数の信号配線から放射される電磁波ノイズや信号配線間での電磁波ノイズによる電磁妨害を、防止あるいは抑制できる。
【０１９７】
また、これら配線のパターン５０ＳＧ１０、配線のパターン５０ＳＧ１Ｇ，５０ＳＧ２Ｇ、グランド層５０ＳＧ３Ｇは、信号配線である配線のパターン５０ＳＧ１１〜５０ＳＧ３０よりもＸ軸に沿う方向（幅方向）の寸法が幅広に形成されている。
【０１９８】
図４３に示すように、接続配線部材５０ＳＧ０１は、例えばポリイミド樹脂などの合成樹脂からなる絶縁層５０ＳＧ１Ｓ，５０ＳＧ２Ｓを重ねて形成された多層構造を有し、各層の表面または内層には様々な配線のパターンを形成可能とされている。このような多層構造を有する接続配線部材５０ＳＧ０１に形成された配線のパターンを介して、例えば、演出制御基板１２と画像表示装置５といった複数の電気部品が電気的に接続される。図４３に示す接続配線部材５０ＳＧ０１の多層構造は、配線層５０ＳＧ１Ｌと、グランド層５０ＳＧ３Ｇとを含んでいる。配線層５０ＳＧ１Ｌの表面は、カバー層５０ＳＧ１Ｖによって覆われて保護されている。
【０１９９】
配線層５０ＳＧ１Ｌには、電源配線を構成する配線のパターン５０ＳＧ１０、グランド導体を構成する配線のパターン５０ＳＧ１Ｇ，５０ＳＧ２Ｇ及び信号配線を構成する配線のパターン５０ＳＧ１１〜５０ＳＧ３０が形成されている。接続配線部材５０ＳＧ０１における裏面となる絶縁層５０ＳＧ２Ｓの表面には、グランド層５０ＳＧ３Ｇが配置されている。グランド層５０ＳＧ３Ｇは、基準グランドや特性インピーダンス調整用グランドとして機能し、グランド電圧に維持される。
【０２００】
尚、接続配線部材５０ＳＧ０１は、表面に導体層（配線のパターン）が形成された絶縁層５０ＳＧ１Ｓからなる第１レイヤー（図４１（Ａ））と、表面に導体層（配線のパターン）が形成された絶縁層５０ＳＧ２Ｓからなる第２レイヤー（図４１（Ｂ））とを有し、絶縁層５０ＳＧ２Ｓの表面に絶縁層５０ＳＧ１Ｓを重ねて形成された２層構造を有しているが、一の絶縁層の片面のみに導体層が形成された１層構造を有していてもよいし、一の絶縁層の両面に導体層が形成された２層構造を有していてもよい。さらに、導体層を３以上有する多層構造を有していてもよい。
【０２０１】
接続配線部材５０ＳＧ０１の配線層５０ＳＧ１Ｌに形成された配線のパターン５０ＳＧ１０は、接続配線部材５０ＳＧ０１の絶縁層５０ＳＧ１Ｓ，５０ＳＧ２Ｓ及びグランド層５０ＳＧ３Ｇを貫通する複数のスルーホール５０ＳＧ１Ｈなどの貫通部を介してグランド層５０ＳＧ３Ｇと電気的に接続されている。また、接続配線部材５０ＳＧ０１の配線層５０ＳＧ１Ｌに形成された配線のパターン５０ＳＧ１Ｇ，５０ＳＧ２Ｇは、接続配線部材５０ＳＧ０１の絶縁層５０ＳＧ１Ｓ，５０ＳＧ２Ｓ及びグランド層５０ＳＧ３Ｇを貫通する複数のスルーホール５０ＳＧ２Ｈなどの貫通部を介してグランド層５０ＳＧ３Ｇと電気的に接続されている。
【０２０２】
図４１（Ａ）及び図４２（Ａ）に示すように、配線のパターン５０ＳＧ１０の外縁５０ＳＧ５０におけるＺ軸に沿う方向（配線方向）の第１位置には第１切欠凹部５０ＳＧ６１Ａが形成されているとともに、第１位置よりもコネクタプラグ５０ＳＧ２Ｐ側の第２位置には第２切欠凹部５０ＳＧ６２Ａが形成されている。
【０２０３】
また、配線のパターン５０ＳＧ２Ｇの外縁５０ＳＧ５１におけるＺ軸に沿う方向（配線方向）の第１対応位置には第１切欠凹部５０ＳＧ６１Ｂが形成されているとともに、第１対応位置よりもコネクタプラグ５０ＳＧ２Ｐ側の第２対応位置には第２切欠凹部５０ＳＧ６２Ｂが形成されている。
【０２０４】
第１切欠凹部５０ＳＧ６１Ａ，５０ＳＧ６１Ｂは、２つの凹部５０ＳＧ６３Ａ，５０ＳＧ６３Ｂと、該２つの凹部５０ＳＧ６３Ａ，５０ＳＧ６３Ｂの間に形成される凸部５０ＳＧ６３Ｃと、から構成されている。また、第２切欠凹部５０ＳＧ６２Ａ，５０ＳＧ６２Ｂは、２つの凹部５０ＳＧ６４Ａ，５０ＳＧ６４Ｂと、該２つの凹部５０ＳＧ６４Ａ，５０ＳＧ６４Ｂの間に形成される凸部５０ＳＧ６４Ｃと、から構成されている。
【０２０５】
第１切欠凹部５０ＳＧ６１Ａと第１切欠凹部５０ＳＧ６１Ｂとは、Ｚ軸に沿う方向（接続配線部材５０ＳＧ０１の長手方向）における同位置であって、かつ、Ｚ軸に沿う方向に対し直交するＸ軸に沿う方向（接続配線部材５０ＳＧ０１の幅方向）における異なる位置に互いに対向するように配置されている。
【０２０６】
一方、第２切欠凹部５０ＳＧ６２Ａと第２切欠凹部５０ＳＧ６２Ｂとは、Ｚ軸に沿う方向（接続配線部材５０ＳＧ０１の長手方向）における異なる位置であって、かつ、Ｚ軸に沿う方向に対し直交するＸ軸に沿う方向（接続配線部材５０ＳＧ０１の幅方向）における異なる位置に配置されている。つまり、Ｚ軸に沿う方向に対し約４５度傾斜するＸＺ軸に沿う方向における異なる位置に配置されている。
【０２０７】
また、図４２（Ｂ）（Ｃ）に示すように、第２切欠凹部５０ＳＧ６２Ａの凹部５０ＳＧ６４Ａ，５０ＳＧ６４Ｂにおけるコネクタプラグ５０ＳＧ１Ｐ側の側辺５０ＳＧ６５Ａ，５０ＳＧ６５Ｂと、第２切欠凹部５０ＳＧ６２Ｂの凹部５０ＳＧ６４Ａ，５０ＳＧ６４Ｂにおけるコネクタプラグ５０ＳＧ２Ｐ側の側辺５０ＳＧ６５Ａ，５０ＳＧ６５Ｂとは、ＸＺ軸に沿う方向に傾斜している。尚、側辺５０ＳＧ６５Ａ，５０ＳＧ６５Ｂと反対側の側辺と、側辺５０ＳＧ６５Ａ，５０ＳＧ６５Ｂと反対側の側辺は、ＸＺ軸に沿う方向に傾斜させずにＸ軸に沿う方向に延びていることで、鋭角な角部が形成されないようにしている。
【０２０８】
図４１（Ｂ）に示すように、グランド層５０ＳＧ３Ｇにおける第１切欠凹部５０ＳＧ６１Ａ，５０ＳＧ６１Ｂに対応する位置（第１切欠凹部５０ＳＧ６１Ａ，５０ＳＧ６１ＢにおけるＹ軸に沿う位置）には、第１切欠凹部５０ＳＧ６１Ａ，５０ＳＧ６１Ｂと同形の第１切欠凹部５０ＳＧ６１Ａ’，５０ＳＧ６１Ｂ’が形成されている。また、グランド層５０ＳＧ３Ｇにおける第２切欠凹部５０ＳＧ６２Ａ，５０ＳＧ６２Ｂに対応する位置（第２切欠凹部５０ＳＧ６２Ａ，５０ＳＧ６２ＢにおけるＹ軸に沿う位置）には、第２切欠凹部５０ＳＧ６２Ａ，５０ＳＧ６２Ｂと同形の第２切欠凹部５０ＳＧ６２Ａ’，５０ＳＧ６２Ｂ’が形成されている。
【０２０９】
また、図４２（Ｂ）（Ｃ）及び図４３に示すように、配線のパターン５０ＳＧ１０の外縁５０ＳＧ５０及び配線のパターン５０ＳＧ２Ｇの外縁５０ＳＧ５１は、絶縁層５０ＳＧ１Ｓ，５０ＳＧ２Ｓ及びカバー層５０ＳＧ１Ｖの外縁５０ＳＧ０１Ｅから内側に所定寸法Ｌ１だけ離れた位置にあるとともに、絶縁層５０ＳＧ１Ｓ，５０ＳＧ２Ｓ及びカバー層５０ＳＧ１Ｖにおいて第１切欠凹部５０ＳＧ６１Ａ，５０ＳＧ６１Ｂ、５０ＳＧ６１Ａ’，５０ＳＧ６１Ｂ’や第２切欠凹部５０ＳＧ６２Ａ，５０ＳＧ６２Ｂ、５０ＳＧ６２Ａ’，５０ＳＧ６２Ｂ’に対応する部分には切欠凹部が形成されていない。よって、配線のパターン５０ＳＧ１０，５０ＳＧ２Ｇにおける第１切欠凹部５０ＳＧ６１Ａ，５０ＳＧ６１Ｂ、５０ＳＧ６１Ａ’，５０ＳＧ６１Ｂ’や第２切欠凹部５０ＳＧ６２Ａ，５０ＳＧ６２Ｂ、５０ＳＧ６２Ａ’，５０ＳＧ６２Ｂ’が外部に露呈しないように、絶縁層５０ＳＧ１Ｓ，５０ＳＧ２Ｓ及びカバー層５０ＳＧ１Ｖにより保護されている。
【０２１０】
よって、接続配線部材５０ＳＧ０１の製造時や配線作業時などにおいて第１切欠凹部５０ＳＧ６１Ａ，５０ＳＧ６１Ｂ、５０ＳＧ６１Ａ’，５０ＳＧ６１Ｂ’や第２切欠凹部５０ＳＧ６２Ａ，５０ＳＧ６２Ｂ、５０ＳＧ６２Ａ’，５０ＳＧ６２Ｂ’が他の部材や他の構造物等と接触して引っ掛かるなどして、配線のパターン５０ＳＧ１０，５０ＳＧ２Ｇが傷付いて断線等が発生することが防止されている。
【０２１１】
また、図４２（Ａ）に示すように、接続配線部材５０ＳＧ０１における第１切欠凹部５０ＳＧ６１Ａと第１切欠凹部５０ＳＧ６１Ｂとの間や、第２切欠凹部５０ＳＧ６２Ａと第２切欠凹部５０ＳＧ６２Ｂとの間の領域、つまり、後述する第１屈曲部５０ＳＧ８１や第２屈曲部５０ＳＧ８２が形成されうる領域には、スルーホール５０ＳＧ２Ｈが形成されていないので、屈曲によりスルーホール５０ＳＧ２Ｈが変形してつぶれたり、内周面に施された導体が剥がれるなどして断線が生じたりすることが防止されている。また、このようにスルーホール５０ＳＧ２Ｈがない領域が設けられることで、第１屈曲部５０ＳＧ８１や第２屈曲部５０ＳＧ８２を形成する位置の目安とすることができる。
【０２１２】
図４０は、接続配線部材５０ＳＧ０１を用いた演出制御基板１２と画像表示装置５との接続例を示している。接続配線部材５０ＳＧ０１が備えるコネクタプラグ５０ＳＧ１Ｐは、演出制御基板１２に設けられたコネクタポート５０ＳＧ１ＳＴに差し込まれる。接続配線部材５０ＳＧ０１が備えるコネクタプラグ５０ＳＧ２Ｐは、画像表示装置５に設けられたコネクタポート５０ＳＧ２ＳＴに差し込まれる。演出制御基板１２に設けられたコネクタポート５０ＳＧ１ＳＴや画像表示装置５に設けられたコネクタポート５０ＳＧ２ＳＴは、他の電気部品との間で電気的に接続される信号配線を着脱自在に接続可能な配線接続装置の構成を有していればよい。例えば、一方の電気部品であるコネクタポート５０ＳＧ１ＳＴは、演出制御基板１２に設けられて、接続配線部材５０ＳＧ０１のコネクタプラグ５０ＳＧ１Ｐを着脱可能に構成され、他方の電気部品であるコネクタポート５０ＳＧ２ＳＴは、画像表示装置５に設けられて、接続配線部材５０ＳＧ０１のコネクタプラグ５０ＳＧ２Ｐを着脱可能に構成される。コネクタポート５０ＳＧ１ＳＴにコネクタプラグ５０ＳＧ１Ｐを装着し、コネクタポート５０ＳＧ２ＳＴにコネクタプラグ５０ＳＧ２Ｐを装着することにより、接続配線部材５０ＳＧ０１に形成された配線のパターン５０ＳＧ１１〜５０ＳＧ３０が構成する複数の信号配線は、一方の電気部品であるコネクタポート５０ＳＧ１ＳＴと他方の電気部品であるコネクタポート５０ＳＧ２ＳＴとの間を電気的に接続可能となる。
【０２１３】
接続配線部材５０ＳＧ０１は、全域が可撓性を有している。これにより、コネクタポート５０ＳＧ１ＳＴにコネクタプラグ５０ＳＧ１Ｐを装着し、コネクタポート５０ＳＧ２ＳＴにコネクタプラグ５０ＳＧ２Ｐを装着した場合には、第１切欠凹部５０ＳＧ６１Ａ，５０ＳＧ６１Ｂが形成された第１位置及び第１対応位置と、第２切欠凹部５０ＳＧ６２Ａ，５０ＳＧ６２Ｂが形成された第２位置及び第２対応位置と、において接続配線部材５０ＳＧ０１が屈曲状態となるように折り曲げられ、コネクタプラグ５０ＳＧ１Ｐとコネクタプラグ５０ＳＧ２Ｐの方向を、コネクタポート５０ＳＧ１ＳＴとコネクタポート５０ＳＧ２ＳＴの方向にあわせて引き回すことができる。
【０２１４】
詳しくは、基板ケース８００は画像表示装置５の背面を被覆するカバー体５０ＳＧ７０の背面に取付けられており、カバー体５０ＳＧ７０には開口部５０ＳＧ７１が形成されている。演出制御基板１２に設けられたコネクタポート５０ＳＧ１ＳＴに対し、接続配線部材５０ＳＧ０１のコネクタプラグ５０ＳＧ１ＰをＸ軸正方向からＸ軸負方向に向けて差し込むことにより装着する。そして、接続配線部材５０ＳＧ０１を開口部５０ＳＧ７１に挿入してカバー体５０ＳＧ７０の前面側に引き回した後、第１位置及び第１対応位置にて形成された第１屈曲部５０ＳＧ８１にて、配線の引き回し方向をＸ軸正方向から反対側のＸ軸負方向に約１８０度変更するために、Ｘ軸に沿う折り目に沿って折り返す。
【０２１５】
次いで、第２位置及び第２対応位置にて形成された第２屈曲部５０ＳＧ８２にて、配線の引き回し方向をＸ軸負方向からＺ軸負方向に約９０度変更するために、ＸＺ軸に沿う折り目に沿って折り曲げた後、画像表示装置５に設けられたコネクタポート５０ＳＧ２ＳＴに対し、接続配線部材５０ＳＧ０１のコネクタプラグ５０ＳＧ２ＰをＺ軸正方向からＺ軸負方向に向けて差し込むことにより装着する。
【０２１６】
ここで、例えば、機種変更に伴い演出制御基板１２を機種固有の演出制御基板に交換する必要があるときに、画像表示装置５に対する基板ケース８００の配置位置、詳しくは、画像表示装置５に設けられたコネクタポート５０ＳＧ１ＳＴに対する演出制御基板１２に設けられたコネクタポート５０ＳＧ１ＳＴの配置位置が、当該パチンコ遊技機１を含む他の複数種類の機種間において共通する場合、画像表示装置５と演出制御基板１２とを電気的に接続する接続配線部材も、同じ長さの接続配線部材５０ＳＧ０１を複数の機種間で共通して使用することが可能となる。
【０２１７】
この場合、接続配線部材５０ＳＧ０１の引き回し方も同じであるため、接続配線部材５０ＳＧ０１において第１屈曲部５０ＳＧ８１を形成する第１位置及び第１対応位置や、第２屈曲部５０ＳＧ８２を形成する第２位置及び第２対応位置についても複数の機種間で共通している。
【０２１８】
よって、接続配線部材５０ＳＧ０１の製造工程において、配線のパターン５０ＳＧ１０、５０ＳＧ２Ｇ及びグランド層５０ＳＧ３Ｇを形成するときに、第１位置及び第１対応位置に第１切欠凹部５０ＳＧ６１Ａ，５０ＳＧ６１Ｂ、５０ＳＧ６１Ａ’，５０ＳＧ６１Ｂ’を予め形成し、第２位置及び第２対応位置に第２切欠凹部５０ＳＧ６２Ａ，５０ＳＧ６２Ｂ、５０ＳＧ６２Ａ’，５０ＳＧ６２Ｂ’を予め形成しておくことで、これらのうち表面から視認可能な第１切欠凹部５０ＳＧ６１Ａ，５０ＳＧ６１Ｂや第２切欠凹部５０ＳＧ６２Ａ，５０ＳＧ６２Ｂを目安として、第１屈曲部５０ＳＧ８１や第２屈曲部５０ＳＧ８２を容易に形成することができる。
【０２１９】
このようにすることで、従来のように、第１屈曲部５０ＳＧ８１を形成する第１位置及び第１対応位置や、第２屈曲部５０ＳＧ８２を形成する第２位置及び第２対応位置などにマーク等を付す工程が不要となるため、接続配線部材５０ＳＧ０１の製造工程を簡素化することが可能となる。
【０２２０】
図４４（Ａ）（Ｂ）に示すように、第１切欠凹部５０ＳＧ６１Ａ，５０ＳＧ６１Ｂ、５０ＳＧ６１Ａ’，５０ＳＧ６１Ｂ’の凸部５０ＳＧ６３Ｃを基準として第１屈曲部５０ＳＧ８１を形成する場合、折り目Ｃ１が幅方向の両側の凸部５０ＳＧ６３Ｃを通過するように、接続配線部材５０ＳＧ０１の折り目Ｃ１の両側部分が重なるように折り曲げればよい。このとき、銅箔からなる配線のパターン５０ＳＧ１０、５０ＳＧ２Ｇ及びグランド層５０ＳＧ３Ｇに凹部５０ＳＧ６３Ａ，５０ＳＧ６３Ｂが形成されていることにより、銅箔の領域が小さい凸部５０ＳＧ６３Ｃが脆弱になっているため、第１位置及び第１対応位置にて接続配線部材５０ＳＧ０１を容易に屈曲させることができるとともに、弾性力が弱まるので屈曲状態が好適に維持される。
【０２２１】
また、図４４（Ｃ）（Ｄ）に示すように、第１切欠凹部５０ＳＧ６１Ａ，５０ＳＧ６１Ｂ、５０ＳＧ６１Ａ’，５０ＳＧ６１Ｂ’の凹部５０ＳＧ６３Ｂ（または凹部５０ＳＧ６３Ａ）を基準として第１屈曲部５０ＳＧ８１を形成する場合、折り目Ｃ２が幅方向の両側の凹部５０ＳＧ６３Ｂ（または凹部５０ＳＧ６３Ａ）を通過するように、接続配線部材５０ＳＧ０１の折り目Ｃ２の両側部分が重なるように折り曲げればよい。このとき、銅箔からなる配線のパターン５０ＳＧ１０、５０ＳＧ２Ｇ及びグランド層５０ＳＧ３Ｇに凹部５０ＳＧ６３Ａ，５０ＳＧ６３Ｂが形成されていることにより、銅箔の領域が狭まって脆弱になっているため、第１位置及び第１対応位置にて接続配線部材５０ＳＧ０１を容易に屈曲させることができるとともに、弾性力が弱まるので屈曲状態が好適に維持される。
【０２２２】
図４５（Ａ）（Ｂ）に示すように、第２切欠凹部５０ＳＧ６２Ａ，５０ＳＧ６２Ｂ、５０ＳＧ６２Ａ’，５０ＳＧ６２Ｂ’の凸部５０ＳＧ６４Ｃを基準として第２屈曲部５０ＳＧ８２を形成する場合、折り目Ｃ３が幅方向の両側の凸部５０ＳＧ６４Ｃを通過するように、接続配線部材５０ＳＧ０１の折り目Ｃ３の両側部分が重なるように折り曲げればよい。このとき、銅箔からなる配線のパターン５０ＳＧ１０、５０ＳＧ２Ｇ及びグランド層５０ＳＧ３Ｇに凹部５０ＳＧ６４Ａ，５０ＳＧ６４Ｂが形成されていることにより、銅箔の領域が小さい凸部５０ＳＧ６４Ｃが脆弱になっているため、第２位置及び第２対応位置にて接続配線部材５０ＳＧ０１を容易に屈曲させることができるとともに、弾性力が弱まるので屈曲状態が好適に維持される。
【０２２３】
また、図４４（Ｃ）（Ｄ）に示すように、第２切欠凹部５０ＳＧ６２Ａ，５０ＳＧ６２Ｂ、５０ＳＧ６２Ａ’，５０ＳＧ６２Ｂ’の凹部５０ＳＧ６４Ｂ（または凹部５０ＳＧ６４Ａ）を基準として第２屈曲部５０ＳＧ８２を形成する場合、折り目Ｃ４が幅方向の両側の凹部５０ＳＧ６４Ｂ（または凹部５０ＳＧ６４Ａ）を通過するように、接続配線部材５０ＳＧ０１の折り目Ｃ４の両側部分が重なるように折り曲げればよい。このとき、銅箔からなる配線のパターン５０ＳＧ１０、５０ＳＧ２Ｇ及びグランド層５０ＳＧ３Ｇに凹部５０ＳＧ６４Ａ，５０ＳＧ６４Ｂが形成されていることにより、銅箔の領域が狭まって脆弱になっているため、第２位置及び第２対応位置にて接続配線部材５０ＳＧ０１を容易に屈曲させることができるとともに、弾性力が弱まるので屈曲状態が好適に維持される。
【０２２４】
また、このような第１屈曲部５０ＳＧ８１や第２屈曲部５０ＳＧ８２は、接続配線部材５０ＳＧ０１の製造工程において機械により形成されてもよいし、演出制御基板１２と画像表示装置５とを接続する配線作業時において、作業者等の手作業により形成されてもよい。
【０２２５】
尚、グランド層５０ＳＧ３Ｇは、表裏面が絶縁層５０ＳＧ１Ｓ，５０ＳＧ２Ｓにより覆われているため、第１切欠凹部５０ＳＧ６１Ａ’，５０ＳＧ６１Ｂ’や第２切欠凹部５０ＳＧ６２Ａ’，５０ＳＧ６２Ｂ’を目視により確認することは困難とされているが、カバー層５０ＳＧ１Ｖは透過性を有しているため、第１切欠凹部５０ＳＧ６１Ａ，５０ＳＧ６１Ｂや第２切欠凹部５０ＳＧ６２Ａ，５０ＳＧ６２Ｂをカバー層５０ＳＧ１Ｖを透して視認可能である。
【０２２６】
また、第１切欠凹部５０ＳＧ６１Ａ，５０ＳＧ６１Ｂや第２切欠凹部５０ＳＧ６２Ａ，５０ＳＧ６２Ｂは、２つの凹部５０ＳＧ６３Ａ，５０ＳＧ６３Ｂと該２つの凹部５０ＳＧ６３Ａ，５０ＳＧ６３Ｂの間に形成される凸部５０ＳＧ６３Ｃと、から構成されていることで、第１切欠凹部５０ＳＧ６１Ａ，５０ＳＧ６１Ｂや第２切欠凹部５０ＳＧ６２Ａ，５０ＳＧ６２ＢのＺ軸に沿う方向の長さ寸法が広い場合でも、凸部５０ＳＧ６３Ｃを指標として正確な位置に折り目Ｃ１〜Ｃ４を形成することができる。
【０２２７】
（変形および応用に関する説明）
この発明は上記の実施の形態に限定されず、様々な変形および応用が可能である。例えばパチンコ遊技機１は、上記実施の形態で示した全ての技術的特徴を備えるものでなくてもよく、従来技術における少なくとも１つの課題を解決できるように、上記実施の形態で説明した一部の構成を備えたものであってもよい。例えば上記実施の形態で示した特徴のうちで、適切な基板構成を可能にする少なくとも１の特徴を備えたものであればよい。また、上記実施の形態では説明していない構成であっても、上記実施の形態で説明した構成を備える場合と同様または類似の課題に含まれる少なくとも１つの課題を解決し、あるいは上記実施の形態で説明した構成を備える場合と同様または類似の目的や作用効果に含まれる少なくとも１つの目的や作用効果を達成できるものであれば、上記実施の形態で説明した構成とともに、あるいは上記実施の形態で説明した構成に代えて、備えられているものであってもよい。
【０２２８】
上記実施の形態では、第１切欠凹部５０ＳＧ６１Ａ，５０ＳＧ６１Ｂ、５０ＳＧ６１Ａ’，５０ＳＧ６１Ｂ’と第２切欠凹部５０ＳＧ６２Ａ，５０ＳＧ６２Ｂ、５０ＳＧ６２Ａ’，５０ＳＧ６２Ｂ’は、２つの凹部５０ＳＧ６３Ａ，５０ＳＧ６３Ｂと該２つの凹部５０ＳＧ６３Ａ，５０ＳＧ６３Ｂの間に形成される凸部５０ＳＧ６３Ｃと、から構成されている形態を例示したが、本発明はこれに限定されるものではなく、例えば、図４６の変形例１に示すように、一の第１切欠凹部５０ＳＧ６１Ａ１，５０ＳＧ６１Ｂ１にて構成されていてもよい。
【０２２９】
また、上記実施の形態では、切欠部として、凹状に形成された第１切欠凹部５０ＳＧ６１Ａ，５０ＳＧ６１Ｂ、５０ＳＧ６１Ａ’，５０ＳＧ６１Ｂ’と第２切欠凹部５０ＳＧ６２Ａ，５０ＳＧ６２Ｂ、５０ＳＧ６２Ａ’，５０ＳＧ６２Ｂ’を適用した形態を例示したが、本発明はこれに限定されるものではなく、切欠部の形状は任意であり、例えば、略Ｖ字形状、略Ｕ字形状、略半円形状等、種々の形状に変形可能である。
【０２３０】
また、上記実施の形態では、第１切欠凹部５０ＳＧ６１Ａ，５０ＳＧ６１Ｂと第２切欠凹部５０ＳＧ６２Ａ，５０ＳＧ６２Ｂは、配線のパターン５０ＳＧ１０の外縁５０ＳＧ５０及び配線のパターン５０ＳＧ２Ｇの外縁５０ＳＧ５１に形成されている形態を例示したが、本発明はこれに限定されるものではなく、切欠部は接続配線部材５０ＳＧ０１の外縁５０ＳＧ０１Ｅに形成されていなくてもよく、例えば、図４７の変形例２に示すように、第１切欠凹部５０ＳＧ６１Ａ２，５０ＳＧ６１Ｂ２等は、配線のパターン５０ＳＧ１０の内縁５０ＳＧ５０Ａ及び配線のパターン５０ＳＧ２Ｇの内縁５０ＳＧ５１Ａに形成されていてもよいし、接続配線部材５０ＳＧ０１の幅方向における外縁５０ＳＧ０１Ｅから離れた位置に設けられる配線のパターン５０ＳＧ１１〜５０ＳＧ３０の縁辺部などに設けられてもよい。
【０２３１】
また、上記実施の形態では、接続配線部材５０ＳＧ０１は、パチンコ遊技機１に固定的に取付けられた演出制御基板１２と画像表示装置５とを接続する形態を例示したが、本発明はこれに限定されるものではなく、接続部材（接続手段）により電気的に接続可能な複数の電気部品のうち少なくとも一の電気部品（例えば、演出用の可動体や後述する補助画像表示装置５Ａ，５Ｂなど）が動作可能に設けられていてもよい。
【０２３２】
例えば、パチンコ遊技機１は、画像表示装置５の前左右側の原点位置と画像表示装置５の表示領域の前側の演出位置との間で左右方向に移動（動作）可能に設けられた補助画像表示装置５Ａ，５Ｂと、これら補助画像表示装置５Ａ，５Ｂと演出制御基板１２とを電気的に接続可能な接続配線部材５０ＳＧ０１Ａ，５０ＳＧ０１Ｂと、を備え、接続配線部材５０ＳＧ０１Ａ，５０ＳＧ０１Ｂは、補助画像表示装置５Ａ，５Ｂの動作に応じて変形する変形部を有する場合において、接続配線部材５０ＳＧ０１Ａ，５０ＳＧ０１Ｂにおいて、補助画像表示装置５Ａ，５Ｂが原点位置に位置するときに屈曲状態となる第１屈曲部５０ＳＧ８１Ａと、補助画像表示装置５Ａ，５Ｂが演出位置に位置するときに屈曲状態となる第２屈曲部５０ＳＧ８２Ａとに対応する位置に、第１切欠凹部５０ＳＧ６１Ａ３，５０ＳＧ６１Ｂ３と第２切欠凹部５０ＳＧ６２Ａ３，５０ＳＧ６２Ｂ３とを形成してもよい。
【０２３３】
このようにすることで、補助画像表示装置５Ａ，５Ｂが原点位置や演出位置に位置したときに接続配線部材５０ＳＧ０１Ａ，５０ＳＧ０１Ｂを第１屈曲部５０ＳＧ８１Ａや第２屈曲部５０ＳＧ８２Ａにて好適に屈曲状態とすることができ、これにより、絶縁層５０ＳＧ１Ｓ，５０ＳＧ２Ｓの弾性復帰力により、接続配線部材５０ＳＧ０１Ａ，５０ＳＧ０１Ｂが意図しない方向に撓んだり、コネクタプラグ５０ＳＧ１Ｐ，５０ＳＧ２Ｐがコネクタポート５０ＳＧ１ＳＴ，５０ＳＧ２ＳＴからはずれてしまうこと等を防止できる。
【０２３４】
また、補助画像表示装置５Ａ，５Ｂは、原点位置に位置している時間が演出位置に位置している時間よりも長いため、第１屈曲部５０ＳＧ８１Ａに対応する位置にのみ第１切欠凹部５０ＳＧ６１Ａ３，５０ＳＧ６１Ｂ３が形成されていてもよい。また、第１切欠凹部５０ＳＧ６１Ａ３，５０ＳＧ６１Ｂ３と第２切欠凹部５０ＳＧ６２Ａ３，５０ＳＧ６２Ｂ３との間にも切欠凹部を形成し、補助画像表示装置５Ａ，５Ｂが移動するときに接続配線部材５０ＳＧ０１Ａ，５０ＳＧ０１Ｂの変形部が好適に撓むようにしてもよい。
【０２３５】
また、上記実施の形態では、複数の電気部品を接続可能な接続手段として、パチンコ遊技機１に設けられた演出制御基板１２と画像表示装置５とを接続可能な接続配線部材５０ＳＧ０１を適用した形態を例示したが、本発明はこれに限定されるものではなく、複数の電気部品は上記演出制御基板１２と画像表示装置５に限定されるものではなく、主基板１１、電源基板９２や、モータ、ソレノイド、センサ等あるいはこれらが接続された中継基板等であってもよい。
【０２３６】
また、上記実施の形態では、複数の電気部品を接続可能な接続手段として、フレキシブルフラットケーブルである接続配線部材５０ＳＧ０１を適用した形態を例示したが、本発明はこれに限定されるものではなく、フレキシブル配線基板など、一部または全部が可撓性を有する材料を用いて構成されていればよい。
【０２３７】
また、上記実施の形態では、接続配線部材５０ＳＧ０１における第１位置及び第１対応位置と第２位置及び第２対応位置とに第１屈曲部５０ＳＧ８１と第２屈曲部５０ＳＧ８２とが形成された形態を例示したが、本発明はこれに限定されるものではなく、これら２つの位置以外に屈曲部を設けてもよいし、１つの位置にのみ屈曲部を設けてもよい。
【０２３８】
また、上記実施の形態では、第１切欠凹部５０ＳＧ６１Ａ，５０ＳＧ６１Ｂや第２切欠凹部５０ＳＧ６２Ａ，５０ＳＧ６２Ｂは、接続配線部材５０ＳＧ０１の一辺側の第１位置及び第２位置と、一辺と反対の他辺側の第１対応位置及び第２対応位置と、の幅方向の両側に形成された形態を例示したが、本発明はこれに限定されるものではなく、接続配線部材５０ＳＧ０１の一辺側または他辺側のいずれかにのみ形成されていてもよい。
【０２３９】
また、上記実施の形態では、第１切欠凹部５０ＳＧ６１Ａ，５０ＳＧ６１Ｂや第２切欠凹部５０ＳＧ６２Ａ，５０ＳＧ６２Ｂは、接続配線部材５０ＳＧ０１における導体部である配線のパターン５０ＳＧ１０、５０ＳＧ２Ｇ及びグランド層５０ＳＧ３Ｇに形成された形態を例示したが、本発明はこれに限定されるものではなく、第１切欠凹部５０ＳＧ６１Ａ，５０ＳＧ６１Ｂや第２切欠凹部５０ＳＧ６２Ａ，５０ＳＧ６２Ｂは、配線のパターン５０ＳＧ１０、５０ＳＧ２Ｇ及びグランド層５０ＳＧ３Ｇのうち少なくとも１つに形成されていてもよい。さらに、上記した導体部だけでなく、導体部以外の絶縁層５０ＳＧ１Ｓ，５０ＳＧ２Ｓやカバー層５０ＳＧ１Ｖのうち少なくとも１つに形成されていてもよい。
【０２４０】
また、上記実施の形態では、接続配線部材５０ＳＧ０１の所定位置にて、折り目Ｃ１〜Ｃ４の両側部分が重なるように折り曲げて屈曲状態とすることで第１屈曲部５０ＳＧ８１や第２屈曲部５０ＳＧ８２を形成した形態を例示したが、本発明はこれに限定されるものではなく、屈曲状態とは、折り目に沿って鋭角に折り曲げられた状態だけでなく、折り目に沿って鈍角に折り曲げられた状態や、接続配線部材５０ＳＧ０１の所定位置に折り目が付かないように撓ませるように曲げた状態等を含んでいてもよい。
【０２４１】
また、上記実施の形態では、接続配線部材５０ＳＧ０１の第１屈曲部５０ＳＧ８１では、配線の引き回し方向をＸ軸正方向から反対側のＸ軸負方向に約１８０度変更し、第２屈曲部５０ＳＧ８２では配線の引き回し方向をＸ軸負方向からＺ軸負方向に約９０度変更する形態を例示したが、本発明はこれに限定されるものではなく、配線の引き回し方向や曲げ角度は任意であり、上記形態に限定されるものではない。
【０２４２】
また、上記実施の形態では、接続配線部材５０ＳＧ０１において、複数の信号配線を構成する配線のパターン５０ＳＧ１０〜５０ＳＧ３０，５０ＳＧ１Ｇ，５０ＳＧ２Ｇを含む形態を例示したが、本発明はこれに限定されるものではなく、上記配線のパターンは任意に変更可能であり、例えば、特徴部５５ＡＫにて説明した配線のパターン５５ＡＫ１０〜５５ＡＫ２２や、特徴部３０ＡＫにて説明した配線のパターン３０ＡＫ１０Ｄ〜３０ＡＫ１３Ｄ、パターン３０ＡＫ１０ＣＫ、パターン３０ＡＫ１０ＣＳ、パターン３０ＡＫ１０ＲＳ、パターン３０ＡＫ１０Ａ〜３０ＡＫ１４Ａ等を含んでいてもよい。
【０２４３】
上記実施の形態では、複数の電気部品を電気的に接続する複数の信号配線のうち少なくとも１の信号配線が、直線形状および略直線形状とは異なる形状であって、他の信号配線と平行および略平行な形状とは異なる形状として、蛇行形状、ミアンダ形状、ジグザグ形状、折返し形状と称される形状となる部分を含むものとして説明した。これに対し、直線形状および略直線形状とは異なる形状や、他の信号配線と平行および略平行な形状とは異なる形状は、湾曲形状あるいは渦巻き形状といった、蛇行形状とは異なり信号配線の配線長を延長可能あるいは調整可能な任意の形状であればよい。複数の電気部品を電気的に接続する複数の信号配線のうち少なくとも１の信号配線について、その配線長を延長可能な形状となる部分を含むことにより、複数の信号配線に含まれる各信号配線の配線長を同一または略同一とし、複数の信号配線で伝送される信号の遅延時間差を防止あるいは抑制できればよい。
【０２４４】
複数の信号配線により電気的に接続される複数の電気部品は、主基板１１に搭載されたＲＡＭ１０２およびＣＰＵ１０３に限定されず、パチンコ遊技機１などの遊技機が備える任意の電気部品であればよい。例えば複数の電気部品として、演出制御基板１２に搭載された演出制御用ＣＰＵ１２０およびＲＡＭ１２２が、複数の信号配線により電気的に接続され、複数の信号配線のうち少なくとも１の信号配線が、直線形状および略直線形状とは異なる形状であって、他の信号配線と平行および略平行な形状とは異なる形状となるように、配線のパターンが形成されてもよい。この場合に、演出制御用ＣＰＵ１２０は、パチンコ遊技機１における演出の制御に関して、所定の処理を実行可能に構成された電気部品であり、ＲＡＭ１２２は演出制御用ＣＰＵ１２０による処理の実行に関する情報を記憶可能に構成された電気部品である。あるいは、上記実施の形態におけるＲＡＭ１０２に代えてＲＯＭ１０１といった、ＣＰＵ１０３による処理の実行に関する情報を記憶可能な電気部品であってもよい。あるいは、演出制御用ＣＰＵ１２０に代えて表示制御部１２３が備えるグラフィックスプロセッサといった、演出制御用ＣＰＵ１２０とは異なる演出に関する処理を実行可能な電気部品であってもよい。さらに、ＲＡＭ１２２に代えてＲＯＭ１２１といった、演出制御用ＣＰＵ１２０による処理の実行に関する情報を記憶可能な電気部品であってもよい。また、ＲＡＭ１２２に代えて画像データメモリといった、演出制御用ＣＰＵ１２０あるいは表示制御部１２３のグラフィックスプロセッサによる処理の実行に関する情報を記憶可能な電気部品であってもよい。
【０２４５】
演出制御基板１２は、上記実施の形態における主基板１１と同様に、多層配線基板として構成されてもよい。上記実施の形態における複数の信号配線は、例えば演出制御基板１２に搭載された演出制御用ＣＰＵ１２０および表示制御部１２３が備えるグラフィックスプロセッサといった、複数の処理装置が電気的に接続されるように、配線のパターンが形成されたものであってもよい。あるいは、複数の信号配線は、表示制御部１２３が備えるグラフィックスプロセッサと、映像信号用の入出力ポートといった、複数の電気部品が電気的に接続されるように、配線のパターンが形成されたものであってもよい。このような複数の電気部品が接続される複数の信号配線には、例えばフィルタ回路やバッファ回路といった、複数の電気部品とは異なる任意の電気回路が介在するように、配線のパターンが形成されたものであってもよい。複数の信号配線では、例えば画像表示装置５におけるＲ（赤）、Ｇ（緑）、Ｂ（青）の表示色について、それぞれのレベル（ＲＧＢ値）を示すデジタル映像信号が、パラレル信号方式で伝送されてもよい。あるいは、複数の信号配線では、遊技の制御や演出の制御に関する信号が、例えばＬＶＤＳ（Low Voltage Differential Signal）方式といったパラレル信号方式で伝送されてもよい。これらのパラレル信号方式では、複数の信号配線において同期した信号伝送が要求されることがある。そこで、上記実施の形態のように、蛇行形状などの形状となる部分が設けられるように配線のパターンを形成することにより、複数の信号配線に含まれる各信号配線の配線長が、同一または略同一となり、複数の信号配線で伝送される信号の遅延時間差を減少させることができる。
【０２４６】
なお、パラレル信号方式で伝送される信号に限定されず、例えば画像表示装置５に供給される映像信号や、スピーカ８Ｌ、８Ｒ、遊技効果ランプ９、演出用モータ６０および演出用ＬＥＤ６１といった演出用の電気部品に供給される制御信号が、シリアル信号方式で伝送される場合に、クロック信号を伝送するための信号配線と、データ信号を伝送するための信号配線とが、上記実施の形態における複数の信号配線に含まれてもよい。さらに、映像信号や制御信号がシリアル信号方式で伝送される場合に、差動信号伝送方式により信号を伝送するための信号配線が、上記実施の形態における複数の信号配線に含まれてもよい。
【０２４７】
例えば配線のパターン３０ＡＫ１０Ｄが構成する信号配線のように、複数の電気部品における接続端子間の距離が他の信号配線よりも長い信号配線についても、直線形状および略直線形状とは異なる形状であり、他の信号配線と平行および略平行な形状とは異なる形状となる部分が含まれるように、配線のパターンが形成されてもよい。複数の電気部品における接続端子間の距離が他の信号配線よりも短い信号配線であっても、基板上における配線パターンの設計によっては、配線長が他の信号配線よりも長くなることがある。このような場合に、複数の信号配線のうち蛇行形状などの形状となる部分が含まれる信号配線と、そのような部分が含まれない信号配線との選択は、基板上における配線パターンの設計に応じて任意に変更されてもよい。
【０２４８】
配線のパターンにより構成される複数の信号配線は、配線長が互いに同一または略同一に形成されたものに限定されず、遅延時間差（スキュー）を調整可能な任意の構成と組み合わせて形成されたものであってもよい。例えば複数の信号配線のうち、１の信号配線に対応して配置された誘電体の比誘電率を、他の信号配線に対応して配置された絶縁体などの比誘電率とは異ならせることにより、信号の伝播速度を変化させることにより、各信号配線における遅延時間差（スキュー）を調整可能に構成されたものと組み合わせて、少なくとも１の信号配線が直線形状および略直線形状の第１形状とは異なる第２形状となる第２形状部を含むものであってもよい。
【０２４９】
上記実施の形態では、図２８に示すように、上下左右方向に辺を傾斜させて配置した電子部品は、発熱性の電子部品４５ＡＫ６０と、電子部品４５ＡＫ６０の周辺に設けられた電子部品４５ＡＫ６２である。しかしながら、発熱性の電子部品４５ＡＫ６０のみを傾斜させた配置とし、その他の電子部品は傾かせない配置としてもよい。また、電子部品４５ＡＫ６０の全てを傾かせる配置としてもよい。
【０２５０】
また、発熱性の正方形状の電子部品に対するヒートシンクの傾斜角度は、４５°に限定されない。すなわち、電子部品と接触した範囲をフィンの配列方向において十分に確保できるヒートシンクの配置であれば、傾斜角度の程度は特に限定されない。
【０２５１】
また、発熱性の電子部品の形状は、略正方形である必要はなく、長方形状であってもよい。長方形状の電子部品を採用する場合であっても、電子部品の対角線が延びる向きに対して、フィンが配列された方向が一致するようにヒートシンクを配置することで、電子部品から発せられた熱の放熱効果を高めることができる。
【０２５２】
また、発熱性の電子部品に貼付された熱伝導シートは、電子部品から発せられた熱を伝導するに十分な範囲に設けられていればよい。例えば、電子部品の全体を覆う範囲に設けてもよいし、発熱する範囲のみ（電子部品の一部の範囲のみ）に設けるようにしてもよい。なお、熱伝導シートは、電子部品の全体を覆う場合に設ける場合であっても基板の配線と接触しない大きさとすることが好ましい。
【０２５３】
レセプタクルＫＲＥ１は、演出制御基板１２の基板上にて表面実装されるものに限定されず、例えば主基板１１の基板上といった、任意の基板上にて表面実装されるものであればよい。各種の電源電圧は、演出制御基板１２に供給されるものに限定されず、例えば主基板１１あるいは払出制御基板といった、任意の制御基板に供給されるものであってもよい。各種の電気回路や電気部品も、演出制御基板１２に配置されるものに限定されず、例えば主基板１１あるいは払出制御基板といった、任意の制御基板に配置されるものであってもよい。
【０２５４】
接続配線部材５５ＡＫ０１は、図３２に示すような電源層５５ＡＫ１Ｌや配線層５５ＡＫ２Ｌといった、内部層となる導体層を含む多層構造を有するものとして説明した。これに対し、接続配線部材５５ＡＫ０１は、内部層となる導体層を含まないように構成されてもよい。この場合にも、一面となる表面に設けられた表面層５５ＡＫ１Ｓにおいて信号配線を構成する配線のパターンと、他面となる裏面に設けられた裏面層５５ＡＫ２Ｓにおいて信号配線を構成する配線のパターンとを、電気的に接続可能なスルーホールなどの貫通部が設けられてもよい。内部層となる導体層を含まないように構成することにより、接続配線部材５５ＡＫ０１の柔軟性を高めて、コネクタプラグ５５ＡＫ１Ｐやコネクタプラグ５５ＡＫ２Ｐの方向を、容易に調整することができる。
【０２５５】
内部層となる導体層を含むか否かにかかわらず、一面となる表面に設けられた表面層５５ＡＫ１Ｓにおいて信号配線を構成する配線のパターンが形成されているのに対し、他面となる裏面に設けられた裏面層５５ＡＫ２Ｓには信号配線を構成する配線のパターンが形成されていなくてもよい。複数の信号配線を構成する配線のパターンは、例えば表面層５５ＡＫ１Ｓや裏面層５５ＡＫ２Ｓといった、接続配線部材５５ＡＫ０１の一面または他面に形成されてもよいし、図３２に示された配線層５５ＡＫ２Ｌといった、内部層に形成されてもよい。これらの場合にも、少なくとも一部の信号配線の配線長が、同一または略同一となるように配線のパターンが形成されればよい。これにより、複数の信号配線で伝送される信号の遅延時間差を減少させる適切な配線構成が可能になる。
【０２５６】
図３１に示す接続配線部材５５ＡＫ０１では、領域５５ＡＫ１Ｚにて、配線のパターン５５ＡＫ１３〜５５ＡＫ１６により構成される信号配線が、蛇行形状を有するように形成されている。これに対し、領域５５ＡＫ１Ｚでは、配線のパターンにより構成される複数の信号配線が、直線形状または略直線形状の第１形状となり、第１形状とは異なる蛇行形状などの第２形状にはならないように形成されてもよい。このように、複数の電気部品を複数の信号配線により接続した場合に、接続配線部材５５ＡＫ０１にて形状が変化する領域５５ＡＫ１Ｚや領域５５ＡＫ１０Ｚでは、配線のパターンにより構成される複数の信号配線が、第２形状にはならないように形成されてもよい。形状が変化する位置に第２形状の信号配線が設けられている場合には、信号配線が外部からの電磁波ノイズによる影響を受けたり、信号配線が他の導体に電磁波ノイズの影響を及ぼしたりして、電磁妨害などの悪影響を与える不都合が生じるおそれがある。これに対し、形状が変化する位置に第２形状の信号配線が設けられていないようにすれば、これらの不都合が生じることを、防止あるいは抑制できる。また、形状が変化する位置に第２形状の信号配線が設けられていないようにすれば、各信号配線における特性インピーダンスの調整が複雑になることを、防止あるいは抑制できる。
【０２５７】
複数の信号配線を構成する配線のパターンは、主基板１１や演出制御基板１２といった制御基板あるいは画像表示装置５などの電気機器における内部回路にて、少なくとも一部の信号配線の配線長が、同一または略同一となるように形成されてもよい。これに対し、複数の信号配線を構成する配線のパターンは、制御基板や電気機器における内部回路で信号配線の配線長が調整されずに、接続配線部材５５ＡＫ０１などの接続手段を用いた場合に、少なくとも一部の信号配線の配線長が、同一または略同一となるように形成されてもよい。制御基板や電気機器における内部回路で信号配線の配線長が調整されない場合には、接続手段を用いることにより複数の信号配線で伝送される信号の遅延時間差を減少させて、複数の信号配線で伝送される信号の信頼性を向上させることができる。また、制御基板や電気機器の内部回路における配線のパターン設計を容易かつ柔軟に行うことができ、制御基板や電気機器の内部回路における配線のパターンを配置する面積の増大が抑制されて、基板や装置の小型化を図ることができる。
【０２５８】
この発明は、パチンコ遊技機１に限らずスロットマシンなどにも適用できる。スロットマシンは、例えば複数種類の識別情報となる図柄の可変表示といった所定の遊技を行い、その遊技結果に基づいて所定の遊技価値を付与可能となる任意の遊技機であり、より具体的に、１ゲームに対して所定の賭数（メダル枚数またはクレジット数）を設定することによりゲームが開始可能になるとともに、各々が識別可能な複数種類の識別情報（図柄）を可変表示する可変表示装置（例えば複数のリールなど）の表示結果が導出表示されることにより１ゲームが終了し、その表示結果に応じて入賞（例えばチェリー入賞、スイカ入賞、ベル入賞、リプレイ入賞、ＢＢ入賞、ＲＢ入賞など）が発生可能とされた遊技機である。このようなスロットマシンにおいて、遊技制御を行うための遊技制御用マイクロコンピュータを含めたハードウェア資源と、所定の処理を行うソフトウェアとが協働することにより、上記実施の形態で示されたパチンコ遊技機１が有する特徴の全部または一部を備えるように構成されていればよい。
【０２５９】
その他にも、遊技機の装置構成や各種の動作などは、この発明の趣旨を逸脱しない範囲で、任意に変更および修正が可能である。加えて、この発明の遊技機は、入賞の発生に基づいて所定数の遊技媒体を景品として払い出す払出式遊技機に限定されるものではなく、遊技媒体を封入し入賞の発生に基づいて得点を付与する封入式遊技機にも適用することができる。スロットマシンは、遊技用価値としてメダル並びにクレジットを用いて賭数が設定されるものに限定されず、遊技用価値として遊技球を用いて賭数を設定するスロットマシンや、遊技用価値としてクレジットのみを使用して賭数を設定する完全クレジット式のスロットマシンであってもよい。
【０２６０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０２６１】
（課題解決手段および効果に関する説明）
以上説明したように、本願に係る手段１の遊技機は、
遊技が可能な遊技機（例えば、パチンコ遊技機１）であって、
複数の電気部品（例えば、画像表示装置５と演出制御基板１２など）を接続可能な接続手段（例えば、接続配線部材５０ＳＧ０１など）を備え、
前記接続手段は、前記複数の電気部品に接続された状態において該接続手段の引き回し方向を切り替えるために屈曲状態とされた屈曲部（例えば、第１屈曲部５０ＳＧ８１や第２屈曲部５０ＳＧ８２）を有し、
前記接続手段における前記屈曲部に対応する位置に切欠部（例えば、第１切欠凹部５０ＳＧ６１Ａ，５０ＳＧ６１Ｂ、５０ＳＧ６１Ａ’，５０ＳＧ６１Ｂ’、第２切欠凹部５０ＳＧ６２Ａ，５０ＳＧ６２Ｂ、５０ＳＧ６２Ａ’，５０ＳＧ６２Ｂ’）を備える（図４１、図４２参照）
ことを特徴としている。
この特徴によれば、切欠部により接続手段を屈曲部にて屈曲しやすくなるので、作業性を向上させることができるとともに品質が安定する。
詳しくは、第１切欠凹部５０ＳＧ６１Ａ，５０ＳＧ６１Ｂ、５０ＳＧ６１Ａ’，５０ＳＧ６１Ｂ’、第２切欠凹部５０ＳＧ６２Ａ，５０ＳＧ６２Ｂ、５０ＳＧ６２Ａ’，５０ＳＧ６２Ｂ’が第１屈曲部５０ＳＧ８１や第２屈曲部５０ＳＧ８２を設ける位置を示す指標となるだけでなく、第１切欠凹部や第２切欠凹部により、導体部の幅方向の領域が小さくなるので屈曲させやすくなる。また、スルーホールのような孔部ではなく切欠部を形成することで、信号に影響が及ぶことを好適に回避できる。
【０２６２】
手段２の遊技機は、手段１に記載の遊技機であって、
前記切欠部（例えば、第１切欠凹部５０ＳＧ６１Ａ，５０ＳＧ６１Ｂ、５０ＳＧ６１Ａ’，５０ＳＧ６１Ｂ’、第２切欠凹部５０ＳＧ６２Ａ，５０ＳＧ６２Ｂ、５０ＳＧ６２Ａ’，５０ＳＧ６２Ｂ’）は、前記接続手段の縁辺部（例えば、配線のパターン５０ＳＧ１０の外縁５０ＳＧ５０や配線のパターン５０ＳＧ２Ｇの外縁５０ＳＧ５１など）に設けられている（図４２参照）
ことを特徴としている。
この特徴によれば、配線に影響しないように切欠部を設けることができる。
詳しくは、接続配線部材５０ＳＧ０１の幅方向の中央寄りの配線のパターン５０ＳＧ１１〜５０ＳＧ３０の縁辺部などに切欠部を設ける場合に比べて、切欠部の位置を特定しやすくなる。
【０２６３】
手段３の遊技機は、手段１または２に記載の遊技機であって、
前記切欠部は、
前記接続手段（例えば、接続配線部材５０ＳＧ０１など）の第１縁辺部（例えば、配線のパターン５０ＳＧ１０の外縁５０ＳＧ５０）に設けられた第１切欠部（例えば、第１切欠凹部５０ＳＧ６１Ａ、５０ＳＧ６１Ａ’、第２切欠凹部５０ＳＧ６２Ａ、５０ＳＧ６２Ａ’）と、
前記接続手段の前記第１縁辺部と反対側の第２縁辺部（例えば、配線のパターン５０ＳＧ２Ｇの外縁５０ＳＧ５１）に前記第１切欠部に対応して設けられた第２切欠部（例えば、第１切欠凹部５０ＳＧ６１Ｂ、５０ＳＧ６１Ｂ’、第２切欠凹部５０ＳＧ６２Ｂ、５０ＳＧ６２Ｂ’）と、
を有する
ことを特徴としている。
この特徴によれば、第１切欠部と第２切欠部に合わせて屈曲させることができるので、引き回し方向に向けて正確に屈曲させることができる。
詳しくは、接続配線部材５０ＳＧ０１の幅方向の両側の切欠部を指標として接続配線部材５０ＳＧ０１に折り目を付けることができるため、より正確な方向に折り曲げることが可能となる。
【０２６４】
手段４の遊技機は、手段１〜３のいずれかに記載の遊技機であって、
前記接続手段（例えば、接続配線部材５０ＳＧ０１など）は、信号配線とは異なる導体部（例えば、配線のパターン５０ＳＧ１０，５０ＳＧ２Ｇ、グランド層５０ＳＧ３Ｇなど）を有し、
前記切欠部（例えば、第１切欠凹部５０ＳＧ６１Ａ，５０ＳＧ６１Ｂ、５０ＳＧ６１Ａ’，５０ＳＧ６１Ｂ’、第２切欠凹部５０ＳＧ６２Ａ，５０ＳＧ６２Ｂ、５０ＳＧ６２Ａ’，５０ＳＧ６２Ｂ’）は、前記導体部に設けられている（図４１参照）
ことを特徴としている。
この特徴によれば、切欠部により導体部の幅が狭くなるので屈曲しやすくなる。
詳しくは、切欠部が形成された配線のパターン５０ＳＧ１０や配線のパターン５０ＳＧ１Ｇ，５０ＳＧ２Ｇは、信号配線である配線のパターン５０ＳＧ１１〜５０ＳＧ３０よりも幅寸法が広い電源やグランドであるため、切欠部によるボトルネックなどの影響を受けにくい。
【０２６５】
手段５の遊技機は、手段１〜４のいずれかに記載の遊技機であって、
前記接続手段（例えば、接続配線部材５０ＳＧ０１など）は、前記屈曲部（例えば、第２屈曲部５０ＳＧ８２）において該接続手段の縁辺部に対し斜めに交差する方向に引き回されており、
前記切欠部（例えば、第２切欠凹部５０ＳＧ６２Ａ，５０ＳＧ６２Ｂ、５０ＳＧ６２Ａ’，５０ＳＧ６２Ｂ’）は、前記接続手段の縁辺部（例えば、外縁５０ＳＧ０１Ｅ）に対し斜めに形成されている（図４２参照）
ことを特徴としている。
この特徴によれば、折り目に沿うように切欠部が形成されるので屈曲しやすくなる。
詳しくは、図４２（Ｂ）（Ｃ）に示すように、第２切欠凹部５０ＳＧ６２Ａの側辺５０ＳＧ６５Ａ，５０ＳＧ６５Ｂと、第２切欠凹部５０ＳＧ６２Ｂの側辺５０ＳＧ６５Ａ，５０ＳＧ６５ＢとがＸＺ軸に沿う方向に傾斜していることで、折り目Ｃ３，Ｃ４の方向を目視により特定しやすくなる。また、切欠部を外縁５０ＳＧ０１Ｅに対し斜めに形成するとは、切欠凹部を構成する複数の側辺のうち少なくとも一の側辺を斜めにすれば、全ての側辺が斜めになっていなくてもよい。また、全ての側辺が斜めになっていてもよい。
【０２６６】
手段６の遊技機は、手段１〜５のいずれかに記載の遊技機であって、
前記接続手段（例えば、接続配線部材５０ＳＧ０１など）は、前記屈曲部（例えば、第２屈曲部５０ＳＧ８２）において該接続手段の縁辺部（例えば、外縁５０ＳＧ０１Ｅ）に対し斜めに交差する方向に引き回されており、
前記切欠部は、
前記接続手段の第１縁辺部（例えば、配線のパターン５０ＳＧ１０の外縁５０ＳＧ５０）に設けられた第１切欠部（例えば、第２切欠凹部５０ＳＧ６２Ａ、５０ＳＧ６２Ａ’）と、
前記接続手段の前記第１縁辺部と反対側の第２縁辺部（例えば、配線のパターン５０ＳＧ２Ｇの外縁５０ＳＧ５１）における前記第１切欠部との対向位置以外に設けられた第２切欠部（例えば、第２切欠凹部５０ＳＧ６２Ｂ、５０ＳＧ６２Ｂ’）と、
を有する（図４２参照）
ことを特徴としている。
この特徴によれば、第１切欠部と第２切欠部とにより配線が狭まることを回避できる。
また、特に第２切欠凹部５０ＳＧ６２Ａ’と第２切欠凹部５０ＳＧ６２Ｂ’のように縁辺部の異なる位置に設けられることで、第１切欠凹部５０ＳＧ６１Ｂと第１切欠凹部５０ＳＧ６１Ａ’のように対向位置に設けられる場合に比べてボトルネックなどの影響を受けにくくなる。
【０２６７】
手段７の遊技機は、手段１〜６のいずれかに記載の遊技機であって、
前記切欠部（例えば、第１切欠凹部５０ＳＧ６１Ａ，５０ＳＧ６１Ｂ、５０ＳＧ６１Ａ’，５０ＳＧ６１Ｂ’、第２切欠凹部５０ＳＧ６２Ａ，５０ＳＧ６２Ｂ、５０ＳＧ６２Ａ’，５０ＳＧ６２Ｂ’）は、前記接続手段（例えば、接続配線部材５０ＳＧ０１など）がスルーホール（例えば、スルーホール５０ＳＧ１Ｈ，５０ＳＧ２Ｈなど）に対応しない位置にて屈曲状態となるように設けられている（図４２参照）
ことを特徴としている。
この特徴によれば、切欠部とスルーホールにより導体部が狭まることを回避できる。
【０２６８】
（特徴部３０ＡＫの課題解決手段および効果に関する説明）
例えばパチンコ遊技機１など、遊技が可能な遊技機であって、例えば図８に示すように、複数の信号配線を構成するパターンが形成され、複数の信号配線によりＲＡＭ１０２やＣＰＵ１０３などの複数の電気部品が接続された主基板１１などの基板を備え、パターンは、例えば領域３０ＡＫ１０Ｒなど、複数の信号配線が平行または略平行な第１形状となる平行配線部と、例えば領域３０ＡＫ１１Ｒなど、複数の信号配線のうち少なくとも１の信号配線が、他の信号配線と平行ではない第２形状となる特定配線部とを含み、複数の信号配線に含まれる各信号配線の配線長が、同一または略同一となる。これにより、複数の信号配線で伝送される信号の遅延時間差を減少させる適切な基板構成が可能になる。
【０２６９】
例えば配線のパターン３０ＡＫ１０Ｄが構成する信号配線など、第２形状を含まない信号配線は、複数の電気部品における接続端子間の距離が、例えば配線のパターン３０ＡＫ１１Ｄ〜３０ＡＫ１３Ｄが構成する信号配線など、第２形状を含む信号配線よりも長くてもよい。これにより、配線のパターンを配置する基板面積の増大が抑制されて、基板を小型化するために適切な基板構成が可能になる。
【０２７０】
例えばスペース領域３０ＡＫ０ＳＰなど、第２形状となる信号配線に近接する所定領域には、導体が設けられていなくてもよい。これにより、複数の信号配線での電磁波ノイズによる電磁妨害が防止あるいは抑制される適切な基板構成が可能になる。
【０２７１】
基板には、例えばスルーホール３０ＡＫ１Ｈ、３０ＡＫ２Ｈなど、基板の一面に設けられた信号配線と基板の他面に設けられた信号配線とを電気的に接続可能なスルーホールが設けられ、複数の信号配線に含まれる各信号配線の配線長は、スルーホールにより接続された信号配線について、スルーホールの長さを含めて同一または略同一となってもよい。これにより、複数の信号配線で伝送される信号の遅延時間差を減少させる適切な基板構成が可能になる。
【０２７２】
基板は、例えば表面層３０ＡＫ１Ｓ、グランド層３０ＡＫ１Ｌ、電源層３０ＡＫ２Ｌ、配線層３０ＡＫ３Ｌ、電源層３０ＡＫ４Ｌ、裏面層３０ＡＫ２Ｓなど、複数の層を含み、複数の層のうち第２形状となる信号配線が設けられる層に隣接するグランド層３０ＡＫ１Ｌなどの導体層では、信号の伝送が行われなくてもよい。これにより、複数の信号配線での電磁波ノイズによる電磁妨害が防止あるいは抑制される適切な基板構成が可能になる。
【０２７３】
複数の電気部品として、例えばＣＰＵ１０３など、所定の処理を実行可能な処理手段と、例えばＲＡＭ１０２など、処理の実行に関する情報を記憶可能な記憶手段とが接続されてもよい。これにより、複数の電気部品として処理手段や記憶手段に接続された複数の信号配線で伝送される信号の遅延時間差を減少させる適切な基板構成が可能になる。
【０２７４】
あるいは、例えばパチンコ遊技機１など、遊技が可能な遊技機であって、例えば図８に示すように、複数の信号配線を構成するパターンが形成され、複数の信号配線によりＲＡＭ１０２やＣＰＵ１０３などの複数の電気部品が接続された主基板１１などの基板を備え、パターンは、例えば領域３０ＡＫ１０Ｒなど、複数の信号配線が平行または略平行な第１形状となる平行配線部と、例えば領域３０ＡＫ１１Ｒなど、複数の信号配線が第１形状とは異なる第２形状となる特定配線部とを含み、複数の信号配線に含まれる各信号配線の配線長が、同一または略同一となってもよい。これにより、複数の信号配線で伝送される信号の遅延時間差を減少させる適切な基板構成が可能になる。
【０２７５】
あるいは、例えばパチンコ遊技機１など、遊技が可能な遊技機であって、例えば図８に示すように、複数の信号配線を構成するパターンが形成され、複数の信号配線によりＲＡＭ１０２やＣＰＵ１０３などの複数の電気部品が接続された主基板１１などの基板を備え、パターンは、例えば配線のパターン３０ＡＫ１０Ｄなど、複数の信号配線のうち少なくとも１の信号配線が、直線形状または略直線形状を含む第１形状となる第１パターンと、例えば配線のパターン３０ＡＫ１１Ｄ〜３０ＡＫ１３Ｄなど、複数の信号配線のうち第１パターンに含まれない他の信号配線が、第１形状とは異なる第２形状となる第２パターンとを含み、第１パターンおよび第２パターンは、複数の信号配線に含まれる各信号配線の配線長が、同一または略同一となってもよい。これにより、複数の信号配線で伝送される信号の遅延時間差を減少させる適切な基板構成が可能になる。
【０２７６】
あるいは、例えばパチンコ遊技機１など、遊技が可能な遊技機であって、例えば図８に示すように、複数の信号配線を構成するパターンが形成され、複数の信号配線によりＲＡＭ１０２やＣＰＵ１０３などの複数の電気部品が接続された主基板１１などの基板を備え、パターンは、複数の信号配線のうち少なくとも１の信号配線が、区間３０ＡＫ０ＳＣなどの所定区間を最短または略最短の距離で接続する配線のパターン３０ＡＫ１０Ｄ、３０ＡＫ１１Ｄなどの第１パターンと、複数の信号配線のうち第１パターンに含まれない他の信号配線が、所定区間を第１パターンよりも長い距離で接続する配線のパターン３０ＡＫ１２Ｄ、３０ＡＫ１３Ｄなどの第２パターンとを含み、第１パターンおよび第２パターンは、複数の信号配線に含まれる各信号配線の配線長が、同一または略同一となってもよい。これにより、複数の信号配線で伝送される信号の遅延時間差を減少させる適切な基板構成が可能になる。
【０２７７】
第１パターンは、複数の電気部品における接続端子間の距離が、第２パターンよりも長くてもよい。これにより、配線のパターンを配置する基板面積の増大が抑制されて、基板を小型化するために適切な基板構成が可能になる。
【０２７８】
例えばスペース領域３０ＡＫ０ＳＰなど、第２パターンに近接する所定領域には、導体が設けられていなくてもよい。これにより、複数の信号配線での電磁波ノイズによる電磁妨害が防止あるいは抑制される適切な基板構成が可能になる。
【０２７９】
基板は、例えば表面層３０ＡＫ１Ｓ、グランド層３０ＡＫ１Ｌ、電源層３０ＡＫ２Ｌ、配線層３０ＡＫ３Ｌ、電源層３０ＡＫ４Ｌ、裏面層３０ＡＫ２Ｓなど、複数の層を含み、複数の層のうち第２パターンに含まれる信号配線が設けられる層に隣接するグランド層３０ＡＫ１Ｌなどの導体層では、信号の伝送が行われなくてもよい。これにより、複数の信号配線での電磁波ノイズによる電磁妨害が防止あるいは抑制される適切な基板構成が可能になる。
【０２８０】
（特徴部４２ＡＫの課題解決手段および効果に関する説明）
例えばパチンコ遊技機１など、遊技が可能な遊技機であって、例えば図１６（Ａ）に示すように、複数の信号配線を構成するパターンとして、例えば配線の第１パターン４２ＡＫ１０と配線の第２パターン４２ＡＫ１１などの第１パターンと第２パターンとが形成され、複数の信号配線によりＲＡＭ１０２やＣＰＵ１０３などの複数の電気部品が接続された主基板１１などの基板を備え、第１パターンおよび第２パターンのうち一方のパターンにより構成される信号配線が、例えば第１形状部４２ＡＫ１０Ｌなど、直線または略直線の第１形状となる第１形状部に対応して、第１パターンおよび第２パターンのうち他方のパターンにより構成される信号配線が、例えば第２形状部４２ＡＫ１１Ｍなど、第１形状とは異なる第２形状となる第２形状部を含み、例えば第１形状部４２ＡＫ１１Ｌなど、他方のパターンにより構成される信号配線における第１形状部に対応して、例えば第２形状部４２ＡＫ１０Ｍなど、一方のパターンにより構成される信号配線が第２形状部を含む。これにより、配線のパターンを配置する基板面積の増大が抑制されて、基板を小型化するために適切な基板構成が可能になる。
【０２８１】
第１パターンと第２パターンは、各信号配線の配線長が同一または略同一となるように形成されていてもよい。これにより、複数の信号配線で伝送される信号の遅延時間差を減少させる適切な基板構成が可能になる。
【０２８２】
例えば図１７に示すように、第２形状部は、第１パターンにより構成される信号配線と第２パターンにより構成される信号配線とで異なる方向に形成されてもよい。これにより、基板面における配線のパターン設計を容易かつ柔軟に行うことができ、配線のパターンを配置する基板面積の増大が抑制されて、基板の小型化を図ることができる。
【０２８３】
例えば図１８に示すように、第２形状部は、第１パターンにより構成される信号配線と第２パターンにより構成される信号配線とで異なる配線幅に形成されてもよい。これにより、各信号配線における特性インピーダンスを容易に調整して、電気信号の種類などに応じた適切な伝送が可能になる。
【０２８４】
例えば図１９（Ａ）に示すように、第２形状部は、第１パターンにより構成される信号配線と第２パターンにより構成される信号配線とが平行または略平行に形成される平行配線部を含んでもよい。これにより、基板面における配線のパターン設計を容易かつ柔軟に行うことができ、配線のパターンを配置する基板面積の増大が抑制されて、基板の小型化を図ることができる。
【０２８５】
例えば図２０（Ａ）および図２０（Ｂ）に示すように、第１パターンまたは第２パターンにより構成される信号配線における第２形状部にて、他のパターンにより構成される信号配線と接続されるように実装された回路部品４２ＡＫ１Ｒなどの回路部品を備えてもよい。これにより、信号配線における伝送特性などを適切に調整することができ、配線のパターンを配置する基板面積の増大が抑制されて、基板の小型化を図ることができる。
【０２８６】
例えば図２０（Ａ）に示すように、第１パターンまたは第２パターンにより構成される信号配線における第２形状部とは異なる第１形状部４２ＡＫ５２Ｌなどの配線部に接続されるように実装された回路部品４２ＡＫ２Ｒなどの回路部品を備えてもよい。これにより、信号配線における伝送特性などを適切に調整することができ、配線のパターンを配置する基板面積の増大が抑制されて、基板の小型化を図ることができる。
【０２８７】
（特徴部４３ＡＫの課題解決手段および効果に関する説明）
例えばパチンコ遊技機１など、遊技が可能な遊技機であって、例えば図２１に示すように、複数の信号配線を構成するパターンとして、例えば配線の第１パターン４３ＡＫ１０と配線の第２パターン４３ＡＫ１１などの第１パターンと第２パターンとが形成され、複数の信号配線によりＲＡＭ１０２やＣＰＵ１０３などの複数の電気部品が接続された主基板１１などの基板を備え、第１パターンおよび第２パターンのうち一方のパターンにより構成される信号配線が、例えば第１形状部４３ＡＫ１０Ｌ、４３ＡＫ１１Ｌなど、直線または略直線の第１形状となる第１形状部に対応して、第１パターンおよび第２パターンのうち他方のパターンにより構成される信号配線が、例えば第２形状部４３ＡＫ１０Ｍ、４３ＡＫ１１Ｍなど、第１形状とは異なる第２形状となる第２形状部を含み、例えばテストポイント４３ＡＫ１０Ｐ、４３ＡＫ１１Ｐなど、第２形状部に接続確認用の特定導体部が設けられている。これにより、配線のパターンを適切に配置でき、各種の構造物を適切に配置して、基板面積の増大が抑制され、基板の小型化を図ることができる。
【０２８８】
特定導体部は、例えばはんだ、あるいは銅箔などの金属材料を用いて形成され、例えば図２１に示す配線幅Ｗ５＜直径Ｗ６のように、第１パターンまたは第２パターンにより構成される信号配線の配線幅よりも広くなるように形成されていてもよい。これにより、信号配線の電気特性検査を容易に行うことができ、配線のパターンを適切に配置するとともに、各種の構造物を適切に配置して、基板面積の増大が抑制され、基板の小型化を図ることができる。
【０２８９】
基板は、例えば図２２に示す表面層４４ＡＫ１Ｓ、グランド層４４ＡＫ１Ｌ、電源層４４ＡＫ２Ｌ、配線層４４ＡＫ３Ｌ、電源層４４ＡＫ４Ｌ、裏面層４４ＡＫ２Ｓなど、複数の層を含み、特定導体部は、複数の層のうち特定導体部が設けられる層とは異なる導体層と、例えばスルーホール４４ＡＫ１Ｈ、４４ＡＫ２Ｈなどのスルーホールにより接続されてもよい。これにより、信号配線や導体層の電気特性検査を容易に行うことができ、配線のパターンを適切に配置するとともに、各種の構造物を適切に配置して、基板面積の増大が抑制され、基板の小型化を図ることができる。
【０２９０】
（特徴部４４ＡＫの課題解決手段および効果に関する説明）
例えばパチンコ遊技機１など、遊技が可能な遊技機であって、例えば図２１に示すように、複数の信号配線を構成するパターンとして、例えば配線の第１パターン４３ＡＫ１０と配線の第２パターン４３ＡＫ１１などの第１パターンと第２パターンとが形成され、複数の信号配線によりＲＡＭ１０２やＣＰＵ１０３などの複数の電気部品が接続された主基板１１などの基板を備え、第１パターンおよび第２パターンのうち一方のパターンにより構成される信号配線が、例えば第１形状部４３ＡＫ１０Ｌ、４３ＡＫ１１Ｌなど、直線または略直線の第１形状となる第１形状部に対応して、第１パターンおよび第２パターンのうち他方のパターンにより構成される信号配線が、例えば第２形状部４３ＡＫ１０Ｍ、４３ＡＫ１１Ｍなど、第１形状とは異なる第２形状となる第２形状部を含み、例えば図２２に示す表面層４４ＡＫ１Ｓなど、基板の一面に、例えば配線のパターン４４ＡＫ１０Ｐ、４４ＡＫ１１Ｐにより構成される信号配線などの第２形状部を含む信号配線が設けられ、例えば裏面層４４ＡＫ２Ｓなど、基板の他面に、例えばテストポイント４４ＡＫ１１ＴＰなど、接続確認用の特定導体部が設けられている。これにより、信号配線や導体層の電気特性検査を容易に行うことができ、配線のパターンを適切に配置するとともに、各種の構造物を適切に配置して、基板面積の増大が抑制され、基板の小型化を図ることができる。
【０２９１】
（特徴部４５ＡＫの課題解決手段および効果に関する説明）
図２７に示すように、平面視した場合に、矩形状の電子部品４５ＡＫ６０は、その辺４５ＡＫ６０ａ〜４５ＡＫ６０ｄが、矩形状のヒートシンクの辺４５ＡＫ４０ａ〜４５ＡＫ４０ｄと平行とならないように配置されている。これにより、電子部品４５ＡＫ６０から発生した熱の放熱効果を高めることができる。
【０２９２】
各辺をヒートシンクの辺４５ＡＫ４０ａ〜４５ＡＫ４０ｄと平行となるように配置した電子部品４５ＡＫ６１を、中心点Ｏを中心に所定角度θだけ回転させることで、電子部品４５ＡＫ６０の配置とすることができる。所定角度θは例えば略４５°である。これにより、電子部品４５ＡＫ６０から発生した熱の放熱効果を高めることができる。
【０２９３】
ヒートシンク４５ＡＫ４０を、左右方向に平行に配列されたフィン４５ＡＫ４２が上下方向を向くように配置している。これにより、下方から上方に向けて移動する空気を、上下方向に沿ったフィン４５ＡＫ４２の間に通すことができ、上方向に移動する空気の流れを阻害することなく、電子部品４５ＡＫ６０から発生した熱の放熱効果を高めることができる。
【０２９４】
電子部品４５ＡＫ６０とヒートシンク４５ＡＫ４０との間に介在した熱伝導シート４５ＡＫ７０を、両面が粘着する柔軟な熱伝導シートとしている。これにより、電子部品４５ＡＫ６０から発生した熱を、熱伝導シート４５ＡＫ７０を介してヒートシンク４５ＡＫ４０にスムーズに伝えることができ、電子部品４５ＡＫ６０から発生した熱の放熱効果を高めることができる。
【０２９５】
後ケース４５ＡＫ３０には、発熱性の電子部品４５ＡＫ６０にヒートシンク４５ＡＫ４０を押圧する支持部４５ＡＫ３５が設けられている。これにより、電子部品４５ＡＫ６０から発生した熱を、熱伝導シート４５ＡＫ７０を介してヒートシンク４５ＡＫ４０にスムーズに伝えることができ、電子部品４５ＡＫ６０から発生した熱の放熱効果を高めることができる。
【０２９６】
（特徴部５５ＡＫの課題解決手段および効果に関する説明）
例えばパチンコ遊技機１など、遊技が可能な遊技機であって、例えば図３１に示すように、複数の信号配線を構成するパターンとして、例えば配線のパターン５５ＡＫ１０〜５５ＡＫ２２などが形成され、複数の信号配線により演出制御基板１２と画像表示装置５などの複数の電気部品を接続可能な接続手段として、例えば接続配線部材５５ＡＫ０１を備え、パターンは、例えば図３１に示す領域５５ＡＫ１０Ｚにて、複数の信号配線のうち少なくとも１の信号配線が直線または略直線の第１形状となる一方で、他の信号配線が第１形状とは異なる第２形状となる特定形状部を含み、複数の信号配線に含まれる少なくとも一部の信号配線の配線長が、同一または略同一となる。これにより、複数の信号配線で伝送される信号の遅延時間差を減少させる適切な配線構成が可能になる。また、接続手段を用いて狭い範囲で配線長を同一または略同一にすることができ、配線のパターンを配置する面積の増大が抑制されて、基板や装置を小型化するために適切な配線構成が可能になる。
【０２９７】
接続手段は、例えば図３１に示された接続配線部材５５ＡＫ０１のように、Ｌ字形状または略Ｌ字形状を有していてもよい。これにより、狭い範囲で配線長を同一または略同一にすることができ、配線のパターンを配置する面積の増大が抑制されて、基板や装置を小型化するために適切な配線構成が可能になる。
【０２９８】
接続手段に、例えば図３１に示された領域５５ＡＫ２Ｚのような曲折部を設けてもよい。これにより、狭い範囲で配線長を同一または略同一にすることができ、配線のパターンを配置する面積の増大が抑制されて、基板や装置を小型化するために適切な配線構成が可能になる。
【０２９９】
例えば図３２に示された配線のパターン５５ＡＫ１１、５５ＡＫ１２、５５ＡＫ３１、５５ＡＫ３２のように、パターンは、接続手段の両面に形成されてもよい。これにより、狭い範囲で配線長を同一または略同一にすることができ、配線のパターンを配置する面積の増大が抑制されて、基板や装置を小型化するために適切な配線構成が可能になる。
【０３００】
接続手段は、例えば接続配線部材５５ＡＫ０１の基体といった、可撓性を有する第１部材と、例えば補強部材５５ＡＫ０２といった、可撓性を有しない第２部材とを含み、第２部材にて、信号配線と接続されるように実装された回路部品として、例えば回路部品５５ＡＫ１Ｒなどを備えてもよい。これにより、回路部品の脱落や信号配線の断線が発生しにくい適切な配線構成が可能になる。
【０３０１】
接続手段には、例えば図３２に示す表面層５５ＡＫ１Ｓに設けられた配線のパターン５５ＡＫ１１、５５ＡＫ１２により構成される信号配線など、接続手段の一面に設けられた信号配線と、例えば図３２に示す裏面層５５ＡＫ２Ｓに設けられた配線のパターン５５ＡＫ３１、５５ＡＫ３２により構成される信号配線など、接続手段の他面に設けられた信号配線とを、電気的に接続可能な貫通部として、例えばスルーホール５５ＡＫ１Ｈ、５５ＡＫ２Ｈなどが設けられ、複数の電気部品を複数の信号配線により接続した場合に、例えば図３４に示された領域５５ＡＫ１Ｚなどのように、接続手段にて形状が変化する変形部には、貫通部が設けられていなくてもよい。これにより、接続手段の強度低下や信号配線の断線が発生しにくい適切な配線構成が可能になる。
【０３０２】
（特徴部５６ＡＫの課題解決手段および効果に関する説明）
例えばパチンコ遊技機１など、遊技が可能な遊技機であって、例えば図３１に示すように、複数の信号配線を構成するパターンとして、例えば配線のパターン５５ＡＫ１０〜５５ＡＫ２２などが形成された接続配線部材５５ＡＫ０１などの接続手段を備え、複数の電気部品は、複数の信号配線と接続される複数の導体が、例えば第１ピッチＷ１０などの第１ピッチで設けられた第１部品と、例えば第２ピッチＷ１１などの第１ピッチとは異なる第２ピッチで設けられた第２部品とを含み、パターンは、例えば図３７や図３８に示すように、複数の信号配線が第１部品と接続される一端にて、複数の信号配線が第１ピッチに対応した間隔となるように形成され、複数の信号配線が第２部品と接続される他端にて、複数の信号配線が第２ピッチに対応した間隔となるように形成され、複数の信号配線に含まれる各信号配線の配線長が、同一または略同一となり、第１部品および第２部品は、例えばコネクタポート５６ＡＫ０１、５６ＡＫ０２など、複数の信号配線を着脱自在に接続可能な配線接続部品である。これにより、複数の信号配線で伝送される信号の遅延時間差を減少させる適切な配線構成が可能になる。また、接続手段を用いて狭い範囲で配線長を同一または略同一にすることができ、配線のパターンを配置する面積の増大が抑制されて、基板や装置を小型化するために適切な配線構成が可能になる。
【０３０３】
あるいは、第１部品および第２部品は、例えば電子部品５６ＡＫ１ＩＣ、５６ＡＫ２ＩＣなど、所定部材に実装された電子部品である。これにより、複数の信号配線で伝送される信号の遅延時間差を減少させる適切な配線構成が可能になる。また、接続手段を用いて狭い範囲で配線長を同一または略同一にすることができ、配線のパターンを配置する面積の増大が抑制されて、基板や装置を小型化するために適切な配線構成が可能になる。
【０３０４】
あるいは、第１部品および第２部品のうち一方は、例えばコネクタポート５６ＡＫ０１、５６ＡＫ０２など、複数の信号配線を着脱自在に接続可能な配線接続部品であり、第１部品および第２部品のうち他方は、電子部品５６ＡＫ１ＩＣ、５６ＡＫ２ＩＣなど、所定部材に実装された電子部品である。これにより、複数の信号配線で伝送される信号の遅延時間差を減少させる適切な配線構成が可能になる。また、接続手段を用いて狭い範囲で配線長を同一または略同一にすることができ、配線のパターンを配置する面積の増大が抑制されて、基板や装置を小型化するために適切な配線構成が可能になる。
【符号の説明】
【０３０５】
５０ＳＧ０１      接続配線部材
５０ＳＧ１０〜５０ＳＧ３０      パターン
５０ＳＧ１Ｌ      配線層
５０ＳＧ１Ｓ      絶縁層
５０ＳＧ２Ｓ      絶縁層
５０ＳＧ３Ｇ      グランド層
５０ＳＧ６１Ａ、５０ＳＧ６１Ｂ  第１切欠凹部
５０ＳＧ６２Ａ、５０ＳＧ６２Ｂ  第２切欠凹部
５０ＳＧ８１      第１屈曲部
５０ＳＧ８２      第２屈曲部
【図１】
2020031984.tif 000003
【図２】
2020031984.tif 000004
【図３】
2020031984.tif 000005
【図４】
2020031984.tif 000006
【図５】
2020031984.tif 000007
【図６】
2020031984.tif 000008
【図７】
2020031984.tif 000009
【図８】
2020031984.tif 000010
【図９】
2020031984.tif 000011
【図１０】
2020031984.tif 000012
【図１１】
2020031984.tif 000013
【図１２】
2020031984.tif 000014
【図１３】
2020031984.tif 000015
【図１４】
2020031984.tif 000016
【図１５】
2020031984.tif 000017
【図１６】
2020031984.tif 000018
【図１７】
2020031984.tif 000019
【図１８】
2020031984.tif 000020
【図１９】
2020031984.tif 000021
【図２０】
2020031984.tif 000022
【図２１】
2020031984.tif 000023
【図２２】
2020031984.tif 000024
【図２３】
2020031984.tif 000025
【図２４】
2020031984.tif 000026
【図２５】
2020031984.tif 000027
【図２６】
2020031984.tif 000028
【図２７】
2020031984.tif 000029
【図２８】
2020031984.tif 000030
【図２９】
2020031984.tif 000031
【図３０】
2020031984.tif 000032
【図３１】
2020031984.tif 000033
【図３２】
2020031984.tif 000034
【図３３】
2020031984.tif 000035
【図３４】
2020031984.tif 000036
【図３５】
2020031984.tif 000037
【図３６】
2020031984.tif 000038
【図３７】
2020031984.tif 000039
【図３８】
2020031984.tif 000040
【図３９】
2020031984.tif 000041
【図４０】
2020031984.tif 000042
【図４１】
2020031984.tif 000043
【図４２】
2020031984.tif 000044
【図４３】
2020031984.tif 000045
【図４４】
2020031984.tif 000046
【図４５】
2020031984.tif 000047
【図４６】
2020031984.tif 000048
【図４７】
2020031984.tif 000049
【図４８】
2020031984.tif 000050